(57)【要約】【課題】通信システムにおける資源使用方法を提供する。【解決手段】通信システムにおける資源使用方法であって、  一つのユーザ端末機にサービスを提供するセクターアンテナ集合を決定するステップと、  前記セクターアンテナ集合が含む複数のセクターアンテナのうち少なくとも二つが前記ユーザ端末機に少なくとも一つの同一の資源を共通で割り当てるように制御するステップと、  前記決定されたセクターアンテナ集合が含む複数のセクターアンテナのうちで前記少なくとも一つの同一の資源を用いて前記ユーザ端末機に情報を送信するか、又は、前記ユーザ端末機から情報を受信する少なくとも一つのセクターアンテナで構成される送受信セクターアンテナ集合を決定するステップとを含むことを特徴とする資源使用方法。【選択図】図４
2014241646.tif 000002
【特許請求の範囲】
【請求項１】
通信システムにおける資源使用方法であって、
一つのユーザ端末機にサービスを提供するセクターアンテナ集合を決定するステップと、
前記セクターアンテナ集合が含む複数のセクターアンテナのうち少なくとも二つが前記ユーザ端末機に少なくとも一つの同一の資源を共通で割り当てるように制御するステップと、
前記決定されたセクターアンテナ集合が含む複数のセクターアンテナのうちで前記少なくとも一つの同一の資源を用いて前記ユーザ端末機に情報を送信するか、又は、前記ユーザ端末機から情報を受信する少なくとも一つのセクターアンテナで構成される送受信セクターアンテナ集合を決定するステップとを含むことを特徴とする資源使用方法。
【請求項２】
前記セクターアンテナ集合は、
前記ユーザ端末機にサービスを提供しない、少なくとも一つのセクターアンテナを含むか、または前記ユーザ端末機にサービスを提供できない、少なくとも一つのセクターアンテナを含むか、または前記セクターアンテナ集合が含むセクターアンテナのうち少なくとも一つのセクターアンテナが前記少なくとも一つのセクターアンテナ自身を除外したセクターアンテナのうち少なくとも一つとサービス領域が隣接しない、少なくとも一つのセクターアンテナを含むか、または前記セクターアンテナ集合が含むセクターアンテナのうち少なくとも一つのセクターアンテナが前記少なくとも一つのセクターアンテナ自身を除外したセクターアンテナのうち少なくとも一つとサービス領域が重なる、少なくとも一つのセクターアンテナを含むことを特徴とする請求項１に記載の資源使用方法。
【請求項３】
前記決定されたセクターアンテナ集合が含む複数のセクターアンテナのうちで前記少なくとも一つの同一の資源を用いて前記ユーザ端末機に情報を送信するか、または
前記ユーザ端末機から情報を受信する少なくとも一つのセクターアンテナで構成される送受信セクターアンテナ集合を決定するステップは、
前記送受信セクターアンテナ集合が含む少なくとも一つのセクターアンテナのうち一部または全部が前記少なくとも一つの同一の資源の一部または全部を用いて、前記ユーザ端末機と同一の情報を送信または受信するように前記送受信セクターアンテナ集合を決定するステップ、または
前記送受信セクターアンテナ集合が含む少なくとも一つのセクターアンテナのうち一部または全部が前記少なくとも一つの同一の資源の一部または全部を用いて、前記ユーザ端末機と相異なる情報を送信または受信するように前記送受信セクターアンテナ集合を決定するステップを含むことを特徴とする請求項１に記載の資源使用方法。
【請求項４】
通信システムにおける資源使用方法であって、
一つのユーザ端末機にサービスを提供するセクターアンテナ集合を決定するステップと、
前記セクターアンテナ集合が含むセクターアンテナのうち少なくとも二つが前記ユーザ端末機に少なくとも一つの同一の資源を共通で割り当てるように制御するステップとを含み、
前記セクターアンテナ集合が含むセクターアンテナのうち少なくとも二つが前記ユーザ端末機に少なくとも一つの同一の資源を共通で割り当てるように制御するステップは、
前記セクターアンテナ集合が含むセクターアンテナのうち少なくとも一つが変更され新規セクターアンテナ集合が生成されると、前記新規セクターアンテナ集合が含むセクターアンテナのうち少なくとも二つが前記ユーザ端末機に少なくとも一つの新規した同一の資源を共通で割り当てるように制御する第１のステップと、
前記新規セクターアンテナ集合が含むセクターアンテナのうち少なくとも二つが前記ユーザ端末機が使用中である資源のうち少なくとも一つを前記ユーザ端末機に共通で割り当てるように制御する第２のステップのうち少なくとも一つを含むことを特徴とする資源使用方法。
【請求項５】
前記セクターアンテナ集合は、
前記ユーザ端末機にサービスしない、少なくとも一つのセクターアンテナを含むか、または
前記ユーザ端末機にサービスできない、少なくとも一つのセクターアンテナを含むか、または
前記セクターアンテナ集合が含むセクターアンテナのうち少なくとも一つのセクターアンテナが自身を除外したセクターアンテナのうち少なくとも一つとサービス領域が隣接しない、少なくとも一つのセクターアンテナを含むか、または
前記セクターアンテナ集合が含むセクターアンテナのうち少なくとも一つのセクターアンテナが自身を除外したセクターアンテナのうち少なくとも一つとサービス領域が重なる、少なくとも一つのセクターアンテナを含むことを特徴とする請求項４に記載の資源使用方法。
【請求項６】
通信システムにおける資源使用方法であって、
ユーザ端末機が第１の領域から第２の領域に移動する場合、
前記ユーザ端末機にサービスを提供するセクターアンテナ集合を既存のセクターアンテナ集合から新たなセクターアンテナ集合に変更するステップと、
前記新たなセクターアンテナ集合が前記ユーザ端末機に少なくとも一つの共通資源を割り当てるように制御するステップと、
前記新たなセクターアンテナ集合が含む少なくとも一つのセクターアンテナのうちで前記少なくとも一つの共通資源を用いて前記ユーザ端末機に情報を送信するか、または前記ユーザ端末機から情報を受信する少なくとも一つのセクターアンテナで構成される送受信セクターアンテナ集合を決定するステップとを含むことを特徴とする資源使用方法。
【請求項７】
前記セクターアンテナ集合は、
前記ユーザ端末機にサービスを提供しない、少なくとも一つのセクターアンテナを含むか、または
前記ユーザ端末機にサービスを提供できない、少なくとも一つのセクターアンテナを含むか、または
前記セクターアンテナ集合が含むセクターアンテナのうち少なくとも一つのセクターアンテナが前記少なくとも一つのセクターアンテナ自身を除外したセクターアンテナのうち少なくとも一つとサービス領域が隣接しない、少なくとも一つのセクターアンテナを含むか、または
前記セクターアンテナ集合が含むセクターアンテナのうち少なくとも一つのセクターアンテナが前記少なくとも一つのセクターアンテナ自身を除外したセクターアンテナのうち少なくとも一つとサービス領域が重なる、少なくとも一つのセクターアンテナを含むことを特徴とする請求項６に記載の資源使用方法。
【請求項８】
前記新たなセクターアンテナ集合は、
第１の領域で前記ユーザ端末機にサービスを提供していた前記既存のセクターアンテナ集合に少なくとも一つの新たなセクターアンテナが追加されて生成されるか、または
前記第１の領域で前記ユーザ端末機にサービスを提供していた前記既存のセクターアンテナ集合に含まれる少なくとも一つのセクターアンテナのうち一部が前記既存のセクターアンテナ集合から除外されて生成されるか、または
前記第１の領域で前記ユーザ端末機にサービスを提供していた前記既存のセクターアンテナ集合に含まれる少なくとも一つのセクターアンテナのうち一部が除外されて、前記既存のセクターアンテナ集合に少なくとも一つの新たなセクターアンテナが追加されて生成されるか、または
前記第１の領域で前記ユーザ端末機にサービスを提供していた前記既存のセクターアンテナ集合が含む少なくとも一つのセクターアンテナのうち一部が含まれて生成されることを特徴とする請求項６に記載の資源使用方法。
【請求項９】
前記新たなセクターアンテナ集合が含む少なくとも一つのセクターアンテナのうちで前記少なくとも一つの共通資源を用いて前記ユーザ端末機に情報を送信するか、または
前記ユーザ端末機から情報を受信する少なくとも一つのセクターアンテナで構成される送受信セクターアンテナ集合を決定するステップは、
前記送受信セクターアンテナ集合が含む少なくとも一つのセクターアンテナのうちで一部または全部が前記少なくとも一つの共通資源の一部または全部を用いて、前記ユーザ端末機と同一の情報を送信または受信するように前記送受信セクターアンテナ集合を決定するステップ、または
前記送受信セクターアンテナ集合が含む少なくとも一つのセクターアンテナのうちで一部または全部が前記少なくとも一つの共通資源の一部または全部を用いて、前記ユーザ端末機と相異なる情報を送信または受信するように前記送受信セクターアンテナ集合を決定するステップを含むことを特徴とする請求項６に記載の資源使用方法。
【請求項１０】
通信システムにおける資源使用方法であって、
ユーザ端末機が第１の領域から第２の領域に移動する場合、前記ユーザ端末機が前記第１の領域にサービスを提供するセクターアンテナである第１のセクターアンテナの資源を第１の設定時間の間にそのまま使用するように制御するステップと、
前記第１の設定時間が経過すると、前記ユーザ端末機に前記第２の領域にサービスを提供するセクターアンテナである第２のセクターアンテナの資源を割り当てるステップと、
前記第１の設定時間が経過する前に前記ユーザ端末機が前記第２の領域から前記第１の領域に移動する場合、前記ユーザ端末機が前記第１のセクターアンテナの資源を第２の設定時間の間にそのまま使用するように制御し、前記第２の設定時間が経過すると前記ユーザ端末機が前記第１のセクターアンテナの資源をそのまま使用するように制御するステップと、
前記第１の設定時間が経過する前に前記ユーザ端末機が前記第２の領域から第３の領域に移動する場合、前記ユーザ端末機が前記第１のセクターアンテナの資源を前記第２の設定時間の間にそのまま使用するように制御し、前記第２の設定時間が経過すると前記第３の領域にサービスを提供するセクターアンテナである第３のセクターアンテナの資源を前記ユーザ端末機に割り当てるステップとを含むことを特徴とする資源使用方法。
【請求項１１】
前記第１のセクターアンテナが前記第２の領域または前記第３の領域に移動した前記ユーザ端末機に前記第２のセクターアンテナの資源または前記第３のセクターアンテナの資源を割り当てるように制御するか、または
前記第２のセクターアンテナが前記第２の領域に移動した前記ユーザ端末機に前記第２のセクターアンテナの資源を割り当てるように制御するか、または
前記第３のセクターアンテナが前記第３の領域に移動した前記ユーザ端末機に前記第３のセクターアンテナの資源を割り当てるように制御するステップをさらに含むことを特徴とする請求項１０に記載の資源使用方法。
【請求項１２】
前記第１のセクターアンテナが前記第２の領域または前記第３の領域に移動した前記ユーザ端末機のために前記第１の設定時間または前記第２の設定時間を設定するように制御するか、または
前記第２のセクターアンテナが前記第２の領域に移動した前記ユーザ端末機のために前記第１の設定時間を設定するように制御するか、または
前記第３のセクターアンテナが前記第３の領域に移動した前記ユーザ端末機のために前記第２の設定時間を設定するように制御するステップをさらに含むことを特徴とする請求項１０に記載の資源使用方法。
【請求項１３】
通信システムにおける資源使用方法であって、
第１の領域資源が割り当てられたユーザ端末機が第１の領域から第２の領域に移動すると、
前記ユーザ端末機に割り当てられた前記第１の領域資源を返還し、第２の領域資源を割り当てるステップと、
前記ユーザ端末機に割り当てられた前記第１の領域資源をそのまま維持するように割り当てるステップと、
前記ユーザ端末機に割り当てられた前記第１の領域資源を第２の領域資源として用途を変更した後に、前記ユーザ端末機に割り当てるステップと、
前記ユーザ端末機に割り当てられた前記第１の領域資源を返還し、さらに他の第１の領域資源を第２の領域資源として用途を変更した後に、前記ユーザ端末機に割り当てるステップと、
前記ユーザ端末機に割り当てられた前記第１の領域資源を返還し、第３の領域資源を第２の領域資源として用途を変更した後に、前記ユーザ端末機に割り当てるステップと、
前記ユーザ端末機に割り当てられた前記第１の領域資源を返還し、いかなる領域の資源としても用途が指定されていない資源を第２の領域資源として用途を決定した後に、前記ユーザ端末機に割り当てるステップのうち少なくとも一つを含むことを特徴とする資源使用方法。
【請求項１４】
前記ユーザ端末機に割り当てられた前記第１の領域資源を返還することにあって、
前記ユーザ端末機にサービスを提供するセクターアンテナ集合が含むセクターアンテナのうち一部のセクターアンテナのみに返還するか、または
前記ユーザ端末機にサービスを提供するセクターアンテナ集合が含むセクターアンテナのうち全てのセクターアンテナに返還することを特徴とする請求項１３に記載の資源使用方法。
【請求項１５】
通信システムにおける資源使用方法であって、
通信領域を一つのセクターアンテナが専用でサービスする少なくとも一つの中心領域と、少なくとも二つのセクターアンテナのサービス領域が重なり、少なくとも二つのセクターアンテナが同時にサービスする少なくとも一つの境界領域と、少なくとも二つのセクターアンテナが同時にサービスする少なくとも一つの共通領域のうち少なくとも一つに分割するステップと、
前記少なくとも一つの中心領域と、少なくとも一つの境界領域と、少なくとも一つの共通領域のうち一つに位置した、少なくとも一つのユーザ端末機に資源を割り当てるステップとを含み、
前記通信システムが使用可能な資源を分割した後、前記分割された資源を前記少なくとも一つの中心領域のための少なくとも一つの資源と、前記少なくとも一つの境界領域のための少なくとも一つの資源と、前記少なくとも一つの共通領域のための少なくとも一つの資源に割り当てるステップと、
前記通信システムが使用可能な資源を分割した後、前記分割された資源を前記少なくとも一つの中心領域のための少なくとも一つの資源と、前記少なくとも一つの境界領域のための少なくとも一つの資源に割り当てるステップと、
前記通信システムが使用可能な資源を分割した後、前記分割された資源を前記少なくとも一つの中心領域のための少なくとも一つの資源と、前記少なくとも一つの共通領域のための少なくとも一つの資源に割り当てるステップと、
前記通信システムが使用可能な資源を分割した後、前記分割された資源を前記少なくとも一つの境界領域のための少なくとも一つの資源と、前記少なくとも一つの共通領域のための少なくとも一つの資源に割り当てるステップと、
前記通信システムが使用可能な資源を分割した後、前記分割された資源を前記少なくとも一つの中心領域のための少なくとも一つの資源に割り当てるステップと、
前記通信システムが使用可能な資源を前記少なくとも一つの中心領域のための資源に割り当てるステップと、
前記通信システムが使用可能な資源を分割した後、前記分割された資源を前記少なくとも一つの境界領域のための少なくとも一つの資源に割り当てるステップと、
前記通信システムが使用可能な資源を前記少なくとも一つの境界領域のための資源に割り当てるステップと、
前記通信システムが使用可能な資源を分割した後、前記分割された資源を前記少なくとも一つの共通領域のための少なくとも一つの資源に割り当てるステップと、
前記通信システムが使用可能な資源を前記少なくとも一つの共通領域のための資源に割り当てるステップと、
前記通信システムが使用可能な資源を前記少なくとも一つの中心領域と、少なくとも一つの境界領域と、少なくとも一つの共通領域のうち、いかなる領域のための資源にも割り当てないステップのうち少なくとも一つを含み、
前記中心領域と、境界領域と、共通領域のそれぞれに位置した、少なくとも一つのユーザ端末機に資源を割り当てるステップは、
前記中心領域と、境界領域と、共通領域のうち一つの領域にユーザ端末機が位置すると、
前記ユーザ端末機が位置する該当領域のための資源のうちで割り当てられていない資源を前記ユーザ端末機に割り当てる第１のステップと、
前記該当領域と相異なる領域のための資源のうちで割り当てられていない資源を前記該当領域のための資源として用途を変更した後に、前記ユーザ端末機に割り当てる第２のステップと、
用途が指定されていない資源を前記該当領域のための資源として用途を指定した後に、前記ユーザ端末機に割り当てる第３ステップと、
前記ユーザ端末機が使用中である資源を前記該当領域のための資源として用途を変更した後、前記用途が変更された、前記ユーザ端末機が使用中である資源をそのまま維持して使用するように前記ユーザ端末機に割り当てる第４のステップと、
前記ユーザ端末機が使用中である資源の用途を変更せずに前記ユーザ端末機が使用中である資源をそのまま維持して使用するように前記ユーザ端末機に割り当てる第５のステップのうち少なくとも一つを含むことを特徴とする資源使用方法。
【請求項１６】
前記少なくとも二つのセクターアンテナが同時にサービスすることにあって、
前記少なくとも二つのセクターアンテナのうち少なくとも一つは前記ユーザ端末機にサービスしないことを特徴とする請求項１５に記載の資源使用方法。
【請求項１７】
通信システムにおける資源使用方法であって、
通信領域を少なくとも一つの中心領域と少なくとも一つの境界領域とに分割するステップと、
前記通信システムが使用可能な全体資源を少なくとも一つの中心領域資源と少なくとも一つの境界領域資源とに分割または定義するステップと、
前記分割された領域に前記分割または定義された資源を割り当てるステップとを含み、
前記分割された領域に前記分割または定義された資源を割り当てるステップにおいて、
前記中心領域に前記中心領域資源を割り当て、前記境界領域に前記境界領域資源を割り当て、
前記中心領域資源を各セクターアンテナのみが使用するように割り当て、前記境界領域資源を複数のセクターアンテナが使用するように割り当て、
前記分割された各領域の資源要求量に対応して前記割り当てられた資源のサイズを調整し、
隣接する前記境界領域に相異なる前記境界領域資源を割り当てることを特徴とする資源使用方法。
【請求項１８】
通信システムにおける資源使用装置であって、
一つのユーザ端末機にサービスを提供するセクターアンテナ集合を決定する動作と、
前記セクターアンテナ集合が含む複数のセクターアンテナのうち少なくとも二つが前記ユーザ端末機に少なくとも一つの同一の資源を共通で割り当てるように制御する動作と、
前記決定されたセクターアンテナ集合が含む複数のセクターアンテナのうちで前記少なくとも一つの同一の資源を用いて前記ユーザ端末機に情報を送信するか、または
前記ユーザ端末機から情報を受信する少なくとも一つのセクターアンテナで構成される送受信セクターアンテナ集合を決定する動作を遂行するプロセッサを含むことを特徴とする通信システムにおける資源使用装置。
【請求項１９】
前記セクターアンテナ集合は、
前記ユーザ端末機にサービスを提供しない、少なくとも一つのセクターアンテナを含むか、または
前記ユーザ端末機にサービスを提供できない、少なくとも一つのセクターアンテナを含むか、または
前記セクターアンテナ集合が含むセクターアンテナのうち少なくとも一つのセクターアンテナが前記少なくとも一つのセクターアンテナ自身を除外したセクターアンテナのうち少なくとも一つとサービス領域が隣接しない、少なくとも一つのセクターアンテナを含むか、または
前記セクターアンテナ集合が含むセクターアンテナのうち少なくとも一つのセクターアンテナが前記少なくとも一つのセクターアンテナ自身を除外したセクターアンテナのうち少なくとも一つとサービス領域が重なる、少なくとも一つのセクターアンテナを含むことを特徴とする請求項１８に記載の資源使用装置。
【請求項２０】
前記決定されたセクターアンテナ集合が含む複数のセクターアンテナのうちで前記少なくとも一つの同一の資源を用いて前記ユーザ端末機に情報を送信するか、または
前記ユーザ端末機から情報を受信する少なくとも一つのセクターアンテナで構成される前記送受信セクターアンテナ集合を決定する動作は、
前記送受信セクターアンテナ集合が含む少なくとも一つのセクターアンテナのうちで一部または全部が前記少なくとも一つの同一の資源の一部または全部を用いて、前記ユーザ端末機と同一の情報を送信または受信するように前記送受信セクターアンテナ集合を決定する動作、または
前記送受信セクターアンテナ集合が含む少なくとも一つのセクターアンテナのうちで一部または全部が前記少なくとも一つの同一の資源の一部または全部を用いて、前記ユーザ端末機と相異なる情報を送信または受信するように前記送受信セクターアンテナ集合を決定する動作を含むことを特徴とする請求項１８に記載の資源使用装置。
【請求項２１】
通信システムにおける資源使用装置であって、
一つのユーザ端末機にサービスを提供するセクターアンテナ集合を決定する動作と、
前記セクターアンテナ集合が含むセクターアンテナのうち少なくとも二つが前記ユーザ端末機に少なくとも一つの同一の資源を共通で割り当てるように制御する動作を遂行するプロセッサを含み、
前記セクターアンテナ集合が含むセクターアンテナのうち少なくとも二つが前記ユーザ端末機に少なくとも一つの同一の資源を共通で割り当てるように制御する動作は、
前記セクターアンテナ集合が含むセクターアンテナのうち少なくとも一つが変更され新規セクターアンテナ集合が生成されると、前記新規セクターアンテナ集合が含むセクターアンテナのうち少なくとも二つが前記ユーザ端末機に少なくとも一つの新規した同一資源を共通で割り当てるように制御する第１の動作と、
前記新規セクターアンテナ集合が含むセクターアンテナのうち少なくとも二つが前記ユーザ端末機が使用中である資源のうち少なくとも一つを前記ユーザ端末機に共通で割り当てるように制御する第２の動作のうち一つであることを特徴とする資源使用装置。
【請求項２２】
前記セクターアンテナ集合は、
前記ユーザ端末機にサービスしない、少なくとも一つのセクターアンテナを含むか、または
前記ユーザ端末機にサービスできない、少なくとも一つのセクターアンテナを含むか、または
前記セクターアンテナ集合が含むセクターアンテナのうち少なくとも一つのセクターアンテナが自身を除外したセクターアンテナのうち少なくとも一つとサービス領域が隣接しない、少なくとも一つのセクターアンテナを含むか、または
前記セクターアンテナ集合が含むセクターアンテナのうち少なくとも一つのセクターアンテナが自身を除外したセクターアンテナのうち少なくとも一つとサービス領域が重なる、少なくとも一つのセクターアンテナを含むことを特徴とする請求項２１に記載の資源使用装置。
【請求項２３】
通信システムにおける資源使用装置であって、
一つのユーザ端末機が第１の領域から第２の領域に移動する場合、
前記ユーザ端末機にサービスを提供するセクターアンテナ集合を既存のセクターアンテナ集合から新たなセクターアンテナ集合に変更する動作と、
前記新たなセクターアンテナ集合が前記ユーザ端末機に少なくとも一つの共通資源を割り当てるように制御する動作と、
前記新たなセクターアンテナ集合が含む少なくとも一つのセクターアンテナのうちで前記少なくとも一つの共通資源を用いて前記ユーザ端末機に情報を送信するか、または前記ユーザ端末機から情報を受信する少なくとも一つのセクターアンテナで構成される送受信セクターアンテナ集合を決定する動作を遂行するプロセッサを含むことを特徴とする通信システムにおける資源使用装置。
【請求項２４】
前記セクターアンテナ集合は、
前記ユーザ端末機にサービスを提供しない、少なくとも一つのセクターアンテナを含むか、または
前記ユーザ端末機にサービスを提供できない、少なくとも一つのセクターアンテナを含むか、または
前記セクターアンテナ集合が含むセクターアンテナのうち少なくとも一つのセクターアンテナが前記少なくとも一つのセクターアンテナ自身を除外したセクターアンテナのうち少なくとも一つとサービス領域が隣接しない、少なくとも一つのセクターアンテナを含むか、または
前記セクターアンテナ集合が含むセクターアンテナのうち少なくとも一つのセクターアンテナが前記少なくとも一つのセクターアンテナ自身を除外したセクターアンテナのうち少なくとも一つとサービス領域が重なる、少なくとも一つのセクターアンテナを含むことを特徴とする請求項２３に記載の資源使用装置。
【請求項２５】
前記新たなセクターアンテナ集合は、
第１の領域で前記ユーザ端末機にサービスを提供していた前記既存のセクターアンテナ集合に少なくとも一つの新たなセクターアンテナが追加されて生成されるか、または
前記第１の領域で前記ユーザ端末機にサービスを提供していた前記既存のセクターアンテナ集合に含まれる少なくとも一つのセクターアンテナのうち一部が前記既存のセクターアンテナ集合から除外されて生成されるか、または
前記第１の領域で前記ユーザ端末機にサービスを提供していた前記既存のセクターアンテナ集合に含まれる少なくとも一つのセクターアンテナのうち一部が除外され、前記既存のセクターアンテナ集合に少なくとも一つの新たなセクターアンテナが追加されて生成されるか、または
前記第１の領域で前記ユーザ端末機にサービスを提供していた前記既存のセクターアンテナ集合が含む少なくとも一つのセクターアンテナのうち一部が含まれて生成されることを特徴とする請求項２３に記載の資源使用装置。
【請求項２６】
前記新たなセクターアンテナ集合が含む少なくとも一つのセクターアンテナのうちで前記少なくとも一つの共通資源を用いて前記ユーザ端末機に情報を送信するか、または
前記ユーザ端末機から情報を受信する少なくとも一つのセクターアンテナで構成される送受信セクターアンテナ集合を決定する動作は、
前記送受信セクターアンテナ集合が含む少なくとも一つのセクターアンテナのうちで一部または全部が前記少なくとも一つの共通資源の一部または全部を用いて、前記ユーザ端末機と同一の情報を送信または受信するように前記送受信セクターアンテナ集合を決定する動作、または
前記送受信セクターアンテナ集合が含む少なくとも一つのセクターアンテナのうちで一部または全部が前記少なくとも一つの共通資源の一部または全部を用いて、前記ユーザ端末機と相異なる情報を送信または受信するように前記送受信セクターアンテナ集合を決定する動作を含むことを特徴とする請求項２３に記載の資源使用装置。
【請求項２７】
通信システムにおける資源使用装置であって、
ユーザ端末機が第１の領域から第２の領域に移動する場合、前記ユーザ端末機が前記第１の領域にサービスを提供するセクターアンテナである第１のセクターアンテナの資源を第１の設定時間の間にそのまま使用するように制御する動作と、
前記第１の設定時間が経過すると前記ユーザ端末機に前記第２の領域にサービスを提供するセクターアンテナである第２のセクターアンテナの資源を割り当てる動作と、
前記第１の設定時間が経過する前に前記ユーザ端末機が前記第２の領域から前記第１の領域に移動する場合、前記ユーザ端末機が前記第１のセクターアンテナの資源を第２の設定時間の間にそのまま使用するように制御し、前記第２の設定時間が経過すると前記ユーザ端末機が前記第１のセクターアンテナの資源をそのまま使用するように制御する動作と、
前記第１の設定時間が経過する前に前記ユーザ端末機が前記第２の領域から第３の領域に移動する場合、前記ユーザ端末機が前記第１のセクターアンテナの資源を前記第２の設定時間の間にそのまま使用するように制御し、前記第２の設定時間が経過すると前記第３の領域にサービスを提供するセクターアンテナである第３のセクターアンテナの資源を前記ユーザ端末機に割り当てる動作を遂行するプロセッサを含むことを特徴とする資源使用装置。
【請求項２８】
前記第１のセクターアンテナが前記第２の領域または前記第３の領域に移動した前記ユーザ端末機に第２のセクターアンテナの資源または第３のセクターアンテナの資源を割り当てるように制御するか、または
前記第２のセクターアンテナが前記第２の領域に移動した前記ユーザ端末機に前記第２のセクターアンテナの資源を割り当てるように制御するか、または
前記第３のセクターアンテナが前記第３の領域に移動した前記ユーザ端末機に前記第３のセクターアンテナの資源を割り当てるように制御することを特徴とする請求項２７に記載の資源使用装置。
【請求項２９】
前記第１のセクターアンテナが前記第２の領域または前記第３の領域に移動した前記ユーザ端末機のために前記第１の設定時間または第２の設定時間を設定するように制御するか、または
前記第２のセクターアンテナが前記第２の領域に移動した前記ユーザ端末機のために前記第１の設定時間を設定するように制御するか、または
前記第３のセクターアンテナが前記第３の領域に移動した前記ユーザ端末機のために前記第２の設定時間を設定するように制御することを特徴とする請求項２７に記載の資源使用装置。
【請求項３０】
通信システムにおける資源使用装置であって、
第１の領域資源が割り当てられたユーザ端末機が第１の領域から第２の領域に移動すると、
前記ユーザ端末機に割り当てられた前記第１の領域資源を返還し、第２の領域資源を割り当てる動作と、
前記ユーザ端末機に割り当てられた前記第１の領域資源をそのまま維持するように割り当てる動作と、
前記ユーザ端末機に割り当てられた前記第１の領域資源を第２の領域資源として用途を変更した後に、前記ユーザ端末機に割り当てる動作と、
前記ユーザ端末機に割り当てられた前記第１の領域資源を返還し、さらに他の第１の領域資源を第２の領域資源として用途を変更した後に、前記ユーザ端末機に割り当てる動作と、
前記ユーザ端末機に割り当てられた前記第１の領域資源を返還し、第３の領域資源を第２の領域資源として用途を変更した後に、前記ユーザ端末機に割り当てる動作と、
前記ユーザ端末機に割り当てられた前記第１の領域資源を返還し、いかなる領域のための資源としても用途が指定されていない資源を第２の領域資源として用途を決定した後に、前記ユーザ端末機に割り当てる動作のうち少なくとも一つを遂行するプロセッサを含むことを特徴とする資源使用装置。
【請求項３１】
前記ユーザ端末機に割り当てられた前記第１の領域資源を返還することにあって、
前記ユーザ端末機にサービスを提供するセクターアンテナ集合が含むセクターアンテナのうち一部のセクターアンテナのみに返還するか、または
前記ユーザ端末機にサービスを提供するセクターアンテナ集合が含むセクターアンテナのうち全てのセクターアンテナに返還することを特徴とする請求項３０に記載の資源使用装置。
【請求項３２】
通信システムにおける資源使用装置であって、
通信領域を一つのセクターアンテナが専用でサービスする少なくとも一つの中心領域と、少なくとも二つのセクターアンテナのサービス領域が重なり、少なくとも二つのセクターアンテナが同時にサービスする少なくとも一つの境界領域と、少なくとも二つのセクターアンテナが同時にサービスする少なくとも一つの共通領域のうち少なくとも一つに分割する動作と、
前記少なくとも一つの中心領域と、少なくとも一つの境界領域と、少なくとも一つの共通領域のうち一つに位置した、少なくとも一つのユーザ端末機に資源を割り当てる動作を遂行し、
前記通信システムが使用可能な資源を分割した後、前記分割された資源を前記少なくとも一つの中心領域のための少なくとも一つの資源と、前記少なくとも一つの境界領域のための少なくとも一つの資源と、前記少なくとも一つの共通領域のための少なくとも一つの資源に割り当てる動作と、
前記通信システムが使用可能な資源を分割した後、前記分割された資源を前記少なくとも一つの中心領域のための少なくとも一つの資源と、前記少なくとも一つの境界領域のための少なくとも一つの資源に割り当てる動作と、
前記通信システムが使用可能な資源を分割した後、前記分割された資源を前記少なくとも一つの中心領域のための少なくとも一つの資源と、前記少なくとも一つの共通領域のための少なくとも一つの資源に割り当てる動作と、
前記通信システムが使用可能な資源を分割した後、前記分割された資源を前記少なくとも一つの境界領域のための少なくとも一つの資源と、前記少なくとも一つの共通領域のための少なくとも一つの資源に割り当てる動作と、
前記通信システムが使用可能な資源を分割した後、前記分割された資源を前記少なくとも一つの中心領域のための少なくとも一つの資源に割り当てる動作と、
前記通信システムが使用可能な資源を前記少なくとも一つの中心領域のための資源に割り当てる動作と、
前記通信システムが使用可能な資源を分割した後、前記分割された資源を前記少なくとも一つの境界領域のための少なくとも一つの資源に割り当てる動作と、
前記通信システムが使用可能な資源を前記少なくとも一つの境界領域のための資源に割り当てる動作と、
前記通信システムが使用可能な資源を分割した後、前記分割された資源を前記少なくとも一つの共通領域のための少なくとも一つの資源に割り当てる動作と、
前記通信システムが使用可能な資源を前記少なくとも一つの共通領域のための資源に割り当てる動作と、
前記通信システムが使用可能な資源を前記少なくとも一つの中心領域と、少なくとも一つの境界領域と、少なくとも一つの共通領域のうち、いかなる領域のための資源にも割り当てない動作のうち一つを遂行するプロセッサを含み、
前記中心領域と、境界領域と、共通領域のそれぞれに位置した、少なくとも一つのユーザ端末機に資源を割り当てる動作は、
前記中心領域と、境界領域と、共通領域のうち一つの領域にユーザ端末機が位置すると、
前記ユーザ端末機が位置する該当領域のための資源のうちで割り当てられていない資源を前記ユーザ端末機に割り当てる第１の動作と、
前記該当領域と相異なる領域のための資源のうちで割り当てられていない資源を前記該当領域のための資源として用途を変更した後に、前記ユーザ端末機に割り当てる第２の動作と、
用途が指定されていない資源を前記該当領域のための資源として用途を指定した後に、前記ユーザ端末機に割り当てる第３の動作と、
前記ユーザ端末機が使用中である資源を前記該当領域のための資源として用途を変更した後、前記用途が変更された、前記ユーザ端末機が使用中である資源をそのまま維持して使用するように前記ユーザ端末機に割り当てる第４の動作と、
前記ユーザ端末機が使用中である資源の用途を変更せずに前記ユーザ端末機が使用中である資源をそのまま維持して使用するように前記ユーザ端末機に割り当てる第５の動作のうち一つであることを特徴とする資源使用装置。
【請求項３３】
前記少なくとも二つのセクターアンテナが同時にサービスすることにあって、
前記少なくとも二つのセクターアンテナのうち少なくとも一つは、前記ユーザ端末機にサービスしないことを特徴とする請求項３２に記載の資源使用装置。
【請求項３４】
通信システムにおける資源使用装置であって、
通信領域を少なくとも一つの中心領域と少なくとも一つの境界領域とに分割する動作と、
前記通信システムが使用可能な全体資源を少なくとも一つの中心領域資源と少なくとも一つの境界領域資源とに分割または定義する動作と、
前記分割された領域に前記分割または定義された資源を割り当てる動作を遂行するプロセッサを含み、
前記分割された領域に前記分割または定義された資源を割り当てる動作において、
前記中心領域に前記中心領域資源を割り当て、前記境界領域に前記境界領域資源を割り当て、
前記中心領域資源を各セクターアンテナだけが使用するように割り当て、前記境界領域資源を複数のセクターアンテナが使用するように割り当て、
前記分割された各領域の資源要求量に対応して前記割り当てられた資源のサイズを調整し、
隣接する前記境界領域に相異なる前記境界領域資源を割り当てることを特徴とする資源使用装置。
【発明の詳細な説明】
【技術分野】
【０００１】
本発明は、マルチセクター通信システムに関し、特に、マルチセクター構成を有する１つのセルを含む通信システムにおいてセクター間干渉を最小にし、資源の使用効率を向上させることができる資源使用システム及び方法に関する。
【背景技術】
【０００２】
複数のセクターを含むマルチセクター通信システムにおいて、この複数のセクターは、周波数資源と、コード資源と、タイムスロット資源とを含む限定された資源を分割し、これを使用する。同一の資源が他のセクターにより再使用されるため、この複数のセクター間、特に、隣接セクター間の干渉が発生し得る。しかしながら、この再使用による干渉が性能低下を引き起こし得るが、マルチセクター通信システムの全容量を増加させることもある。ここで、この干渉は、周波数再使用係数が１である場合に大きく発生する。
【０００３】
一方、次世代通信システムは、高速の送信速度のような高いサービス品質（Quality of
Service：以下、“ＱｏＳ”と称する）を有するサービスをユーザーに提供するための活発な研究が進んでいる。特に、次世代通信システムにおける基地局（Base Station：以下、“ＢＳ”と称する）が１つのセルを複数のセクターに分割し管理する。この複数のセクターに位置している移動端末機（Mobile Station：以下、“ＭＳ”と称する）に通信サービスを提供する際に、ＢＳは、データを、各セクターアンテナを介してＭＳに送信する。ここで、ＢＳは、このデータをこのセクターアンテナからのビームを用いてＭＳに送信し、この際に、このセクターアンテナからのビームは、セクター間の境界でオーバーラップされる。これは、セクター間の干渉を引き起こす。
【０００４】
より具体的に、マルチセクター通信システムにおけるセクターアンテナの使用は、セクター間の信号オーバーラップ領域、すなわち、セクター間境界領域でセンター間干渉を引き起こす。言い換えれば、セクターアンテナからのビームのパターンが相互に直交するように設計されることができないため、隣接セクターからの信号は、セクター間境界領域でオーバーラップされ、これにより、セクター信号間、すなわち、隣接セクター間で深刻な干渉を引き起こす。
【０００５】
現在の通信システムは、このようなセクター間干渉を回避し最小化することができず、セクター間干渉の回避及び最小化を試みる際に周波数資源の再使用効率が低下する問題点がある。したがって、セクター間で相互に直交する中心帯域を信号オーバーラップが発生し得るセクター間境界領域に割り当てることにより、セクター間信号オーバーラップ領域でセクター間干渉を回避し、残りの周波数資源が、セクター間干渉が発生しないセクター中心領域でセクター間干渉なしに再使用されるようにすることにより、周波数資源の再使用効率を大きく改善させることができる資源使用システム及び方法が必要とされた。
【０００６】
また、このようなセクター間境界領域でセクター間干渉の回避及び最小化のために、セクター間境界領域で１つのセクターから信号を受信するか又は１つのセクターに信号を送信するので、セクター間境界領域でのアンテナ利得の急激な減少による信号の品質低下を防止することができるシステム及び方法が必要である。また、通信システムの複数のセクター内の複数のＭＳのセクター間ハンドオーバーの際にも数回の動的チャネル割当て（Dy
namic Channel Allocation：以下、“ＤＣＡ”と称する）が高速で実行されるように安定したＤＣＡの実行に必要な十分な時間を提供し、安定したＱｏＳを保証することができるシステム及び方法が必要である。特に、セクター間境界領域での、又はセクター間中央境界線での頻繁な移動や、セクター間境界領域からセクター中心領域への、又はセクター中心領域からセクター間境界領域への頻繁な移動の際におけるピンポン現象によるシステム負荷の増加を防止することができるシステム及び方法が必要である。
【０００７】
言い換えれば、セクター間境界領域において、信号利得は、アンテナ利得の急激な減少により大きく低下する。また、ユーザーがセクター境界線を介して移動する場合に、信号品質の低下がより深刻になる。これは、隣接セクターへの急速なハンドオーバーを必要とし、したがって、現在のセクター帯域から他の帯域への、そして、隣接セクター帯域への迅速なＤＣＡを要求する。これは、信号品質の低下及びＱｏＳ低下につながり、ピンポン現象を引き起こし、システム負荷の増加を生じさせる。したがって、このような問題点を解決するシステム及び方法が必要である。すなわち、マルチセクター通信システムのセクター間境界領域でセクター間干渉の回避及び最小化を行い、信号品質を保持しつつハンドオーバー手順を簡素化し、周波数資源の再使用効率を増加させることができるシステム及び方法を必要とする。
【０００８】
したがって、本発明は、セクター間境界領域でのセクター間干渉の回避及び最小化を行い、周波数資源を効率的に使用するために、セクター間で相互に直交するように使用された帯域及びすべてのセクターで再使用された帯域を割り当てる。また、各セクターの特定の帯域を対応するセクターの境界領域に位置するユーザーに割り当てることによりセクター間干渉の完全な回避及び最小化を行うことができ、セクター間干渉を考慮しないか、又はセクター間干渉が存在しないすべてのセクターで再使用されるように割り当てられた帯域を再使用することによりセクター間干渉の完全な回避及び最小化を行う資源使用方法及びシステムが必要である。
【０００９】
ＭＳがセクター間を移動する場合に、帯域割当ては、隣接セクター間の信号電力比に基づいてなされる。このようにセクター間ハンドオーバーがなされる場合に、現在のセクターで帯域の割当てを受けたユーザー、すなわち、ＭＳがセクター間境界領域に移動する場合に、通信サービスをＭＳに提供するＢＳは、現在のセクターの帯域にＤＣＡを実行し、したがって、セクター間干渉の回避及び最小化を行う。この際に、本発明は、セクター間ハンドオーバーの際に、セクター間境界領域で急激なアンテナ利得の減少による信号品質の低下を防止する。特に、本発明は、ＭＳがセクター間を移動する場合に急激な信号強度の低下を防止するために隣接セクターへの迅速なハンドオーバーの実行、すなわち、隣接ハンドオーバーセクターの帯域に急激なＤＣＡを実行することにより発生する信号品質の低下を防止し、セクター間干渉の回避及び最小化を行う。
また、隣接セクターへのＭＳの移動は、このセクターの帯域へのＤＣＡを要求し、これは、セクター間境界領域で信号品質を低下させるだけではなく、数回の迅速なＤＣＡ手順を必要とする。したがって、本発明は、安定したＤＣＡの実行に必要な十分な時間を提供し、ＱｏＳを保証する。さらに、本発明は、頻繁なセクター間ハンドオーバー、例えば、セクター間境界領域からセクター中心領域への、セクター中心領域からセクター間境界領域への頻繁な移動によるピンポン現象を防止し、特に、セル中心領域でセクター間のより頻繁であり迅速な移動時におけるＤＣＡ手続き及びハンドオーバー手続きを簡素化することにより、システム負荷を減少させる。
【先行技術文献】
【特許文献】
【００１０】
【特許文献１】特開平７−３２７２６２号公報
【特許文献２】特開２０００−２７０３６４号公報
【特許文献３】特開平１１−１８７４５２号公報
【特許文献４】国際公開第２００５／１２５２６２号
【特許文献５】特開平７−２３４５８号公報
【発明の概要】
【発明が解決しようとする課題】
【００１１】
したがって、本発明は、上述した従来技術の問題点を解決するために提案されたものであり、その目的は、通信システムにおける資源使用システム及び方法を提供することにある。
【００１２】
本発明の他の目的は、マルチセクター通信システムにおける資源使用システム及び方法を提供することにある。
【００１３】
本発明のまた他の目的は、マルチセクター通信システムにおける信号送受信システム及び方法を提供することにある。
【課題を解決するための手段】
【００１４】
上記のような目的を達成するために、本発明の実施形態の一態様によれば、通信システムにおける資源使用方法は、通信領域をセクタ間境界領域と、セクタ中心領域と、セクタ共通領域とに分割するステップと、所定の資源を前記分割された領域に割り当てるステップとを具備することを特徴とする。
【００１５】
本発明の実施形態の他の態様によれば、通信システムにおける資源使用方法は、上記通信システムに使用可能な資源内に特定の領域の資源を定義するステップを具備することを特徴とする。
【００１６】
本発明の実施形態のさらに他の態様によれば、通信システムにおける資源使用方法は、ユーザーが上記通信システムの領域間を移動すると、各領域に割り当てられた資源を返還するステップと、上記ユーザーが移動した領域の資源を定義するステップとを具備することを特徴とする。
【００１７】
本発明の実施形態のさらなる他の態様によれば、通信システムにおける資源使用方法は、ユーザーが上記通信システムの領域間を移動すると、各領域に割り当てられた資源を返還するステップと、上記ユーザーが移動した領域の資源を割り当てるステップとを具備することを特徴とする。
【００１８】
本発明のさらなる他の１つの態様によれば、通信システムにおける資源使用システムは、通信領域をセクタ間境界領域と、セクタ中心領域と、セクタ共通領域とに分割し、所定の資源を上記分割された領域に割り当てる基地局を具備することを特徴とする。
【００１９】
本発明のさらにまた他の態様によれば、通信システムにおける資源使用システムは、上記通信システムに使用可能な資源内に特定の領域の資源を定義する基地局を具備することを特徴とする。
【００２０】
本発明のさらにまた他の態様によれば、ユーザーが上記通信システムの領域間を移動すると、各領域に割り当てられている資源を返還した後に、上記ユーザーが移動した領域の資源を定義する基地局を具備することを特徴とする。
【００２１】
本発明のさらにその他の態様によれば、通信システムにおける資源使用システムは、ユーザーが上記通信システムの領域間を移動すると、各領域に割り当てられた資源を返還した後に、上記ユーザーが移動した領域の資源を割り当てる基地局を具備することを特徴とする。
【発明の効果】
【００２２】
本発明による通信システムにおける資源使用システム及び方法において、各セクタの干渉の回避及び最小化を行い、周波数再使用効率及び信号品質の低下を防止することができる。また、本発明は、安定したＤＣＡ及びハンドオーバーをサポートすることによりシステム負荷の増加を防止することができる。さらに、本発明は、資源を効率的に管理することによりシステム効率を増加させることができ、資源割当て手続きを簡素化することによりシステム性能を向上させることができる。
【図面の簡単な説明】
【００２３】
【図１】本発明の実施形態によるマルチセクター通信システムにおけるセクター境界領域及びセクター中心領域を示す図である。
【図２】本発明の実施形態によるマルチセクター通信システムにおけるセクター境界領域及びセクター中心領域を示す図である。
【図３】本発明の実施形態によるマルチセクター通信システムにおけるセクター境界領域及びセクター中心領域を示す図である。
【図４】本発明の実施形態によるマルチセクター通信システムにおける全周波数資源をセクター専用帯域、セクター間共有帯域、及びセクター共通帯域に分割し定義する方式を示す図である。
【図５】本発明の実施形態によるマルチセクター通信システムにおける全周波数資源を優先してセクター専用帯域及びセクター間共有帯域のみに分割し定義する方式を示す図である。
【図６】本発明の実施形態によるマルチセクター通信システムにおけるＢＳが第１の規則に従ってセクター専用帯域又はセクター間共有帯域内にセクター共通帯域を定義することを示す図である。
【図７】本発明の実施形態によるマルチセクター通信システムにおけるＢＳが第１の規則に従ってセクター専用帯域又はセクター間共有帯域内にセクター共通帯域を定義することを示す図である。
【図８】本発明の実施形態によるマルチセクター通信システムにおけるＢＳが第１の規則に従ってセクター専用帯域又はセクター間共有帯域内にセクター共通帯域を定義することを示す図である。
【図９】本発明の実施形態によるマルチセクター通信システムにおけるＢＳが第２の規則に従ってセクター専用帯域又はセクター間共有帯域内にセクター共通帯域を定義することを示す図である。
【図１０】本発明の実施形態によるマルチセクター通信システムにおけるＢＳが第２の規則に従ってセクター専用帯域又はセクター間共有帯域内にセクター共通帯域を定義することを示す図である。
【図１１】本発明の実施形態によるマルチセクター通信システムにおけるＢＳが第２の規則に従ってセクター専用帯域又はセクター間共有帯域内にセクター共通帯域を定義することを示す図である。
【図１２】本発明の実施形態によるマルチセクター通信システムにおけるＢＳが第３の規則に従ってセクター専用帯域又はセクター間共有帯域内にセクター共通帯域を定義することを示す図である。
【図１３】本発明の実施形態によるマルチセクター通信システムにおけるＢＳが第３の規則に従ってセクター専用帯域又はセクター間共有帯域内にセクター共通帯域を定義することを示す図である。
【図１４】本発明の実施形態によるマルチセクター通信システムにおけるＢＳが第３の規則に従ってセクター専用帯域又はセクター間共有帯域内にセクター共通帯域を定義することを示す図である。
【図１５】本発明の実施形態によるマルチセクター通信システムにおける全周波数資源を優先してセクター専用帯域及びセクター共通帯域のみに分割し定義する方式を示す図である。
【図１６】本発明の実施形態によるマルチセクター通信システムにおけるＢＳが第１の規則に従ってセクター専用帯域又はセクター共通帯域内にセクター間共有帯域を定義することを示す図である。
【図１７】本発明の実施形態によるマルチセクター通信システムにおけるＢＳが第１の規則に従ってセクター専用帯域又はセクター共通帯域内にセクター間共有帯域を定義することを示す図である。
【図１８】本発明の実施形態によるマルチセクター通信システムにおけるＢＳが第１の規則に従ってセクター専用帯域又はセクター共通帯域内にセクター間共有帯域を定義することを示す図である。
【図１９】本発明の実施形態によるマルチセクター通信システムにおけるＢＳが第２の規則に従ってセクター専用帯域又はセクター共通帯域内にセクター間共有帯域を定義することを示す図である。
【図２０】本発明の実施形態によるマルチセクター通信システムにおけるＢＳが第２の規則に従ってセクター専用帯域又はセクター共通帯域内にセクター間共有帯域を定義することを示す図である。
【図２１】本発明の実施形態によるマルチセクター通信システムにおけるＢＳが第２の規則に従ってセクター専用帯域又はセクター共通帯域内にセクター間共有帯域を定義することを示す図である。
【図２２】本発明の実施形態によるマルチセクター通信システムにおけるＢＳが第３の規則に従ってセクター専用帯域又はセクター共通帯域内にセクター間共有帯域を定義することを示す図である。
【図２３】本発明の実施形態によるマルチセクター通信システムにおけるＢＳが第３の規則に従ってセクター専用帯域又はセクター共通帯域内にセクター間共有帯域を定義することを示す図である。
【図２４】本発明の実施形態によるマルチセクター通信システムにおけるＢＳが第３の規則に従ってセクター専用帯域又はセクター共通帯域内にセクター間共有帯域を定義することを示す図である。
【図２５】本発明の実施形態によるマルチセクター通信システムにおける全周波数資源を優先してセクター間共有帯域及びセクター共通帯域のみに分割し定義する方式を示す図である。
【図２６】本発明の実施形態によるマルチセクター通信システムにおけるＢＳが第１の規則に従ってセクター間共有帯域又はセクター共通帯域内にセクター専用帯域を定義することを示す図である。
【図２７】本発明の実施形態によるマルチセクター通信システムにおけるＢＳが第１の規則に従ってセクター間共有帯域又はセクター共通帯域内にセクター専用帯域を定義することを示す図である。
【図２８】本発明の実施形態によるマルチセクター通信システムにおけるＢＳが第１の規則に従ってセクター間共有帯域又はセクター共通帯域内にセクター専用帯域を定義することを示す図である。
【図２９】本発明の実施形態によるマルチセクター通信システムにおけるＢＳが第２の規則に従ってセクター間共有帯域又はセクター共通帯域内にセクター専用帯域を定義することを示す図である。
【図３０】本発明の実施形態によるマルチセクター通信システムにおけるＢＳが第２の規則に従ってセクター間共有帯域又はセクター共通帯域内にセクター専用帯域を定義することを示す図である。
【図３１】本発明の実施形態によるマルチセクター通信システムにおけるＢＳが第２の規則に従ってセクター間共有帯域又はセクター共通帯域内にセクター専用帯域を定義することを示す図である。
【図３２】本発明の実施形態によるマルチセクター通信システムにおけるＢＳが第３の規則に従ってセクター間共有帯域又はセクター共通帯域内にセクター専用帯域を定義することを示す図である。
【図３３】本発明の実施形態によるマルチセクター通信システムにおけるＢＳが第３の規則に従ってセクター間共有帯域又はセクター共通帯域内にセクター専用帯域を定義することを示す図である。
【図３４】本発明の実施形態によるマルチセクター通信システムにおけるＢＳが第３の規則に従ってセクター間共有帯域又はセクター共通帯域内にセクター専用帯域を定義することを示す図である。
【図３５】本発明の実施形態によるマルチセクター通信システムにおける全周波数資源を優先してセクター専用帯域のみとして定義する方式を示す図である。
【図３６】本発明の実施形態によるマルチセクター通信システムにおける全周波数資源を優先してセクター専用帯域のみとして定義する方式を示す図である。
【図３７】本発明の実施形態によるマルチセクター通信システムにおける全周波数資源を優先してセクター専用帯域のみとして定義する方式を示す図である。
【図３８】本発明の実施形態によるマルチセクター通信システムにおける全周波数資源を優先してセクター専用帯域のみとして定義する方式を示す図である。
【図３９】本発明の実施形態によるマルチセクター通信システムにおける全周波数資源を優先してセクター間共有帯域のみとして定義する方式を示す図である。
【図４０】本発明の実施形態によるマルチセクター通信システムにおける全周波数資源を優先してセクター間共有帯域のみとして定義する方式を示す図である。
【図４１】本発明の実施形態によるマルチセクター通信システムにおける全周波数資源を優先してセクター間共有帯域のみとして定義する方式を示す図である。
【図４２】本発明の実施形態によるマルチセクター通信システムにおける全周波数資源を優先してセクター間共有帯域のみとして定義する方式を示す図である。
【図４３】本発明の実施形態によるマルチセクター通信システムにおける全周波数資源を優先してセクター共通帯域のみとして定義する方式を示す図である。
【図４４】本発明の実施形態によるマルチセクター通信システムにおける全周波数資源を優先してセクター共通帯域のみとして定義する方式を示す図である。
【図４５】本発明の実施形態によるマルチセクター通信システムにおける全周波数資源を優先してセクター共通帯域のみとして定義する方式を示す図である。
【図４６】本発明の実施形態によるマルチセクター通信システムにおける全周波数資源を優先してセクター共通帯域のみとして定義する方式を示す図である。
【図４７】本発明の実施形態によるマルチセクター通信システムにおける全周波数資源をいかなる帯域としても定義しない方式を示す図である。
【図４８】本発明の実施形態によるマルチセクター通信システムにおける全周波数資源をいかなる帯域としても定義しない方式を示す図である。
【図４９】本発明の実施形態によるマルチセクター通信システムにおける全周波数資源をいかなる帯域としても定義しない方式を示す図である。
【図５０】本発明の実施形態によるマルチセクター通信システムにおける全周波数資源をいかなる帯域としても定義しない方式を示す図である。
【図５１】本発明の実施形態によるマルチセクター通信システムにおけるセクター間共有帯域を使用する方式を示す図である。
【図５２】本発明の実施形態によるマルチセクター通信システムにおけるセクター間共有帯域を使用する方式を示す図である。
【図５３】本発明の実施形態によるマルチセクター通信システムにおけるセクター間共有帯域を使用する方式を示す図である。
【図５４】本発明の実施形態によるマルチセクター通信システムにおける３-セクターセルでセクター間共有帯域を使用する方式を示す図である。
【図５５】本発明の実施形態によるマルチセクター通信システムにおける３-セクターセルでセクター間共有帯域を使用する方式を示す図である。
【図５６】本発明の実施形態によるマルチセクター通信システムにおける３-セクターセルでセクター間共有帯域を使用する方式を示す図である。
【図５７】本発明の実施形態によるマルチセクター通信システムにおける４-セクターセルでセクター間共有帯域を使用する方式を示す図である。
【図５８】本発明の実施形態によるマルチセクター通信システムにおける４-セクターセルでセクター間共有帯域を使用する方式を示す図である。
【図５９】本発明の実施形態によるマルチセクター通信システムにおける６-セクターセルでセクター間共有帯域を使用する方式を示す図である。
【図６０】本発明の実施形態によるマルチセクター通信システムにおける６-セクターセルでセクター間共有帯域を使用する方式を示す図である。
【図６１】本発明の実施形態によるマルチセクター通信システムにおける６-セクターセルでセクター間共有帯域を使用する方式を示す図である。
【図６２】本発明の実施形態によるマルチセクター通信システムにおける３-セクターセルでセクター間共有帯域を使用する方式を示す図である。
【図６３】本発明の実施形態によるマルチセクター通信システムにおける３-セクターセルでセクター間共有帯域を使用する方式を示す図である。
【図６４】本発明の実施形態によるマルチセクター通信システムにおけるユーザーがセクター間境界領域からセクター中心領域に移動する場合のＤＣＡ実行を示す図である。
【図６５】本発明の実施形態によるマルチセクター通信システムにおけるユーザーがセクター間境界領域からセクター中心領域に移動する場合のＤＣＡ実行を示す図である。
【図６６】本発明の実施形態によるマルチセクター通信システムにおけるユーザーがセクター間境界領域からセクター中心領域に移動する場合のＤＣＡ実行を示す図である。
【図６７】本発明の実施形態によるマルチセクター通信システムにおけるユーザーがセクター間境界領域からセクター中心領域に移動する場合のＤＣＡ実行を示す図である。
【図６８】本発明の実施形態によるマルチセクター通信システムにおけるユーザーがセクター間境界領域からセクター中心領域に移動する場合のＤＣＡ実行を示す図である。
【図６９】本発明の実施形態によるマルチセクター通信システムにおけるユーザーがセクター間境界領域からセクター中心領域に移動する場合のＤＣＡ実行を示す図である。
【図７０】本発明の実施形態によるマルチセクター通信システムにおけるユーザーがセクター間境界領域からセクター中心領域に移動する場合のＤＣＡ実行を示す図である。
【図７１】本発明の実施形態によるマルチセクター通信システムにおけるユーザーがセクター間境界領域からセクター中心領域に移動する場合のＤＣＡ実行を示す図である。
【図７２】本発明の実施形態によるマルチセクター通信システムにおけるユーザーがセクター間境界領域からセクター中心領域に移動する場合のＤＣＡ実行を示す図である。
【図７３】本発明の実施形態によるマルチセクター通信システムにおけるユーザーがセクター間境界領域からセクター中心領域に移動する場合のＤＣＡ実行を示す図である。
【図７４】本発明の実施形態によるマルチセクター通信システムにおけるユーザーがセクター間境界領域からセクター中心領域に移動する場合のＤＣＡ実行を示す図である。
【図７５】本発明の実施形態によるマルチセクター通信システムにおけるユーザーがセクター間境界領域からセクター中心領域に移動する場合のＤＣＡ実行を示す図である。
【図７６】本発明の実施形態によるマルチセクター通信システムにおけるユーザーがセクター間境界領域からセクター中心領域に移動する場合のＤＣＡ実行を示す図である。
【図７７】本発明の実施形態によるマルチセクター通信システムにおけるユーザーがセクター間境界領域からセクター中心領域に移動する場合のＤＣＡ実行を示す図である。
【図７８】本発明の実施形態によるマルチセクター通信システムにおけるユーザーがセクター間境界領域からセクター中心領域に移動する場合のＤＣＡ実行を示す図である。
【図７９】本発明の実施形態によるマルチセクター通信システムにおけるユーザーがセクター間境界領域からセクター中心領域に移動する場合のＤＣＡ実行を示す図である。
【図８０】本発明の実施形態によるマルチセクター通信システムにおけるユーザーがセクター中心領域からセクター間境界領域に移動する場合のＤＣＡ実行を示す図である。
【図８１】本発明の実施形態によるマルチセクター通信システムにおけるユーザーがセクター中心領域からセクター間境界領域に移動する場合のＤＣＡ実行を示す図である。
【図８２】本発明の実施形態によるマルチセクター通信システムにおけるユーザーがセクター中心領域からセクター間境界領域に移動する場合のＤＣＡ実行を示す図である。
【図８３】本発明の実施形態によるマルチセクター通信システムにおけるユーザーがセクター中心領域からセクター間境界領域に移動する場合のＤＣＡ実行を示す図である。
【図８４】本発明の実施形態によるマルチセクター通信システムにおけるユーザーがセクター中心領域からセクター間境界領域に移動する場合のＤＣＡ実行を示す図である。
【図８５】本発明の実施形態によるマルチセクター通信システムにおけるユーザーがセクター中心領域からセクター間境界領域に移動する場合のＤＣＡ実行を示す図である。
【図８６】本発明の実施形態によるマルチセクター通信システムにおけるユーザーがセクター中心領域からセクター間境界領域に移動する場合のＤＣＡ実行を示す図である。
【図８７】本発明の実施形態によるマルチセクター通信システムにおけるユーザーがセクター中心領域からセクター間境界領域に移動する場合のＤＣＡ実行を示す図である。
【図８８】本発明の実施形態によるマルチセクター通信システムにおけるユーザーがセクター中心領域からセクター間境界領域に移動する場合のＤＣＡ実行を示す図である。
【図８９】本発明の実施形態によるマルチセクター通信システムにおけるユーザーがセクター中心領域からセクター間境界領域に移動する場合のＤＣＡ実行を示す図である。
【図９０】本発明の実施形態によるマルチセクター通信システムにおけるユーザーがセクター間境界領域からセル中心領域に移動する場合のＤＣＡ実行を示す図である。
【図９１】本発明の実施形態によるマルチセクター通信システムにおけるユーザーがセクター間境界領域からセル中心領域に移動する場合のＤＣＡ実行を示す図である。
【図９２】本発明の実施形態によるマルチセクター通信システムにおけるユーザーがセクター間境界領域からセル中心領域に移動する場合のＤＣＡ実行を示す図である。
【図９３】本発明の実施形態によるマルチセクター通信システムにおけるユーザーがセクター間境界領域からセル中心領域に移動する場合のＤＣＡ実行を示す図である。
【図９４】本発明の実施形態によるマルチセクター通信システムにおけるユーザーがセクター間境界領域からセル中心領域に移動する場合のＤＣＡ実行を示す図である。
【図９５】本発明の実施形態によるマルチセクター通信システムにおけるユーザーがセクター間境界領域からセル中心領域に移動する場合のＤＣＡ実行を示す図である。
【図９６】本発明の実施形態によるマルチセクター通信システムにおけるユーザーがセクター間境界領域からセル中心領域に移動する場合のＤＣＡ実行を示す図である。
【図９７】本発明の実施形態によるマルチセクター通信システムにおけるユーザーがセクター間境界領域からセル中心領域に移動する場合のＤＣＡ実行を示す図である。
【図９８】本発明の実施形態によるマルチセクター通信システムにおけるユーザーがセル中心領域からセクター間境界領域に移動する場合のＤＣＡ実行を示す図である。
【図９９】本発明の実施形態によるマルチセクター通信システムにおけるユーザーがセル中心領域からセクター間境界領域に移動する場合のＤＣＡ実行を示す図である。
【図１００】本発明の実施形態によるマルチセクター通信システムにおけるユーザーがセル中心領域からセクター間境界領域に移動する場合のＤＣＡ実行を示す図である。
【図１０１】本発明の実施形態によるマルチセクター通信システムにおけるユーザーがセル中心領域からセクター間境界領域に移動する場合のＤＣＡ実行を示す図である。
【図１０２】本発明の実施形態によるマルチセクター通信システムにおけるユーザーがセル中心領域からセクター間境界領域に移動する場合のＤＣＡ実行を示す図である。
【図１０３】本発明の実施形態によるマルチセクター通信システムにおけるユーザーがセル中心領域からセクター間境界領域に移動する場合のＤＣＡ実行を示す図である。
【図１０４】本発明の実施形態によるマルチセクター通信システムにおけるユーザーがセクター中心領域からセル中心領域に移動する場合のＤＣＡ実行を示す図である。
【図１０５】本発明の実施形態によるマルチセクター通信システムにおけるユーザーがセクター中心領域からセル中心領域に移動する場合のＤＣＡ実行を示す図である。
【図１０６】本発明の実施形態によるマルチセクター通信システムにおけるユーザーがセクター中心領域からセル中心領域に移動する場合のＤＣＡ実行を示す図である。
【図１０７】本発明の実施形態によるマルチセクター通信システムにおけるユーザーがセクター中心領域からセル中心領域に移動する場合のＤＣＡ実行を示す図である。
【図１０８】本発明の実施形態によるマルチセクター通信システムにおけるユーザーがセクター中心領域からセル中心領域に移動する場合のＤＣＡ実行を示す図である。
【図１０９】本発明の実施形態によるマルチセクター通信システムにおけるユーザーがセクター中心領域からセル中心領域に移動する場合のＤＣＡ実行を示す図である。
【図１１０】本発明の実施形態によるマルチセクター通信システムにおけるユーザーがセクター中心領域からセル中心領域に移動する場合のＤＣＡ実行を示す図である。
【図１１１】本発明の実施形態によるマルチセクター通信システムにおけるユーザーがセル中心領域からセクター中心領域に移動する場合のＤＣＡ実行を示す図である。
【図１１２】本発明の実施形態によるマルチセクター通信システムにおけるユーザーがセル中心領域からセクター中心領域に移動する場合のＤＣＡ実行を示す図である。
【図１１３】本発明の実施形態によるマルチセクター通信システムにおけるユーザーがセル中心領域からセクター中心領域に移動する場合のＤＣＡ実行を示す図である。
【図１１４】本発明の実施形態によるマルチセクター通信システムにおけるユーザーがセル中心領域からセクター中心領域に移動する場合のＤＣＡ実行を示す図である。
【図１１５】本発明の実施形態によるマルチセクター通信システムにおけるユーザーがセル中心領域からセクター中心領域に移動する場合のＤＣＡ実行を示す図である。
【図１１６】本発明の実施形態によるマルチセクター通信システムにおけるユーザーがセル中心領域からセクター中心領域に移動する場合のＤＣＡ実行を示す図である。
【図１１７】本発明の実施形態によるマルチセクター通信システムにおけるユーザーがセル中心領域からセクター中心領域に移動する場合のＤＣＡ実行を示す図である。
【図１１８】本発明の実施形態による通信システムにおける資源を定義し使用することを概略的に示す図である。
【図１１９】本発明の実施形態による通信システムにおける資源を定義し使用することを概略的に示す図である。
【図１２０】本発明の実施形態による通信システムにおける資源を定義し使用することを概略的に示す図である。
【発明を実施するための形態】
【００２４】
以下、本発明の実施形態を、添付図面を参照しつつ詳細に説明する。本発明の詳細な構成および要素のような本発明の詳細な説明で定義される特徴は、本発明の実施形態の包括的な理解を助けるために提供されたものであり、ただ１つの実施形態にすぎない。したがって、本発明の範囲及び精神を逸脱することなく様々な変形が可能であるということは、当該技術分野における通常の知識を有する者には明らかである。また、明瞭性と簡潔性の観点から、本発明に関連した公知の機能や構成に関する具体的な説明が本発明の要旨を不明瞭にすると判断される場合には、その詳細な説明を省略する。
【００２５】
後述する本発明の実施形態において、各セルが複数のセクターを含む通信システム（以下、“マルチセクター通信システム”と称する）における資源使用システム及び方法を提案する。ここで、マルチセクター通信システムは、通信システムでユーザーの数を増加させるための代表的な方法であり、セルのセクター化を使用する。このセルのセクター化の場合に、基地局（Base Station：以下、“ＢＳ”と称する）は、所定のビーム幅を有する指向性アンテナ、例えば、ビーム幅１２０゜、９０゜、及び６０゜を有するセクターアンテナを使用する。すなわち、本発明の実施形態による通信システムにおいて、ＢＳは、１つのセルを複数のセクターに分割し、通信サービスを提供するために、データを、各セクターアンテナを用いてこの複数のセクター内の移動端末機（Mobile Station：以下、“Ｍ
Ｓ”と称する）に送信する。ここで、本発明の実施形態による通信システムは、ＢＳがセクターアンテナのビームを介してＭＳにデータを送信する場合、特に、周波数再使用係数１を用いてすべてのセクターですべての周波数資源を再使用することによりデータをＭＳに送信する場合に発生する隣接セクター間干渉の回避及び最小化のための資源使用システム及び方法を提案する。
【００２６】
より具体的に、１つのセルをセクター化して使用すると、それぞれのセクターが理論的に相互に直交する場合に、システムの容量は、３倍、４倍、及び６倍に増加する。しかしながら、セクターアンテナのビームパターンが鈍く、セクター間にオーバーラップされ、相互に直交するセクターを生成することができないため、このセクター化は、システム容量の増加に大いに寄与しない。例えば、ＩＥＥＥ（Institute of Electrical and Electronics Engineers）８０２．１６通信システムは、１／３の周波数資源を各セクターに割り当てることにより１つのセル内で全周波数資源を正確に１００％だけ使用することができるシステム構成を指向している。この際に、周波数再使用係数１を用いてすべてのセクターで全周波数資源を再使用することによりセクター間干渉を引き起こす。すなわち、セクター化した直交周波数分割多重（Orthogonal Frequency Division Multiplexing：以下、“ＯＦＤＭ”と称する）方式を適用する通信システム（以下、“ＯＦＤＭ通信システム”と称する）では、重複する周波数帯域の割当てを受けたセル内のユーザー間の干渉が発生する。特に、セクター間干渉がセル間干渉よりシステム性能にさらに大きく影響を及ぼすため、ＯＦＤＭ通信システムは、セル内の干渉が存在しないように周波数資源を相互に直交するように分割し、この分割された資源を各セクターに割り当てる。
【００２７】
したがって、本発明の実施形態による通信システムは、セクター間境界領域でセクター間干渉の回避及び最小化を行い、周波数資源を効率的に使用するために、セクター間で相互に直交するように使用された帯域とすべてのセクターで再使用された帯域を割り当てる。したがって、本発明は、各セクターの特定の帯域を対応するセクターの境界領域に位置するユーザーに割り当て、セクター間干渉を考慮しないか又はセクター間干渉が存在しないすべてのセクターで再使用されるように割り当てられた帯域を再使用することにより、セクター間干渉の完全な回避及び最小化を行うことができる。
【００２８】
ＭＳがセクター間を移動する場合に、帯域割当ては、隣接セクター間の信号電力比に基づいてなされる。現在のセクターで帯域の割当てを受けたユーザー、すなわち、ＭＳがセクター間境界領域に移動すると、通信サービスをＭＳに提供するＢＳは、現在のセクターの帯域への動的チャネル割当て（Dynamic Channel Allocation：以下、“ＤＣＡ”と称する）を実行することにより、セクター間干渉の回避及び最小化を行う。この場合に、本発明の実施形態による通信システムは、セクター間ハンドオーバーの際にセクター間境界領域での急激なアンテナ利得の減少による信号品質の低下を防止する。特に、本発明の実施形態による通信システムは、ＭＳがセクター間を移動する場合に、急激な信号強度の低下を防止するために隣接セクターへの迅速なハンドオーバーを実行、すなわち、隣接ハンドオーバーセクターの帯域への迅速なＤＣＡを実行することにより発生する信号品質の低下を防止し、セクター間干渉の回避及び最小化を行う。
【００２９】
また、ＭＳが隣接セクターに移動する場合に、ハンドオーバーセクターの帯域へのＤＣＡを実行しなければならず、このようなハンドオーバー手続きは、セクター間境界領域で信号品質を低下させ、迅速なＤＣＡ手続きが数回必要である。したがって、本発明の実施形態による通信システムは、安定したＤＣＡの実行に必要な十分な時間を提供し、ＱｏＳを保証する。さらに、本発明の実施形態による通信システムは、頻繁なセクター間ハンドオーバー、例えば、セクター内の各領域間の頻繁な移動によるピンポン現象を防止し、特に、セル中心領域でセクター間のより頻繁であり迅速な移動時のＤＣＡ手続き及びハンドオーバー手続きを簡素化することにより、システム負荷を減少させる
【００３０】
したがって、本発明は、セクター間境界領域でのセクター間干渉の回避及び最小化を行い、セクター間境界領域でも信号品質を同一に保持しつつ、セクター間ハンドオーバー手続きを簡素化し、周波数資源の再使用効率を一層増加させることができるマルチセクターシステムにおける資源使用システム及び方法を提案する。また、本発明は、セクター間ハンドオーバー又はＤＣＡによるピンポン現象及びセル中心領域での頻繁なＤＣＡ又はセクター間ハンドオーバーを最小化することができる資源使用システム及び方法を提案する。さらに、本発明は、使用可能な全周波数資源をセクター専用帯域と、セクター間共有帯域と、セクター共通帯域とに分割し、この分割されたセクター間共有帯域資源を使用するシステム及び方法を提案する。
【００３１】
本発明の実施形態では、各セクターの中心領域、すなわち、セクター中心領域、セクター間の境界領域、すなわち、セクター間境界領域、及びセルの中心領域、すなわち、セル中心領域で周波数資源の使用を中心にして説明するが、本発明は、各セクターの領域で時間資源及びコード資源の使用にも適用可能である。図１１８乃至図１２０を参照して、本発明の実施形態による通信システムにおける資源の定義及び使用方式について具体的に説明する。
【００３２】
図１１８乃至図１２０は、本発明の実施形態による通信システムにおける資源を定義し使用することを概略的に示す図である。
【００３３】
図１１８は、本発明の実施形態による通信システムにおける周波数資源を定義し使用する方式を示し、図１１９は、本発明の実施形態による通信システムにおける時間資源を定義し使用する方式を示し、図１２０は、本発明の実施形態による通信システムにおけるコード資源を定義し使用する方式を示す。
【００３４】
図１１８乃至図１２０に示すように、本発明の実施形態による通信システムにおいて、通信領域、例えば、少なくとも１つのセルを含む通信領域において、各セクターの特定の領域、例えば、セクター中心領域、セクター間境界領域、及びセクター共通領域、例えば、セル中心領域が資源を使用するように、周波数資源を共通資源、共有資源、及び専用資源として定義して使用するか、時間資源を共通資源、共有資源、及び専用資源として定義して使用するか、又はコード資源を共通資源、共有資源、及び専用資源として定義して使用する。下記では、説明の便宜のために、周波数資源を共通資源、共有資源、及び専用資源として定義して使用する方式について具体的に説明する。ここで、本発明の実施形態による通信システムにおいて、使用可能な全周波数資源を分割して定義する幾つかの方式、例えば、この全周波数資源をセクター専用帯域、セクター間共有帯域、及びセクター共通帯域として定義する方式がある。
【００３５】
まず、本発明の実施形態による第１の定義方式において、マルチセクター通信システムにおけるＢＳは、全周波数資源をセクター専用帯域、セクター間共有帯域、及びセクター共通帯域に分割する。この際に、セクター別セクター専用帯域として定義された周波数資源を対応するセクターのセクター中心領域に位置したユーザーに割り当て、同一のセル内の他のセクターでも、再使用のためにセクター別セクター専用帯域として定義された周波数資源を他のセクターのセクター中心領域に位置したユーザーに割り当てる。また、ＢＳは、セル内の隣接セクターとの干渉の回避及び最小化のために周波数資源が１つのセクター間境界領域に隣接した２つのセクターで使用されないように、セクター間共有帯域として定義された周波数資源をセクター間境界領域に位置したユーザーに割り当てる。
【００３６】
この際に、対応するセクター間境界領域に隣接しないセクターでは、この周波数資源をセクター専用帯域又はセクター間共有帯域として定義して再使用してもよい。ここで、セクター間共有帯域は、対応するセクター間境界領域に隣接した２つのセクター又は２つのセクターを含む複数のセクターで信号を協力して送受信してもよい。また、セクター共通帯域として定義された周波数資源をＢＳに隣接したセル中心領域に位置したユーザーに割り当て、これにより、セル内のすべてのセクターアンテナ又は一部のセクターアンテナを協力して使用することにより同一の周波数帯域で信号を送受信する。これは、セル中心領域で移動するユーザーに頻繁なＤＣＡ又はセクター間ハンドオーバーを回避するようにする。ここで、セクター専用帯域、セクター間共有帯域、及びセクター共通帯域のサイズは、セル内のユーザーの分布などに基づいて全周波数資源内で可変されてもよい。
【００３７】
本発明の実施形態による第２の定義方式において、マルチセクター通信システムにおけるＢＳは、全周波数資源を優先してセクター専用帯域及びセクター間共有帯域のみに分割して定義する。この際に、セクター専用帯域及びセクター間共有帯域として定義された周波数資源を上述した第１の定義方式と同様に使用可能である。セル中心領域に位置したユーザーによりセクター共通帯域が必要とされる場合のみに、セクター間調整を介してセクター専用帯域又はセクター間共有帯域内でセクター共通帯域として定義して使用する。ここで、このセクター専用帯域及びセクター間共有帯域のサイズは、セル内のユーザーの分布などに基づいて全周波数資源内で可変されてもよい。
【００３８】
本発明の実施形態による第３の定義方式において、マルチセクター通信システムにおけるＢＳは、全周波数資源を優先してセクター専用帯域及びセクター共通帯域のみに分割して定義する。この際に、セクター専用帯域及びセクター共通帯域として定義された周波数資源を上述した第１の定義方式と同様に使用可能である。セクター間境界領域に位置したユーザーによりセクター間共有帯域が必要とされる場合のみに、セクター間調整を介してセクター専用帯域又はセクター共通帯域内でセクター間共有帯域として定義して使用する。ここで、セクター間共有帯域は、セクター間境界領域に隣接したセクターで使用されないが、セクター間境界領域に隣接しないセクターでは、セクター専用帯域又はセクター間共有帯域として定義して再使用されることができる。また、このセクター専用帯域及びセクター共通帯域のサイズは、セル内のユーザーの分布などに基づいて全周波数資源内で可変されてもよい。
【００３９】
本発明の実施形態による第４の定義方式において、マルチセクター通信システムにおけるＢＳは、全周波数資源を優先してセクター間共有帯域及びセクター共通帯域のみに分割して定義する。この際に、セクター間共有帯域及びセクター共通帯域として定義された周波数資源を上述した第１の定義方式と同様に使用可能である。セル中心領域に位置したユーザーによりセクター専用帯域が必要とされる場合のみに、セクター間調整を介してセクター間共有帯域又はセクター共通帯域内でセクター専用帯域として定義して使用する。ここで、セクター専用帯域は、同一のセル内の他のセクター中心領域に位置したユーザーに割り当てられて再使用されることができる。また、セクター間共有帯域及びセクター共通帯域のサイズは、セル内のユーザーの分布などに基づいて全周波数資源内で可変されてもよい。
【００４０】
本発明の実施形態による第５の定義方式において、マルチセクター通信システムにおけるＢＳは、全周波数資源を優先してセクター専用帯域のみとして定義する。この際に、セクター別周波数再使用係数が１となるように全周波数資源をすべてのセクターでセクター専用帯域として定義する。セクター間境界領域又はセル中心領域に位置したユーザーが存在する場合のみに、セクター間調整を介してセクター専用帯域内でセクター間共有帯域及びセクター共通帯域として定義して使用する。
【００４１】
本発明の実施形態による第６の定義方式において、マルチセクター通信システムにおけるＢＳは、全周波数資源を優先してセクター間共有帯域のみとして定義する。この際に、全周波数資源をすべてのセクター間境界領域ごとに対応するセクター間共有帯域として定義し、各セクター間境界領域別周波数再使用係数が１となるように使用する。セクター中心領域又はセル中心領域に位置したユーザーが存在する場合のみに、セクター間調整を介してセクター間共有帯域内でセクター専用帯域及びセクター共通帯域として定義して使用する。
【００４２】
本発明の実施形態による第７の定義方式において、マルチセクター通信システムにおけるＢＳは、全周波数資源を優先してセクター共通帯域のみとして定義する。この際に、全周波数資源をすべてのセクターに共通であるセクター共通帯域として定義し、対応するセルの周波数再使用係数が１となるように使用する。セクター中心領域又はセクター間境界領域に位置したユーザーが存在する場合のみに、セクター間調整を介してセクター共通帯域内でセクター専用帯域及びセクター間共有帯域として定義して使用する。
【００４３】
最後に、本発明の実施形態による第８の定義方式において、マルチセクター通信システムにおけるＢＳは、全周波数資源を優先して何の帯域としても定義しない。この際に、セクター中心領域、セクター間境界領域、又はセル中心領域に位置したユーザーが存在する場合のみに、セクター間調整を介して全周波数資源内でセクター専用帯域、セクター間共有帯域、及びセクター共通帯域として定義して使用する。次いで、本発明の実施形態による通信システムにおいて、上述したように使用可能な全周波数資源を分割することにより定義されたセクター間共有帯域を介して信号を送受信する方式、すなわち、全周波数帯域内でセクター間境界領域に位置したユーザーに割り当てるように分割されるか又は定義されるセクター間共有帯域の周波数資源を介して信号を送受信する方式は、次の方式を含んでもよい。
【００４４】
まず、本発明の実施形態による第１の送受信方式は、マルチセクター通信システムにおいて、セクター間境界領域に位置し、セクター間共有帯域の周波数資源の割当てを受けたユーザーが最も隣接した１つのセクターアンテナのみを使用して信号を送受信する。この際に、隣接した２つのセクター間境界領域で使用されないセクター間共有帯域をセクター専用帯域又はセクター間共有帯域として定義して再使用してもよい。ここで、セクターアンテナビームパターンのエッジであるセクター間境界領域でのアンテナ利得の減少による信号品質の低下が発生し得る。
【００４５】
また、本発明の実施形態による第２の送受信方式は、マルチセクター通信システムにおいて、セクター間境界領域に位置し、セクター間共有帯域の周波数資源の割当てを受けたユーザーが最も隣接した２つのセクターアンテナを協力して使用することにより同一の周波数帯域で信号を送受信する。この際に、隣接した２つのセクター間境界領域で使用されないセクター間共有帯域をセクター専用帯域又はセクター間共有帯域として定義して再使用してもよい。また、セクター間境界領域に位置したユーザーが最も隣接した２つのセクターアンテナを用いて同一の周波数帯域で信号を送受信するため、セクター間境界領域でのアンテナ利得の減少による信号品質の低下を防止することができる。ここで、信号を協力して送信する方式は、セクター間境界領域に隣接した２つのセクターアンテナが同一の周波数帯域で同一の信号をセクター間境界領域に位置し、セクター間共有帯域の周波数資源の割当てを受けたユーザーに送信する方式と、セクター間境界領域に隣接した２つのセクターアンテナが同一の周波数帯域で同一の情報を送信する方式と、セクター間境界領域に隣接した２つのセクターアンテナが同一の周波数帯域で相互に異なる情報を送信する方式とを含む。
【００４６】
本発明の実施形態による第３の送受信方式は、マルチセクター通信システムにおいて、セクター間境界領域に位置し、セクター間共有帯域の周波数資源の割当てを受けたユーザーが存在するセル内のすべてのセクターアンテナ又は一部のセクターアンテナを協力して使用することにより同一の周波数帯域で信号を送受信する。これは、追加的な電力消耗及びセクター間共有帯域の周波数資源の使用効率を低下させることがあるが、セクター間境界領域又はセル中心領域でのピンポン現象を防止し、安定したセクター間ハンドオーバーを実行することができる。ここで、信号を協力して送信する方式は、あるセル内のすべてのセクターアンテナ又は一部のセクターアンテナが同一の周波数帯域で同一の情報をセクター間境界領域に位置し、セクター間共有帯域の周波数資源の割当てを受けたユーザーに送信する方式と、あるセル内のすべてのセクターアンテナ又は一部のセクターアンテナが同一の周波数帯域で同一の情報を送信する方式と、あるセル内のすべてのセクターアンテナ又は一部のセクターアンテナが同一の周波数帯域で相互に異なる情報を送信する方式とを含む。次いで、本発明の実施形態による通信システムにおいて、上述したように使用可能な全周波数資源を分割することにより定義されたセクター間共有帯域を使用する方式は、次の方式を含んでもよい。
【００４７】
まず、本発明の実施形態による第１の使用方式において、マルチセクター通信システムにおけるセクター間境界領域は、セクター間共有帯域の周波数資源を共有する。この際に、セクター間干渉の回避及び最小化のために、隣接セクターで使用中であるセクター間共有帯域の周波数資源を使用しない。ここで、セクター専用帯域及びセクター間共有帯域のサイズは、可変されてもよく、セル内の隣接しないセクター間境界領域で使用中であるセクター間共有帯域の一部は、セクター専用帯域又はセクター間共有帯域として再使用されてもよい。
【００４８】
次いで、本発明の実施形態による第２の使用方式において、マルチセクター通信システムは、各セクター間境界領域にセクター間境界領域専用帯域を設定する。この際に、マルチセクター通信システムは、各セクター間境界領域でセクター間共有帯域内にセクター間境界領域間に相互に直交するように定義されたセクター間境界領域専用周波数帯域を定義し、各セクター間境界領域で相互に直交するセクター間境界領域専用周波数帯域内のみで周波数資源を割り当てる。ここで、セクター専用帯域のサイズは、各セクター間境界領域に位置したユーザーの分布に基づいて可変されてもよい。セル内の隣接しないセクター間境界領域で使用中であるセクター間共有帯域の一部は、セクター専用帯域又はセクター間共有帯域として再使用されてもよい。
【００４９】
本発明の実施形態による通信システムは、上述したような定義方式に従って全周波数帯域を定義し、この定義された周波数帯域が送受信方式及び使用方式に従って使用されることができるようにセクター内のユーザーの移動性を考慮して位置及び干渉程度に基づいてセクター専用帯域、セクター間共有帯域、及びセクター共通帯域をユーザーに柔軟に割り当てるＤＣＡを実行する。ここで、本発明の実施形態において、ユーザーがセクター間境界領域から隣接セクター中心領域に移動する場合、セクター間境界領域から隣接セル中心領域に移動する場合、セル中心領域から隣接セクター間境界領域に移動する場合、セル中心領域から隣接セクター中心領域に移動する場合、及び制限的にセクター中心領域から隣接セル中心領域に移動する場合には、現在割り当てられているセクター間共有帯域又はセクター共通帯域の周波数資源を所定の期間の間に保持するようにし、必要な場合に資源負荷率及び信号品質に基づいてユーザーが位置した領域の周波数帯域にＤＣＡを実行するようにすることにより、セクター間ハンドオーバー手続きを簡素化し、ピンポン現象を防止する。
【００５０】
図１を参照して、本発明の実施形態によるマルチセクター通信システムにおけるセクター境界領域及びセクター中心領域について具体的に説明する。図１は、本発明の実施形態によるマルチセクター通信システムにおけるセクター間境界領域及びセクター中心領域を示す図である。図１は、クローバーセルの３-セクターでセクター間境界領域及びセクター中心領域を示す図であり、図２は、六角形セルの３-セクターでセクター間境界領域及びセクター中心領域を示す図であり、図３は、六角形セルの３-セクターでセクター間境界領域及びセクター中心領域を示す図である。
【００５１】
図１を参照すると、各セル１０１、１１１、及び１２１は、３個のセクター、すなわち、第１のセクター、第２のセクター、及び第３のセクターに分割され、この分割された各セクターによりセクター間境界領域及びセクター中心領域を含む。この際に、１つのセクター間境界領域及びセクター中心領域は、所定の面積比を有する（１０３、１１３、１２３）。各セル１０１、１１３、１２３において、ＢＳは、各セクターアンテナのビームパターン１０５、１１５、及び１２５を用いて各セクターに位置したユーザーに信号を送信する。本発明の実施形態による通信システムにおいて、上述したように、全周波数資源を用いて分割し定義する方式について添付の図面を参照してより具体的に説明する。
【００５２】
図２は、本発明の実施形態によるマルチセクター通信システムにおける全周波数資源をセクター専用帯域、セクター間共有帯域、及びセクター共通帯域に分割し定義する方式を示す図である。
【００５３】
図２を参照すると、マルチセクター通信システムにおけるＢＳは、上述した第１の定義方式に従って全周波数資源をセクター専用帯域、セクター間共有帯域、及びセクター共通帯域に分割する。その後に、ＢＳは、セクター別セクター専用帯域として定義された周波数資源をセクターのセクター中心領域に位置したユーザーに割り当て、資源の再使用のために、同一のセル内の他のセクターのセクター中心領域に位置したユーザーにセクター別セクター専用帯域として定義された周波数資源を割り当てる。
【００５４】
ＢＳは、セル内の隣接セクターとの干渉の回避及び最小化のために、周波数資源が１つのセクター間境界領域に隣接した２つのセクターで使用されないように、セクター間共有帯域として定義された周波数資源をセクター間境界領域に位置したユーザーにも割り当てる。ここで、ＢＳは、資源の再使用のために、周波数資源をセクター間境界領域に隣接しないセクターでセクター専用帯域又はセクター間共有帯域として定義する。
【００５５】
また、ＢＳは、セクター共通帯域として定義された周波数資源をＢＳに隣接したセル中心領域に位置したユーザーに割り当て、これにより、セル内のすべてのセクターアンテナ又は一部のセクターアンテナを協力して使用することにより同一の周波数帯域で信号を送受信する。これは、セル中心領域で移動するユーザーに頻繁なＤＣＡ又はセクター間ハンドオーバーを回避するようにする。このように、ＢＳは、セル内のユーザーの分布などに基づいてセクター専用帯域、セクター間共有帯域、及びセクター共通帯域のサイズを全周波数資源内で可変させる。
【００５６】
図３は、本発明の実施形態によるマルチセクター通信システムにおける全周波数資源をセクター専用帯域及びセクター間共有帯域のみに分割し定義する方式を示す図である。
【００５７】
図３を参照すると、マルチセクター通信システムにおけるＢＳは、上述した第２の定義方式に従って全周波数資源を優先してセクター専用帯域及びセクター間共有帯域のみに分割する。その後に、ＢＳは、セクター別セクター専用帯域として定義された周波数資源を対応するセクターのセクター中心領域に位置したユーザーに割り当て、資源の再使用のために、同一のセル内の他のセクターのセクター中心領域に位置したユーザーにセクター別セクター専用帯域として定義された周波数資源を割り当てる。
【００５８】
また、ＢＳは、セル内の隣接セクターとの干渉の回避及び最小化のために、周波数資源が１つのセクター間境界領域に隣接した２つのセクターで使用されないように、セクター間共有帯域として定義された周波数資源をセクター間境界領域に位置したユーザーに割り当てる。ここで、ＢＳは、資源の再使用のために、周波数資源をセクター間境界領域に隣接しないセクターでセクター専用帯域又はセクター間共有帯域として定義する。
【００５９】
このように、ＢＳは、セル内のユーザーの分布などに基づいてセクター専用帯域及びセクター間共有帯域のサイズを全周波数資源内で可変させる。この際に、ユーザーがセル中心領域に進入すると、ＢＳは、必要なだけの周波数資源を、セクター間調整を介して所定の規則に従ってセクター専用帯域又はセクター間共有帯域内でセクター共通帯域として定義して使用する。
【００６０】
また、ＢＳは、セクター共通帯域として定義された周波数資源をＢＳに隣接したセル中心領域に位置したユーザーに割り当て、これにより、セル内のすべてのセクターアンテナ又は一部のセクターアンテナを協力して使用することにより同一の周波数帯域で信号を送受信する。これは、セル中心領域で移動するユーザーに頻繁なＤＣＡ又はセクター間ハンドオーバーを回避するようにする。図６乃至図１４を参照して、ＢＳがセクター専用帯域又はセクター間共有帯域内にセクター共通帯域を定義する規則について説明する。
【００６１】
図６乃至図８は、本発明の実施形態によるマルチセクター通信システムにおけるＢＳが第１の規則に従ってセクター専用帯域又はセクター間共有帯域内にセクター共通帯域を定義することを示す図である。
【００６２】
図６乃至図８を参照すると、この第１の規則において、ユーザーがセル中心領域に移動する場合に、ＢＳは、予め定義された順序でセクター専用帯域又はセクター間共有帯域内にセクター共通帯域を順次に定義し、これを割り当てる。この際に、セクター中心領域又はセクター間境界領域に位置したユーザーがこのセクター共通帯域として定義される帯域を占有すると、ＢＳは、他の帯域をこのユーザーに割り当て、この帯域をこのセクター中心領域に位置したユーザーに優先して割り当てる。すなわち、この第１の規則に従って、ＢＳは、図６に示すように、セクター専用帯域内にセクター共通帯域を定義し、図７に示すように、セクター間共有帯域内にセクター共通帯域を定義し、図８に示すように、セクター専用帯域及びセクター間共有帯域内にセクター共通帯域を定義する。
【００６３】
図９乃至図１１は、本発明の実施形態によるマルチセクター通信システムにおけるＢＳが第２の規則に従ってセクター専用帯域又はセクター間共有帯域内にセクター共通帯域を定義することを示す図である。
【００６４】
図９乃至図１１を参照すると、この第２の規則において、ユーザーがセル中心領域に移動する場合に、ＢＳは、セクター専用帯域又はセクター間共有帯域内の空き帯域をセクター共通帯域として定義し、これを割り当てる。この際に、すべてのセクターのセクター専用帯域又はすべてのセクター間境界領域のための共有帯域内に空き周波数資源がない場合に、ＢＳは、他の周波数帯域をセクター中心領域又はセクター間境界領域に位置したユーザーに割り当てることにより、すべてのセクターで空き帯域を作り、この空き帯域をセクター共通帯域として定義し、これをセル中心領域に位置したユーザーに割り当てる。すなわち、この第２の規則に従って、ＢＳは、図９に示すように、セクター専用帯域内にセクター共通帯域を定義し、図１０に示すように、セクター間共有帯域内にセクター共通帯域を定義し、図１１に示すように、セクター専用帯域及びセクター間共有帯域内にセクター共通帯域を定義する。
【００６５】
図１２乃至図１４は、本発明の実施形態によるマルチセクター通信システムにおけるＢＳが第３の規則に従ってセクター専用帯域又はセクター間共有帯域内にセクター共通帯域を定義することを示す図である。
【００６６】
図１２乃至図１４を参照すると、この第３の規則において、ＢＳは、セクター専用帯域又はセクター間共有帯域内にセル中心領域に位置したユーザーのための予備（reserved）共通帯域を予め設定し、ユーザーがセル中心領域に進入する場合に、その予備帯域を優先してセクター共通帯域として定義して割り当てる。この際に、セクター中心領域又はセクター間境界領域に位置したユーザーがこのセクター共通帯域として定義される帯域を占有すると、ＢＳは、他の帯域をこのユーザーに割り当て、この帯域をこのセクター中心領域に位置したユーザーに優先して割り当てる。好ましくは、予備共通帯域は、セクター中心領域又はセクター間境界領域に位置したユーザーに割り当てられない。ここで、この予備共通帯域は、セル中心領域に位置したユーザーが使用する資源割当て順序の逆順に使用される。すなわち、この第３の規則に従って、ＢＳは、図１２に示すように、セクター専用帯域内にセクター共通帯域を定義し、図１３に示すように、セクター間共有帯域内にセクター共通帯域を定義し、図１４に示すように、セクター専用帯域及びセクター間共有帯域内にセクター共通帯域を定義する。
【００６７】
図１５は、本発明の実施形態によるマルチセクター通信システムにおける全周波数資源を優先してセクター専用帯域及びセクター共通帯域のみに分割し定義する方式を示す図である。
【００６８】
図１５を参照すると、マルチセクター通信システムにおけるＢＳは、上述した第３の定義方式に従って全周波数資源を優先してセクター専用帯域及びセクター共通帯域のみに分割する。その後に、ＢＳは、セクター別セクター専用帯域として定義された周波数資源を対応するセクターのセクター中心領域に位置したユーザーに割り当て、資源の再使用のために、同一のセル内の他のセクターのセクター中心領域に位置したユーザーにセクター別セクター専用帯域として定義された周波数資源を割り当てる。
【００６９】
ＢＳは、セクター共通帯域として定義された周波数資源をＢＳに隣接したセル中心領域に位置したユーザーに割り当て、これにより、セル内のすべてのセクターアンテナ又は一部のセクターアンテナを協力して使用することにより同一の周波数帯域で信号を送受信する。これは、セル中心領域で移動するユーザーに頻繁なＤＣＡ又はセクター間ハンドオーバーを回避するようにする。このように、ＢＳは、セル内のユーザーの分布などに基づいてセクター専用帯域及びセクター共通帯域のサイズを全周波数資源内で可変させる。この際に、ユーザーがセクター間境界領域に進入すると、ＢＳは、必要なだけの周波数資源を、セクター間調整を介して所定の規則に従ってセクター専用帯域又はセクター共通帯域内でセクター間共有帯域として定義して使用する。
【００７０】
また、ＢＳは、セル内の隣接セクターとの干渉の回避及び最小化のために、周波数資源が１つのセクター間境界領域に隣接したセル内の２つのセクターで使用されないように、セクター間共有帯域として定義された周波数資源をセクター間境界領域に位置したユーザーに割り当てる。この際に、対応するセクター間境界領域に隣接しないセクターでは、この周波数資源をセクター専用帯域又はセクター間共有帯域として定義して再使用してもよい。図８乃至図１０を参照して、ＢＳがセクター専用帯域又はセクター共通帯域内にセクター間共有帯域を定義する規則について説明する。
【００７１】
図１６乃至図１８は、本発明の実施形態によるマルチセクター通信システムにおけるＢＳが第１の規則に従ってセクター専用帯域又はセクター共通帯域内にセクター間共有帯域を定義することを示す図である。
【００７２】
図１６乃至図１８を参照すると、この第１の規則において、ユーザーがセクター間境界領域に移動する場合に、ＢＳは、予め定義された順序でセクター専用帯域又はセクター共通帯域内にセクター間共有帯域を順次に定義し、これを割り当てる。この際に、セクター中心領域に位置したユーザー又はセル中心領域に位置したユーザーがセクター間共有帯域として定義される帯域を占有すると、ＢＳは、他の帯域をこのユーザーに割り当て、この帯域をこのセクター間境界領域に位置したユーザーに優先して割り当てる。すなわち、この第１の規則に従って、ＢＳは、図１６に示すように、セクター専用帯域内にセクター間共有帯域を定義し、図１７に示すように、セクター共通帯域内にセクター間共有帯域を定義し、図１８に示すように、セクター専用帯域及びセクター共通帯域内にセクター間共有帯域を定義する。
【００７３】
図１９乃至図２１は、本発明の実施形態によるマルチセクター通信システムにおけるＢＳが第２の規則に従ってセクター専用帯域又はセクター共通帯域内にセクター間共有帯域を定義することを示す図である。
【００７４】
図１９乃至図２１を参照すると、この第２の規則において、ユーザーがセクター間境界領域に移動する場合に、ＢＳは、セクター専用帯域又はセクター共通帯域内の空き帯域をセクター間共有帯域として定義し、これを割り当てる。この際に、このセクター間境界領域に隣接した２つのセクターに対応するセクター専用帯域に共通の空き周波数資源がないか、又はセクター共通帯域内に空き周波数資源がない場合には、ＢＳは、任意の１つのセクターを選択し、他の周波数帯域を対応するセクターのセクター中心領域に位置したユーザーに割り当てることにより、このセクター間境界領域に隣接した２つのセクターに共通の空き帯域を作り、この帯域をセクター間共有帯域として定義し、これをセクター間境界領域に位置したユーザーに割り当てる。すなわち、この第２の規則に従って、ＢＳは、図１９に示すように、セクター専用帯域内にセクター間共有帯域を定義し、図２０に示すように、セクター共通帯域内にセクター間共有帯域を定義し、図２１に示すように、セクター専用帯域及びセクター共通帯域内にセクター間共有帯域を定義する。
【００７５】
図２２乃至図２４は、本発明の実施形態によるマルチセクター通信システムにおけるＢＳが第３の規則に従ってセクター専用帯域又はセクター共通帯域内にセクター間共有帯域を定義することを示す図である。
【００７６】
図２２乃至図２４を参照すると、この第３の規則において、セクター専用帯域又はセクター共通帯域内にセクター間境界領域に位置したユーザーのための予備共有帯域を予め設定し、ユーザーがセクター間境界領域に進入する場合に、ＢＳは、その予備帯域を優先してセクター間共有帯域として定義し、これを割り当てる。この際に、セクター中心領域又はセル中心領域に位置したユーザーがこのセクター間共有帯域として定義される帯域を占有すると、ＢＳは、他の帯域をこのユーザーに割り当て、この帯域をこのセクター間境界領域に位置したユーザーに優先して割り当てる。好ましくは、この予備共有帯域は、セクター中心領域又はセル中心領域に位置したユーザーに割り当てられない。ここで、この予備共有帯域は、セクター間境界領域に位置したユーザーが使用する資源割当て順序の逆順に使用される。すなわち、この第３の規則に従って、ＢＳは、図２２に示すように、セクター専用帯域内にセクター間共有帯域を定義し、図２３に示すように、セクター共通帯域内にセクター間共有帯域を定義し、図２４に示すように、セクター専用帯域及びセクター共通帯域内にセクター間共有帯域を定義する。
【００７７】
図２５は、本発明の実施形態によるマルチセクター通信システムにおける全周波数資源を優先してセクター間共有帯域及びセクター共通帯域のみに分割し定義する方式を示す図である。
【００７８】
図２５を参照すると、マルチセクター通信システムにおけるＢＳは、上述した第４の定義方式に従って、全周波数資源を優先してセクター間共有帯域及びセクター共通帯域のみに分割して定義する。その後に、セル内の隣接セクターとの干渉の回避のために、周波数資源が１つのセクター間境界領域に隣接した２つのセクターで使用されないように、セクター間共有帯域として定義された周波数資源をセクター間境界領域に位置したユーザーに割り当てる。この際に、資源の再使用のために、対応するセクター間境界領域に隣接しないセクターでは、この周波数資源をセクター専用帯域又はセクター間共有帯域として定義する。
【００７９】
ＢＳは、セクター共通帯域として定義された周波数資源をＢＳに隣接したセル中心領域に位置したユーザーに割り当て、これにより、セル内のすべてのセクターアンテナ又は一部のセクターアンテナを協力して使用することにより同一の周波数帯域で信号を送受信する。これは、セル中心領域で移動するユーザーに頻繁なＤＣＡ又はセクター間ハンドオーバーを回避するようにする。このように、ＢＳは、セル内のユーザーの分布などに基づいてセクター間共有帯域及びセクター共通帯域のサイズを全周波数資源内で可変させる。この際に、ユーザーがセクター中心領域に進入する場合に、ＢＳは、必要なだけの周波数資源を、セクター間調整を介して所定の規則に従ってセクター間共有帯域又はセクター共通帯域内でセクター専用帯域として定義して使用する。
【００８０】
また、ＢＳは、１つのセクターのセクター専用帯域として定義された周波数資源を対応するセクターのセクター中心領域に位置したユーザーに割り当て、資源の再使用のために、この周波数資源を同一のセル内の他のセクターで対応するセクターのセクター専用帯域として定義し、対応するセクターのセクター中心領域に位置したユーザーに割り当てる。この際に、対応するセクターに隣接しないセクターでは、この周波数資源をセクター間共有帯域として定義して再使用してもよい。図２６乃至３４を参照して、ＢＳがセクター間共有帯域又はセクター共通帯域内にセクター専用帯域を定義する規則について説明する。
【００８１】
図２６乃至２８は、本発明の実施形態によるマルチセクター通信システムにおけるＢＳが第１の規則に従ってセクター間共有帯域又はセクター共通帯域内にセクター専用帯域を定義することを示す図である。
【００８２】
図２６乃至２８を参照すると、この第１の規則において、ユーザーが１つのセクターのセクター中心領域に進入する場合に、ＢＳは、予め定義された順序でセクター間共有帯域又はセクター共通帯域内にセクター専用帯域を順次に定義し、これを割り当てる。この際に、セクター間境界領域又はセル中心領域に位置したユーザーが対応するセクターのセクター専用帯域として定義される帯域を占有すると、ＢＳは、他の帯域をこのユーザーに割り当て、この帯域をこのセクター中心領域に位置したユーザーに優先して割り当てる。すなわち、この第１の規則に従って、ＢＳは、図２９に示すように、セクター間共有帯域内にセクター専用帯域を定義し、図３０に示すように、セクター共通帯域内にセクター専用帯域を定義し、図３１に示すように、セクター間共有帯域及びセクター共通帯域内にセクター専用帯域を定義する。
【００８３】
図２９乃至図３１は、本発明の実施形態によるマルチセクター通信システムにおけるＢＳが第２の規則に従ってセクター間共有帯域又はセクター共通帯域内にセクター専用帯域を定義することを示す図である。
【００８４】
図２９乃至図３１を参照すると、この第２の規則において、ユーザーが１つのセクターのセクター中心領域に進入する場合に、ＢＳは、セクター間共有帯域又はセクター共通帯域内の空き帯域をセクター専用帯域として定義し、これを割り当てる。すなわち、ＢＳは、この第２の規則に従って、図２９に示すように、セクター間共有帯域内にセクター専用帯域を定義し、図３０に示すように、セクター共通帯域内にセクター専用帯域を定義し、図３１に示すように、セクター間共有帯域及びセクター共通帯域内にセクター専用帯域を定義する。
【００８５】
図３２乃至図３４は、本発明の実施形態によるマルチセクター通信システムにおけるＢＳが第３の規則に従ってセクター間共有帯域又はセクター共通帯域内にセクター専用帯域を定義することを示す図である。
【００８６】
図３２乃至図３４を参照すると、この第３の規則において、ＢＳは、セクター間共有帯域又はセクター共通帯域内にセクター中心領域に位置したユーザーのための予備専用帯域を予め設定し、ユーザーがセクター中心領域に進入する場合に、この予備帯域を優先してセクター専用帯域として定義し、これを割り当てる。この際に、セクター間境界領域に位置したユーザー又はセル中心領域に位置したユーザーがこのセクター専用帯域として定義される帯域を占有すると、ＢＳは、他の帯域をこのユーザーに割り当て、この帯域をセクター中心領域に位置したユーザーに優先して割り当てる。好ましくは、この予備専用帯域は、セクター間境界領域に位置したユーザー又はセル中心領域に位置したユーザーに割り当てられない。ここで、この予備専用帯域は、セクター中心領域に位置したユーザーが使用する資源割当て順序の逆順に使用される。すなわち、この第３の規則に従って、ＢＳは、図３２に示すように、セクター間共有帯域内にセクター専用帯域を定義し、図３３に示すように、セクター共通帯域内にセクター専用帯域を定義し、図３４に示すように、セクター間共有帯域及びセクター共通帯域内にセクター専用帯域を定義する。
【００８７】
図３５乃至図３８は、本発明の実施形態によるマルチセクター通信システムにおける全周波数資源を優先してセクター専用帯域のみとして定義する方式を示す図である。
【００８８】
図３５を参照すると、マルチセクター通信システムにおけるＢＳは、上述した第５の定義方式に従って全周波数資源を優先してセクター専用帯域のみとして定義する。その後に、ＢＳは、セクター別セクター専用帯域として定義された周波数資源を対応するセクターのセクター中心領域に位置したユーザーに割り当て、資源の再使用のために、セクター別セクター専用帯域として定義された周波数資源を同一のセル内の他のセクターのセクター中心領域に位置したユーザーに割り当てる。この際に、ユーザーがセクター間境界領域に進入すると、ＢＳは、必要なだけの周波数資源を、セクター間調整を介して所定の規則に従ってセクター専用帯域内でセクター間共有帯域として定義して使用する。
【００８９】
また、ＢＳは、セル内の隣接セクターとの干渉の回避のために周波数資源が１つのセクター間境界領域に隣接したセクターで使用されないように、セクター間共有帯域として定義された周波数資源をセクター間境界領域に位置したユーザーに割り当てる。ここで、ＢＳは、資源の再使用のために、周波数資源をセクター間境界領域に隣接しないセクターでセクター専用帯域又はセクター間共有帯域として定義する。この際に、ユーザーがセル中心領域に進入すると、ＢＳは、必要なだけの周波数資源を、セクター間調整を介して所定の規則に従ってセクター専用帯域内でセクター共通帯域として定義して使用する。
【００９０】
また、ＢＳは、セクター共通帯域として定義された周波数資源をＢＳに隣接したセル中心領域に位置したユーザーに割り当て、これにより、セル内のすべてのセクターアンテナ又は一部のセクターアンテナを協力して使用することにより同一の周波数帯域で信号を送受信する。これは、セル中心領域で移動するユーザーに頻繁なＤＣＡ又はセクター間ハンドオーバーを回避するようにする。図３６乃至図３８を参照して、ＢＳがセクター専用帯域内にセクター間共有帯域及びセクター共通帯域を定義する規則について説明する。
【００９１】
図３６を参照すると、ユーザーがセクター間境界領域又はセル中心領域に進入する場合に、ＢＳは、セクター間調整を介して第１の規則に従って予め定義された順序でセクター専用帯域内にセクター間共有帯域又はセクター共通帯域を順次に定義し、これを割り当てる。この際に、このセル内のセクターのセクター中心領域に位置したユーザーがこのセクター間共有帯域又はセクター共通帯域として定義される帯域を占有すると、ＢＳは、他の帯域をセクターのセクター中心領域に位置した他のユーザーに割り当て、この帯域をこのセクター間境界領域又はセル中心領域に位置したユーザーに優先して割り当てる。
【００９２】
図３７を参照すると、ユーザーがセクター間境界領域又はセル中心領域に進入する場合に、ＢＳは、第２の規則に従ってセクター専用帯域内の空き帯域をセクター間共有帯域又はセクター共通帯域として定義し、これを割り当てる。この際に、ユーザーがセクター間境界領域に進入し、このセクター間境界領域に隣接した２つのセクターに対応するセクター専用帯域に共通の空き周波数資源がない場合、又はユーザーがセル中心領域に進入し、すべてのセクター専用帯域に共通の空き周波数資源がない場合には、ＢＳは、他の周波数帯域をこのセクター中心領域に位置したユーザーに割り当てることにより、このセクター間境界領域に隣接した２つのセクターに対応するセクター専用帯域に共通の空き帯域を作り、この帯域をこのセクター間共有帯域として定義し、これをセクター間境界領域に位置したユーザーに割り当てるか、すべてのセクターに共通の空き帯域を作り、この帯域をセクター共通帯域として定義し、これをセル中心領域に位置したユーザーに割り当てる。
【００９３】
図３８を参照すると、第３の規則において、ＢＳは、セクター専用帯域内にセクター間境界領域又はセル中心領域に位置したユーザーのための予備共有帯域又は予備共通帯域を予め設定し、ユーザーがセクター間境界領域又はセル中心領域に進入する場合に、この予備共有帯域をセクター間共有帯域又はセクター共通帯域として定義し、これを割り当てる。この際に、セクター間境界領域又はセル中心領域に位置したユーザーがセクター間共有帯域又はセクター共通帯域として定義される帯域を占有すると、ＢＳは、他の帯域をセル中心領域に位置したユーザーに割り当て、この帯域をセクター間境界領域又はセル中心領域に位置したユーザーに優先して割り当てる。ここで、ＢＳは、セル内のユーザーの分布などに基づいて予備共有帯域及び予備共通帯域のサイズを可変させる。好ましくは、この予備共有帯域及びこの予備共通帯域は、このセクター中心領域に位置したユーザーに割り当てられない。ここで、この予備共有帯域又はこの予備共通帯域は、セクター間境界領域又はセル中心領域に位置したユーザーが使用する資源割当て順序の逆順に使用される。
【００９４】
図３９乃至図４２は、本発明の実施形態によるマルチセクター通信システムにおける全周波数資源を優先してセクター間共有帯域のみとして定義する方式を示す図である。
【００９５】
図３９を参照すると、マルチセクター通信システムにおけるＢＳは、上述した第６の定義方式に従って全周波数資源を優先してセクター間共有帯域のみとして定義する。その後に、ＢＳは、隣接セクターとの干渉の回避のために、周波数資源が１つのセクター間境界領域に隣接したセル内の２つのセクターで使用されないように、セクター間共有帯域として定義された周波数資源をセクター間境界領域に位置したユーザーに割り当てる。ＢＳは、資源の再使用のために、周波数資源をセクター間境界領域に隣接しないセクターでセクター専用帯域又はセクター間共有帯域として定義する。この際に、ユーザーがセクター中心領域に進入すると、ＢＳは、必要なだけの周波数資源を、セクター間調整を介して所定の規則に従ってセクター間共有帯域内でセクター専用帯域として定義して使用する。
【００９６】
また、ＢＳは、１つのセクターのセクター専用帯域として定義された周波数資源を対応するセクターのセクター中心領域に位置したユーザーに割り当て、資源の再使用のために、この周波数資源を同一のセル内の他のセクターで対応するセクターのセクター専用帯域として定義し、対応するセクターのセクター中心領域に位置したユーザーに割り当てる。追加的な資源の再使用のために、ＢＳは、対応するセクターに隣接しないセクターでこの周波数資源をセクター間共有帯域として定義する。この際に、ユーザーがこのセル中心領域に進入する場合には、ＢＳは、必要なだけの周波数資源を、セクター間調整を介して所定の規則に従ってセクター専用帯域内でセクター共通帯域として定義して使用する。
【００９７】
また、ＢＳは、セクター共通帯域として定義された周波数資源をＢＳに隣接したセル中心領域に位置したユーザーに割り当て、これにより、セル内のすべてのセクターアンテナ又は一部のセクターアンテナを協力して使用することにより同一の周波数帯域で信号を送受信する。これは、セル中心領域で移動するユーザーに頻繁なＤＣＡ又はセクター間ハンドオーバーを回避するようにする。図４０乃至図４２を参照して、ＢＳがセクター間共有帯域内にセクター専用帯域及びセクター共通帯域を定義する規則について説明する。
【００９８】
図４０を参照すると、ユーザーがセクター中心領域又はセル中心領域に進入する場合に、ＢＳは、第１の規則に従って予め定義された順序でセクター間調整を介してセクター間共有帯域内にセクター専用帯域又はセクター共通帯域を順次に定義し、これを割り当てる。この際に、セクター間境界領域に位置したユーザーがこのセクター専用帯域又はこのセクター共通帯域として定義される帯域を占有すると、ＢＳは、他の帯域をこのユーザーに割り当て、この帯域をセクター中心領域又はセル中心領域に位置したユーザーに優先して割り当てる。
【００９９】
図４１を参照すると、ユーザーがセクター中心領域又はセル中心領域に進入する場合に、ＢＳは、第２の規則に従ってセクター間共有帯域内の空き帯域をセクター専用帯域又はセクター共通帯域として定義し、これを割り当てる。この際に、ユーザーがセル中心領域に進入し、すべてのセクター間共有帯域内に共通の空き帯域がない場合には、ＢＳは、他の周波数帯域を、セクター間調整を介してセクター間境界領域に位置したユーザーに割り当てることにより、すべてのセクター間共有帯域に共通の空き帯域を作り、この帯域をこのセクター共通帯域として定義し、これをセル中心領域に位置したユーザーに割り当てる。
【０１００】
図４２を参照すると、第３の規則において、ＢＳは、セクター間共有帯域内にセクター中心領域又はセル中心領域に位置したユーザーのための予備専用帯域又は予備共通帯域を予め設定し、ユーザーがセクター中心領域又はセル中心領域に進入する場合に、その予備帯域をセクター専用帯域又はセクター共通帯域として定義し、これを割り当てる。この際に、セクター間境界領域に位置したユーザーがセクター専用帯域又はセクター共通帯域として定義される帯域を占有すると、ＢＳは、他の帯域をセル間境界領域に位置したユーザーに割り当て、この帯域をセクター中心領域又はセル中心領域に位置したユーザーに優先して割り当てる。ここで、ＢＳは、セル内のユーザーの分布などに基づいて予備専用帯域及び予備共通帯域のサイズを可変させる。好ましくは、この予備専用帯域又はこの予備共通帯域は、セクター間境界領域に位置したユーザーに割り当てられない。ここで、この予備専用帯域又はこの予備共通帯域は、セクター中心領域又はセル中心領域に位置したユーザーが使用する資源割当て順序の逆順に使用される。
【０１０１】
図４３乃至図４６は、本発明の実施形態によるマルチセクター通信システムにおける全周波数資源を優先してセクター共通帯域のみとして定義する方式を示す図である。
【０１０２】
図４３を参照すると、マルチセクター通信システムにおけるＢＳは、上述した第７の定義方式に従って全周波数資源を優先してセクター共通帯域のみとして定義する。その後に、ＢＳは、セクター共通帯域として定義された周波数資源をＢＳに隣接したセル中心領域に位置したユーザーに割り当て、これにより、セル内のすべてのセクターアンテナ又は一部のセクターアンテナを協力して使用することにより同一の周波数帯域で信号を送受信する。これは、セル中心領域で移動するユーザーに頻繁なＤＣＡ又はセクター間ハンドオーバーを回避するようにする。この際に、ユーザーがこのセル中心領域に進入する場合には、ＢＳは、必要なだけの周波数資源を、セクター間調整を介して所定の規則に従ってセクター共通帯域内でセクター専用帯域として定義して使用する。
【０１０３】
また、ＢＳは、１つのセクターのセクター専用帯域として定義された周波数資源を対応するセクターのセクター中心領域に位置したユーザーに割り当て、資源の再使用のために、この周波数資源を同一のセル内の他のセクターで対応するセクターのセクター専用帯域として定義し、対応するセクターのセクター中心領域に位置したユーザーに割り当てる。追加的な資源の再使用のために、ＢＳは、対応するセクターに隣接しないセクターでこの周波数資源をセクター間共有帯域として定義する。この際に、ユーザーがセクター間境界領域に進入する場合には、ＢＳは、必要なだけの周波数資源を、セクター間調整を介して所定の規則に従ってセクター共通帯域内でセクター間共有帯域として定義して使用する。
【０１０４】
また、ＢＳは、隣接セクターとの干渉の回避のために、周波数資源が１つのセクター間境界領域に隣接したセル内の２つのセクターで使用されないように、セクター間共有帯域として定義された周波数資源をセクター間境界領域に位置したユーザーに割り当てる。ＢＳは、資源の再使用のために、周波数資源をセクター間境界領域に隣接しないセクターでセクター専用帯域又はセクター間共有帯域として定義する。ここで、ＢＳは、資源の再使用のために、対応するセクターに隣接しないセクターでは、この周波数資源をセクター間共有帯域として定義する。図４４乃至図４６を参照して、ＢＳがセクター共通帯域内にセクター専用帯域及びセクター間共有帯域を定義する規則について説明する。
【０１０５】
図４４を参照すると、ユーザーがセクター中心領域又はセクター間境界領域に進入する場合に、ＢＳは、第１の規則に従って予め定義された順序でセクター間調整を介してセクター共通帯域内にセクター専用帯域又はセクター間共有帯域を順次に定義し、これを割り当てる。この際に、ＢＳに隣接したセル中心領域に位置したユーザーがこのセクター専用帯域又はこのセクター間共有帯域として定義される帯域を占有すると、ＢＳは、他の帯域をこのユーザーに割り当て、この帯域をセクター中心領域又はセクター間境界領域に位置したユーザーに優先して割り当てる。
【０１０６】
図４５を参照すると、ユーザーがセクター中心領域又はセクター間境界領域に進入する場合に、ＢＳは、第２の規則に従ってセクター共通帯域内の空き帯域をセクター専用帯域又はセクター間共有帯域として定義し、これを割り当てる。この際に、ユーザーがセクター間境界領域に進入し、このセクター間境界領域に隣接した２つのセクターに対応するセクター共通帯域に共通の空き周波数資源がない場合に、ＢＳは、他の帯域を隣接した２つのセクターでセクター共通帯域内にセクター専用帯域を定義して使用しているユーザーに割り当て、このセクター間境界領域に隣接した２つのセクターに対応するセクター共通帯域に共通の空き帯域を作り、この帯域をこのセクター間境界領域のためのセクター間共有帯域として定義し、これをセクター間境界領域に位置したユーザーに割り当てる。
【０１０７】
図４６を参照すると、第３の規則において、ＢＳは、セクター共通帯域内にセクター中心領域又はセクター間境界領域に位置したユーザーのための予備専用帯域又は予備共有帯域を予め設定し、ユーザーがセクター中心領域又はセクター間境界領域に進入する場合に、その予備帯域をセクター専用帯域又はセクター間共有帯域として定義し、これを割り当てる。この際に、セル中心領域に位置したユーザーがセクター専用帯域又はセクター間共有帯域として定義される帯域を占有すると、ＢＳは、他の帯域をセクター中心領域に位置したユーザーに割り当て、セクター中心領域又はセクター間境界領域に位置したユーザーに優先して割り当てる。ここで、ＢＳは、セル内のユーザーの分布などに基づいて予備専用帯域及び予備共有帯域のサイズを可変させる。好ましくは、この予備専用帯域又はこの予備共有帯域は、セル中心領域に位置したユーザーに割り当てられない。ここで、この予備専用帯域又はこの予備共有帯域は、セクター中心領域又はセクター間境界領域に位置したユーザーが使用する資源割当て順序の逆順に使用される。
【０１０８】
図４７乃至図５０は、本発明の実施形態によるマルチセクター通信システムにおける全周波数資源をいかなる帯域としても定義しない方式を示す図である。
【０１０９】
図４７を参照すると、マルチセクター通信システムにおけるＢＳは、上述した第８の定義方式に従って全周波数資源をいかなる帯域としても定義しない。ユーザーがセクター中心領域に進入する場合に、ＢＳは、必要なだけの周波数資源を、セクター間調整を介して所定の規則に従って全周波数資源内でセクター専用帯域として定義して使用する。
【０１１０】
また、ＢＳは、１つのセクターのセクター専用帯域として定義された周波数資源を対応するセクターのセクター中心領域に位置したユーザーに割り当て、資源の再使用のために、この周波数資源を同一のセル内の他のセクターで対応するセクターのセクター専用帯域として定義し、対応するセクターのセクター中心領域に位置したユーザーに割り当てる。追加的な資源の再使用のために、ＢＳは、対応するセクターに隣接しないセクターでこの周波数資源をセクター間共有帯域として定義する。この際に、ユーザーがセクター間境界領域に進入する場合には、ＢＳは、必要なだけの周波数資源を、セクター間調整を介して所定の規則に従って全周波数資源内でセクター間共有帯域として定義して使用する。
【０１１１】
また、ＢＳは、隣接セクターとの干渉の回避のために周波数資源が１つのセクター間境界領域に隣接したセル内の２つのセクターで使用されないように、セクター間共有帯域として定義された周波数資源をセクター間境界領域に位置したユーザーに割り当てる。ＢＳは、資源の再使用のために、周波数資源をセクター間境界領域に隣接しないセクターでセクター専用帯域又はセクター間共有帯域として定義する。この際に、ユーザーがこのセル中心領域に進入する場合には、ＢＳは、必要なだけの周波数資源を、セクター間調整を介して所定の規則に従って全周波数資源内でセクター共通帯域として定義して使用する。
【０１１２】
さらに、ＢＳは、セクター共通帯域として定義された周波数資源をＢＳに隣接したセル中心領域に位置したユーザーに割り当て、これにより、セル内のすべてのセクターアンテナ又は一部のセクターアンテナを協力して使用することにより同一の周波数帯域で信号を送受信する。これは、セル中心領域で移動するユーザーに頻繁なＤＣＡ又はセクター間ハンドオーバーを回避するようにする。図４８乃至図５０を参照して、ＢＳが全周波数資源内でセクター専用帯域、セクター間共有帯域、及びセクター共通帯域を定義する規則について説明する。
【０１１３】
図４８を参照すると、ユーザーがセクター中心領域、セクター間境界領域、又はセル中心領域に進入する場合に、ＢＳは、第１の規則に従って予め定義された順序でセクター間調整を介して全周波数資源内にセクター専用帯域、セクター間共有帯域、及びセクター共通帯域を順次に定義し、これを割り当てる。
【０１１４】
図４９を参照すると、ユーザーがセクター中心領域、セクター間境界領域、及びセル中心領域に進入する場合に、ＢＳは、第２の規則に従って全周波数資源内の空き帯域をセクター専用帯域、セクター間共有帯域、及びセクター共通帯域として定義し、これを割り当てる。この際に、ユーザーがセクター間境界領域に進入し、このセクター間境界領域に隣接した２つのセクターに共通の空き周波数資源がない場合、又は、ユーザーがセル中心領域に進入し、すべてのセクターに共通の空き周波数資源がない場合には、ＢＳは、他の周波数帯域をこのセクター中心領域に位置したユーザーに割り当て、このセクター間境界領域に隣接した２つのセクターに共通の空き帯域を作り、この帯域をこのセクター間共有帯域として定義し、これをセクター間境界領域に位置したユーザーに割り当てるか、又は、すべてのセクターに共通の空き帯域を作り、この帯域をセクター共通帯域として定義し、これをセル中心領域に位置したユーザーに割り当てる。
【０１１５】
図５０を参照すると、ＢＳは、全周波数資源内にセクター中心領域、セクター間境界領域、又はセル中心領域に位置したユーザーのための予備専用帯域、予備共有帯域、又は予備共通帯域を予め設定し、ユーザーがセクター中心領域、セクター間境界領域、又はセル中心領域に進入する場合に、この予備帯域をセクター専用帯域、セクター間共有帯域、又はセクター共通帯域として定義し、これを割り当てる。この際に、他の領域に位置したユーザーが１つの領域の帯域として定義される帯域を占有すると、ＢＳは、他の帯域を他の領域に位置したユーザーに割り当て、この帯域を対応する領域に位置したユーザーに優先して割り当てる。この際に、ＢＳは、セル内のユーザーの分布などに基づいて予備専用帯域、予備共有帯域、及び予備共通帯域のサイズを可変させてもよい。好ましくは、対応する領域でない予備帯域は、他の領域に位置したユーザーに割り当てられない。ここで、他の帯域の予備帯域は、関連領域に位置したユーザーが使用する資源割当て順序の逆順に使用される。図５１乃至図５３を参照して、本発明の実施形態による通信システムにおいて、上述したように、使用可能な全周波数資源を分割することにより定義されたセクター間共有帯域を使用する方式、すなわち、この全周波数帯域内でセクター間境界領域に位置したユーザーに割り当てるように分割されるか又は定義されたセクター間共有帯域の周波数資源を介して信号を送受信する方式について説明する。
【０１１６】
図５１乃至図５３は、本発明の実施形態によるマルチセクター通信システムにおけるセクター間共有帯域を使用する方式を示す図である。図５１乃至図５３は、マルチセクター通信システムにおいて、上述したように、３つの送受信方式に従って全周波数帯域内でセクター間境界領域に位置したユーザーに割り当てられるように定義されたセクター間共有帯域の周波数資源を使用して信号を送受信する方式を示す図である。
【０１１７】
図５１を参照すると、マルチセクター通信システムは、上述した第１の送受信方式に従って最も隣接した１つのセクターアンテナのみを使用して信号を送受信する。すなわち、セクター間境界領域に位置し、セクター間共有帯域の周波数資源の割当てを受けたユーザーが最も隣接した１つのセクターアンテナのみに接続することにより、信号を送受信する。この際に、再使用のために、マルチセクター通信システムは、隣接した２つのセクター間境界領域で使用されないセクター別セクター間共有帯域をセクター専用帯域又はセクター間共有帯域として定義する。ここで、セクターアンテナビームパターンのエッジであるセクター間境界領域において、アンテナ利得の減少は、信号品質の低下となり得る。
【０１１８】
より具体的に、第１のユーザー及び第２のユーザーがすべて第１のセクター間境界領域に位置するが、最も隣接したセクターアンテナが異なり、第１のユーザーは、第１のセクターアンテナに接続され、第２のユーザーは、第２のセクターアンテナに接続される。第３のユーザーは、第２のセクター間境界領域に位置し、第２のセクターアンテナに最も隣接する。したがって、第３のユーザーは、第２のセクターアンテナに接続される。この際に、第３のセクターアンテナは、第１のユーザーと信号を送受信するように第１のセクターアンテナに使用された周波数帯域と第２のユーザーと信号を送受信するように第２のセクターアンテナに使用された周波数帯域とをセクター専用帯域として第３のセクター中心領域に位置したユーザーに割り当てる。また、第１のセクターアンテナは、第３のユーザーと信号を送受信するように第３のセクターアンテナに使用された周波数帯域をセクター専用帯域として第１のセクター中心領域に位置したユーザーに割り当てる。
【０１１９】
図５２を参照すると、マルチセクター通信システムは、上述した第２の送受信方式に従って最も隣接した２つのセクターアンテナを協力して使用することにより同一の周波数帯域で信号を送受信する。すなわち、セクター間境界領域に位置し、セクター間共有帯域の周波数資源の割当てを受けたユーザーが最も隣接した２つのセクターアンテナを協力して使用することにより信号を送受信する。この際に、再使用のために、マルチセクター通信システムは、隣接した２つのセクター間境界領域で使用されないセクター別セクター間共有帯域をセクター専用帯域又はセクター間共有帯域として定義する。また、セクターアンテナビームパターンのエッジであるセクター間境界領域に位置したユーザーが最も隣接した２つのセクターアンテナを協力して使用することにより同一の周波数帯域で信号を送受信するため、セクター間境界領域でのアンテナ利得の減少による信号品質の低下を防止することができる。
【０１２０】
ここで、２つのセクターアンテナがユーザーと信号を送受信する方式は、最も隣接した２つのセクターアンテナが同一の周波数帯域で同一の信号をセクター間境界領域に位置し、セクター間共有帯域の周波数資源の割当てを受けたユーザーに送信する２-１送受信方式と、最も隣接した２つのセクターアンテナが同一の周波数帯域で同一の情報をセクター間境界領域に位置し、セクター間共有帯域の周波数資源の割当てを受けたユーザーに送信する２-２送受信方式と、最も隣接した２つのセクターアンテナが同一の周波数帯域で相互に異なる情報をセクター間境界領域に位置し、セクター間共有帯域の周波数資源の割当てを受けたユーザーに送信する２-３送受信方式と、を含む。この際に、２つのセクターアンテナが信号を送信する方式は、空間分割多重接続（Spatial Division Multiple Access：以下、“ＳＤＭＡ”と称する）及び空間時間コード（Space Time Code：以下、“ＳＴＣ”と称する）などに様々に適用されることができる。
【０１２１】
より具体的に、第１のユーザー及び第２のユーザーがすべて第１のセクター間境界領域に位置するので、最も隣接した２つのセクターアンテナ、すなわち、第１のセクターアンテナ及び第２のセクターアンテナに接続することにより同一の周波数帯域で信号を協力して送受信する。第３のユーザーが第２のセクター間境界領域に位置するので、最も隣接した第２及び第３のセクターアンテナに接続することにより同一の周波数帯域で信号を協力して送受信する。この際に、第３のセクターアンテナは、第１のセクター及び第２のセクターアンテナが第１のユーザー及び第２のユーザーと送受信する周波数帯域を第３のセクター中心領域に位置したユーザーにセクター専用帯域として割り当てることができるようにする。また、第１のセクターアンテナは、第２のセクター及び第３のセクターアンテナが第３のユーザーと信号を送受信する周波数帯域を第１のセクター中心領域に位置したユーザーにセクター専用帯域として割り当てることができるようにする。
【０１２２】
図５３を参照すると、マルチセクター通信システムは、上述した第３の送受信方式に従って１つのセル内のすべてのセクターアンテナ又は一部のセクターアンテナを協力して使用することにより同一の周波数帯域で信号を送受信する。この際に、セクター間境界領域に位置し、セクター間共有帯域の周波数資源の割当てを受けたユーザーが１つのセル内のすべてのセクターアンテナ又は一部のセクターアンテナを協力して使用することにより同一の周波数帯域で信号を送受信する。ここで、１つのセル内のすべてのセクターアンテナ又は一部のセクターアンテナが同一の周波数帯域でセクター間境界領域に位置したユーザーと協力して信号を送受信するため、追加的な電力消費が発生し、セクター間共有帯域の周波数資源の使用効率が低下することがある。しかしながら、ユーザーがセクター間境界領域又はセル中心領域から隣接セクターに移動する場合に、安定したセクター間ハンドオーバーを実行することができる。
【０１２３】
ここで、すべてのセクターアンテナ又は一部のセクターアンテナがユーザーと信号を送受信する方式は、すべてのセクターアンテナ又は一部のセクターアンテナが同一の周波数帯域で同一の信号をセクター間境界領域に位置し、セクター間共有帯域の周波数資源の割当てを受けたユーザーに送信する３-１送受信方式と、すべてのセクターアンテナ又は一部のセクターアンテナが同一の周波数帯域で同一の情報をセクター間境界領域に位置し、セクター間共有帯域の周波数資源の割当てを受けたユーザーに送信する３-２送受信方式と、すべてのセクターアンテナ又は一部のセクターアンテナが同一の周波数帯域で相互に異なる情報をセクター間境界領域に位置し、セクター間共有帯域の周波数資源の割当てを受けたユーザーに送信する３-３送受信方式と、を含む。これは、ＳＤＭＡ及びＳＴＣに様々に適用可能である。
【０１２４】
すなわち、第１のユーザー、第２のユーザー、及び第３のユーザーのすべてがセクター間境界領域に位置するので、すべてのセクターアンテナと同時に接続し、同一の周波数帯域で協力して信号を送受信する。添付の図面を参照して、本発明の実施形態によるマルチセクター通信システムにおいて、上述したように使用可能な全周波数資源を分割することにより定義されたセクター間共有帯域を使用する方式、すなわち、全周波数帯域内でセクター間境界領域に位置したユーザーに割り当てられるように定義されたセクター間共有帯域の周波数資源を使用する方式について説明する。
【０１２５】
図５４乃至図５６は、本発明の実施形態によるマルチセクター通信システムにおける３-セクターセルでセクター間共有帯域を使用する方式を示す図である。
【０１２６】
図５４を参照すると、マルチセクター通信システムは、上述した第１の使用方式に従ってセクター間境界領域がセクター間共有帯域の周波数資源を共有する。また、セクター間干渉を回避するために、隣接セクターで使用されているセクター間共有帯域の周波数資源を使用しない。この際に、この周波数資源は、隣接しないセクターのセクター専用帯域又はセクター間共有帯域として再使用されてもよい。ここで、マルチセクター通信システムは、セル内のユーザーの分布などに基づいてセクター間共有帯域のサイズを全周波数資源内で可変させる。
【０１２７】
より具体的に、セクター間境界領域に位置し、セクター間共有帯域の周波数資源の割当てを受けたユーザーが最も隣接した２つのセクターアンテナを協力して使用することにより同一の周波数帯域で信号を送受信する方式でセクター間境界領域がセクター間共有帯域の周波数資源を共有する。
【０１２８】
図５５を参照すると、マルチセクター通信システムは、上述した第２の使用方式に従ってセクター間共有帯域をセクター間境界領域が分割して使用する。この際に、マルチセクター通信システムは、各セクター間境界領域でセクター間共有帯域内にセクター間境界領域の相互間に直交するように定義された境界領域専用周波数帯域を定義し、各セクター間境界領域で相互に直交する周波数資源を割り当てる。ここで、マルチセクター通信システムは、セル内のユーザーの分布などに基づいてセクター専用帯域及びセクター間共有帯域のサイズを全周波数資源内で可変させる。
【０１２９】
図５６を参照すると、マルチセクター通信システムは、上述した第２の使用方式に従って３-セクターセルでセクターの数だけ相互に直交するようにセクター間共有帯域を分割し、専用共有帯域を各セクター間境界領域に割り当てる。ここで、マルチセクター通信システムは、セクター間境界領域のユーザーの分布などに基づいてセクター間境界領域の専用共有帯域のサイズを可変させる。また、３-セクターセルにおいて、セクター間共有帯域は、セクター間境界領域で分割され使用され、セクター間境界領域に位置したユーザーは、最も隣接した２つのセクターアンテナを協力して使用することにより同一の周波数帯域で信号を送受信する。この際に、各セクターでセクター間干渉を回避するために、使用されないセクター間共有帯域の周波数資源は、セクター専用帯域として再使用されてもよい。
【０１３０】
図５７乃至図５８は、本発明の実施形態によるマルチセクター通信システムにおける４-セクターセルでセクター間共有帯域を使用する方式を示す図である。
【０１３１】
図５７を参照すると、マルチセクター通信システムは、上述した第２の使用方式に従って４-セクターセルでセクターの数だけ相互に直交するようにセクター間共有帯域を分割し、専用共有帯域を各セクター間境界領域に割り当てる。ここで、マルチセクター通信システムは、セクター間境界領域のユーザーの分布などに基づいてセクター間境界領域の専用共有帯域のサイズを可変させる。この際に、マルチセクター通信システムは、セクター間共有帯域の周波数資源を隣接しないセクター間境界領域で再使用することができるようにする。また、マルチセクター通信システムは、再使用のために、隣接した２つのセクター間境界領域で使用されないセクター間共有帯域をセクター専用帯域として定義する。
【０１３２】
図５８を参照すると、マルチセクター通信システムは、上述した第２の使用方式に従って４-セクターセルでセクター間共有帯域を相互に直交するように２つの帯域に分割し、これを各セクター間境界領域の専用共有帯域として割り当てる。この際に、セル内の隣接セクターとの干渉を回避するために、セクター間境界領域に割り当てられたセクター間共有帯域の周波数資源を対応するセクター間境界領域に隣接したセクターでは使用しない。この際に、マルチセクター通信システムは、隣接しないセクター間境界領域でセクター間共有帯域の周波数資源を再使用することができるようにする。
【０１３３】
図５９乃至図６１は、本発明の実施形態によるマルチセクター通信システムにおける６-セクターセルでセクター間共有帯域を使用する方式を示す図である。
【０１３４】
図５９を参照すると、マルチセクター通信システムは、上述した第２の使用方式に従って６-セクターセルでセクターの数だけ相互に直交するようにセクター間共有帯域を分割し、専用共有帯域を各セクター間境界領域に割り当てる。ここで、マルチセクター通信システムは、セクター間境界領域のユーザーの分布などに基づいてセクター間境界領域の専用共有帯域のサイズを可変させる。この際に、マルチセクター通信システムは、セクター間共有帯域の周波数資源を隣接しないセクター間境界領域で再使用することができるようにする。また、マルチセクター通信システムは、再使用のために、隣接した２つのセクター間境界領域で使用されないセクター間共有帯域をセクター専用帯域として定義する。
【０１３５】
図６０を参照すると、マルチセクター通信システムは、上述した第２の使用方式に従って６-セクターセルでセクター間共有帯域を相互に直交するように３つの帯域に分割し、これを各セクター間境界領域の専用共有帯域として割り当てる。この際に、セル内の隣接セクターとの干渉を回避するために、セクター間境界領域に割り当てられたセクター間共有帯域の周波数資源を対応するセクター間境界領域に隣接したセクターでは使用しない。この際に、マルチセクター通信システムは、隣接しないセクター間境界領域でセクター間共有帯域の周波数資源を再使用することができるようにする。また、マルチセクター通信システムは、再使用のために、隣接した２つのセクター間境界領域で使用されないセクター間共有帯域をセクター専用帯域として定義する。
【０１３６】
図６１を参照すると、マルチセクター通信システムは、上述した第２の使用方式に従って６-セクターセルでセクター間共有帯域を相互に直交するように２つの帯域に分割し、これを各セクター間境界領域の専用共有帯域として割り当てる。この際に、セル内の隣接セクターとの干渉を回避するために、セクター間境界領域に割り当てられたセクター間共有帯域の周波数資源を対応するセクター間境界領域に隣接したセクターでは使用しない。この際に、マルチセクター通信システムは、隣接しないセクター間境界領域でセクター間共有帯域の周波数資源を再使用することができるようにする。
【０１３７】
図６２及び６３は、本発明の実施形態によるマルチセクター通信システムにおける３-セクターセルでセクター間共有帯域を使用する方式を示す図である。
【０１３８】
図６２を参照すると、マルチセクター通信システムは、上述した第２の使用方式に従って３-セクターセルで各セクター間境界領域において専用帯域に相互に直交するようにセクター間共有帯域の周波数資源を分割して使用する方式を介して周波数資源を使用する。この際に、このセクター間共有帯域は、ユーザーに最も隣接した２つのセクターアンテナを協力して使用することにより同一の周波数帯域で信号を送受信する方式を介してセクター間境界領域に位置し、セクター間共有帯域の周波数資源の割当てを受けたユーザーにより共有される。
【０１３９】
図６３を参照すると、マルチセクター通信システムは、上述した第２の使用方式に従って３-セクターセルでセクター間共有帯域の周波数資源を分割し、これを可変的に使用する。すなわち、マルチセクター通信システムは、各セクター間境界領域に位置したユーザーの分布に基づいて各セクター間境界領域内に定義された専用帯域のサイズを可変させる。添付の図面を参照して本発明の実施形態によるマルチセクター通信システムにおいてＤＣＡを実行する例について具体的に説明する。
【０１４０】
まず、本発明の実施形態によるマルチセクター通信システムは、ＤＣＡのための情報、すなわち、パラメーターを使用する。
【０１４１】
：セクター間境界領域及びセクター中心領域の位置を識別するのに使用されるパラメーター
【０１４２】
：セル中心領域及びセル中心外領域の位置を識別するのに使用されるパラメーター
【０１４３】
このようなＤＣＡのための情報を取得した後に、マルチセクター通信システムは、ＤＣＡを実行する。より具体的に説明すると、マルチセクター通信システムがセクター間共有帯域とセクター専用帯域間のＤＣＡのための情報を取得する場合に、取得された情報に基づいてＤＣＡを実行する。
【０１４４】
例えば、ダウンリンク（DownLink：以下、“ＤＬ”と称する）において、ユーザーのＭＳは、セル中心領域に位置したセクターのＢＳからの信号を同時に受信する。この際に、この信号は、設計されたアンテナビームパターンに従ってユーザーの位置により受信される信号強度が異なる。まず、ＢＳは、初期化の際に、もっとも大きい強度を有する２つの信号間の電力比を測定し、これを境界値と比較する。この測定値がこの境界値より小さい場合には、ユーザーの位置がセクター間境界領域であると判定する。この測定値がこの境界値より大きい場合には、ユーザーの位置がセクター中心領域であると判定する。その後に、ＭＳは、周期的に最も大きく受信される２つのセクターアンテナからの信号強度を測定し比較することにより、ユーザーの位置がどのセクターの中心領域であるか又はどのセクター間境界領域であるかを判定する。ここで、例えば、パイロット信号は、各セクターアンテナから送信された信号の強度を測定するのに使用される。
【０１４５】
次いで、ＭＳは、最も大きく受信した２つの信号間の電力比をＢＳに送信する。この電力比に基づいて、ＢＳは、ユーザーの位置がどのセクターの中心領域であるか又はどのセクター間境界領域であるか、ＤＣＡが必要とされるか、どのセクターアンテナがデータの送受信のために使用されるかを決定し、これに対応する資源割当て及びシステム動作を実行する。
【０１４６】
また、アップリンク（UpLink：以下、“ＵＬ”と称する）において、ユーザーのＭＳからの信号は、セル中心領域に位置したＢＳのすべてのセクターアンテナにより同時に受信される。この際に、ＢＳは、ＭＳからの信号を最も大きく受信する２つのセクターアンテナからの信号を測定し、この信号を境界値と比較することによりユーザーの位置がどのセクターの中心領域であるか又はどのセクター間境界領域であるかを判定する。その後に、ＢＳは、ＭＳから最も大きく受信する２つのセクターアンテナの信号を測定し、この信号を境界値と比較することにより、ユーザーの位置がどのセクターの中心領域であるか又はどのセクター間境界領域であるか、ＤＣＡが必要とされるか、どのセクターアンテナがデータの送受信のために使用されるかを決定し、これに対応する資源割当て及びシステム動作を実行する。
【０１４７】
セクター共通帯域と他の帯域間のＤＣＡのための情報が取得されると、マルチセクター通信システムは、この取得された情報に基づいてＤＣＡを実行する。すなわち、全周波数資源内にセクター共通帯域を定義する通信システムの場合に、セクター共通帯域とセクター間共有帯域又はセクター専用帯域間のＤＣＡのための情報の取得が必要である。上述したように、セクター間共有帯域とセクター専用帯域間のＤＣＡのための情報は、ユーザーの位置を決定するのに使用される。ＤＣＡが実行されると、ＭＳは、干渉信号を除外した自身の信号のＳＩＮＲを測定し、この測定されたＳＩＮＲを中心基準値と比較する。この測定値が中心基準値より小さい場合には、ユーザーの位置がセル中心外領域であると判定し、この測定値が中心基準値より大きい場合には、ユーザーの位置がセル中心領域であると判定する。この際に、ＭＳは、周期的にＳＩＮＲを測定し比較することにより、ユーザーの位置がセル中心領域であるか又はセル中心外領域であるかを判定する。
【０１４８】
次いで、ＭＳは、ＳＩＮＲをＢＳに送信する。ＳＩＮＲを受信すると、ＢＳは、ユーザーがセル中心領域に位置するか又はセル中心外領域に位置するか、ＤＣＡが必要とされるか、どのセクターアンテナがデータの送受信のために使用されるかを決定し、これに対応する資源割当て及びシステム動作を実行する。
【０１４９】
また、本発明の実施形態によるマルチセクター通信システムは、上述したように定義された周波数帯域を含む全周波数資源を効率的に使用するために、ユーザーの移動性によるユーザーの位置及び干渉程度に従ってセクター内のユーザーにセクター専用帯域、セクター間共有帯域、及びセクター共通帯域を動的に割り当てるようにＤＣＡを実行する。説明の便宜のために、本発明の実施形態によるマルチセクター通信システムが３-セクターセルでユーザーの移動性によるＤＣＡを実行すると仮定する。本発明の実施形態が３-セクターセルでのＤＣＡを説明するが、本発明は、４-セクターセル及び６-セクターセルを含むマルチセクターセルでのＤＣＡにも適用可能である。
【０１５０】
また、本発明の実施形態において、セクター間共有帯域の共有方式、例えば、セクター間境界領域に位置し、セクター間共有帯域の周波数資源の割当てを受けたユーザーが最も隣接した２つのセクターアンテナを協力して使用することにより同一の周波数帯域で信号を送受信する方式について説明する。ここで、本発明の実施形態によるマルチセクター通信システムは、既存の周波数帯域とは異なる周波数帯域へのＤＣＡの実行の際にユーザーに割り当てられ使用された周波数資源をすべてのセクターで初期に設定された帯域として完全に返還する第１のＤＣＡ方式と、ユーザーに割り当てられ使用された周波数資源を一部のセクターのみで初期に設定された帯域として部分的に返還する第２のＤＣＡ方式とを用いてＤＣＡを実行する。ユーザーがセクター間境界領域からセクター中心領域に移動する場合のＤＣＡの実行について説明する。
【０１５１】
図６４及び図６５は、本発明の実施形態によるマルチセクター通信システムにおけるユーザーがセクター間境界領域からセクター中心領域に移動する場合のＤＣＡ実行を示す図である。図６４及び図６５において、マルチセクター通信システムは、セクター間共有帯域を使用しているユーザーにセクター専用帯域を割り当て、セクター間共有帯域を返還する。
【０１５２】
図６４を参照すると、マルチセクター通信システムは、第１のＤＣＡ方式に従ってユーザーが使用したセクター間共有帯域の周波数資源をすべてのセクターでセクター間共有帯域として完全に返還する。すなわち、ユーザーが第１のセクター間境界領域から第１のセクター中心領域に移動するので、ユーザーは、前のセクター間共有帯域を返還し、第１のセクターのセクター専用帯域の割当てを受ける。この際に、セクター間共有帯域と同一の周波数帯域を第３のセクターのセクター専用帯域として割り当てられたユーザーは、この帯域を返還し、第３のセクターのセクター専用帯域の割当てを受ける。
【０１５３】
図６５を参照すると、マルチセクター通信システムは、第２のＤＣＡ方式に従ってユーザーが接続した２つの隣接セクターのみでユーザーが使用したセクター間共有帯域の周波数資源をセクター間共有帯域として部分的に返還する。すなわち、ユーザーが第１のセクター間境界領域から第１のセクター中心領域に移動するので、ユーザーは、前のセクター間共有帯域を返還し、第１のセクターのセクター専用帯域の割当てを受ける。この際に、セクター間共有帯域と同一の周波数帯域を第３のセクターのセクター専用帯域として割り当てられたユーザーは、使用している帯域を返還せずそのまま使用する。
【０１５４】
したがって、ユーザーがセクター間境界領域からセクター中心領域に移動する場合に、マルチセクター通信システムは、ＤＣＡ手続きを即座に実行することにより、セクター専用帯域をユーザーに割り当て、使用中のセクター間共有帯域を返還する。あるいは、現在のセクター間共有帯域の周波数資源をそのまま使用する間に、ユーザーが所定時間の間にセクター中心領域に滞在しているか、又はセクター間共有帯域の周波数資源が不足すると、マルチセクター通信システムは、ＤＣＡ手続きを実行することによりセクター専用帯域をユーザーに割り当て、使用中のセクター間共有帯域を返還する。
【０１５５】
図６６乃至図６９は、本発明の実施形態によるマルチセクター通信システムにおけるユーザーがセクター間境界領域からセクター中心領域に移動する場合のＤＣＡ実行を示す図である。図６６乃至図６９において、マルチセクター通信システムは、セクター共通帯域内にセクター専用帯域を定義し、これを、セクター間共有帯域を使用しているユーザーに割り当て、セクター間共有帯域を返還する。
【０１５６】
図６６を参照すると、マルチセクター通信システムは、第１のＤＣＡ方式に従ってユーザーに割り当てられたセクター共通帯域内に定義されたセクター専用帯域の周波数資源を他のセクターでセクター専用帯域として再使用されるようにする。すなわち、ユーザーが使用したセクター間共有帯域の周波数資源は、すべてのセクターでセクター間共有帯域として完全に返還される。
【０１５７】
図６７を参照すると、マルチセクター通信システムは、第２のＤＣＡ方式に従ってユーザーに割り当てられたセクター共通帯域内に定義されたセクター専用帯域の周波数資源を他のセクターでセクター専用帯域として再使用されるようにする。すなわち、ユーザーが使用したセクター間共有帯域の周波数資源は、ユーザーが接続した２つの隣接セクターのみでセクター間共有帯域として部分的に返還される。
【０１５８】
図６８を参照すると、マルチセクター通信システムは、第１のＤＣＡ方式に従ってユーザーに割り当てられたセクター共通帯域内に定義されたセクター専用帯域の周波数資源をユーザーが位置したセクターに隣接しないセクター間境界領域のためのセクター間共有帯域として再使用することができるようにする。すなわち、セクター間共有帯域の周波数資源は、すべてのセクターでセクター間共有帯域として完全に返還される。
【０１５９】
図６９を参照すると、マルチセクター通信システムは、第２のＤＣＡ方式に従ってユーザーに割り当てられたセクター共通帯域内に定義されたセクター専用帯域の周波数資源をユーザーが位置したセクターに隣接しないセクター間境界領域のためのセクター間共有帯域として再使用することができるようにする。すなわち、セクター間共有帯域の周波数資源は、ユーザーが接続した２つの隣接セクターのみでセクター間共有帯域として部分的に返還される。
【０１６０】
したがって、ユーザーがセクター間境界領域からセクター中心領域に移動する場合に、マルチセクター通信システムは、ＤＣＡ手続きを即座に実行することにより、セクター共通帯域内にセクター専用帯域を定義し、これをユーザーに割り当て、使用中のセクター間共有帯域を返還する。あるいは、現在のセクター間共有帯域の周波数資源をそのまま使用する間に、ユーザーが所定時間の間にセクター中心領域に滞在しているか、又はセクター間共有帯域の周波数資源が不足すると、マルチセクター通信システムは、ＤＣＡ手続きを実行することによりセクター共通帯域内にセクター専用帯域を定義し、これをユーザーに割り当て、使用中のセクター間共有帯域を返還する。
【０１６１】
図７０及び図７１は、本発明の実施形態によるマルチセクター通信システムにおけるユーザーがセクター間境界領域からセクター中心領域に移動する場合のＤＣＡ実行を示す図である。図７０及び図７１において、マルチセクター通信システムは、セクター共通帯域内に定義されたセクター間共有帯域を使用しているユーザーにセクター専用帯域を割り当て、セクター共通帯域内にセクター間共有帯域として定義された周波数資源をセクター共通帯域として返還する。
【０１６２】
図７０を参照すると、マルチセクター通信システムは、第１のＤＣＡ方式に従ってユーザーが使用したセクター共通帯域内に定義されたセクター間共有帯域の周波数資源をすべてのセクターでセクター共通帯域として完全に返還する。
【０１６３】
図７１を参照すると、マルチセクター通信システムは、第２のＤＣＡ方式に従ってユーザーが使用したセクター共通帯域内に定義されたセクター間共有帯域の周波数資源をユーザーが接続した２つの隣接セクターのみでセクター共通帯域として部分的に返還する。
【０１６４】
したがって、ユーザーがセクター間境界領域からセクター中心領域に移動する場合に、マルチセクター通信システムは、ＤＣＡ手続きを即座に実行することにより、セクター専用帯域をユーザーに割り当て、使用中のセクター共通帯域内に定義されたセクター間共有帯域を返還する。あるいは、現在使用されているセクター共通帯域内に定義されたセクター間共有帯域の周波数資源をそのまま保持する間に、ユーザーが所定時間の間にセクター中心領域に滞在しているか、又はセクター共通帯域の周波数資源が不足すると、マルチセクター通信システムは、ＤＣＡ手続きを実行することによりセクター専用帯域をユーザーに割り当て、使用中のセクター共通帯域内に定義されたセクター間共有帯域を返還する。
【０１６５】
図７２及び図７３は、本発明の実施形態によるマルチセクター通信システムにおけるユーザーがセクター間境界領域からセクター中心領域に移動する場合のＤＣＡ実行を示す図である。図７２及び図７３において、マルチセクター通信システムは、セクター専用帯域内に定義されたセクター間共有帯域を使用しているユーザーにセクター専用帯域を割り当てる。
【０１６６】
図７２を参照すると、マルチセクター通信システムは、現在ユーザーが使用しているセクター専用帯域内に定義されたセクター間共有帯域の周波数資源をセクター専用帯域として定義し、これにより、ユーザーがこれを継続して使用するようにする。したがって、ユーザーがセクター間境界領域からセクター中心領域に移動する場合に、マルチセクター通信システムは、ＤＣＡ手続きを即座に実行することにより、セクター専用帯域内に定義されたセクター間共有帯域をユーザーが位置したセクターでセクター専用帯域として再定義し、これにより、ユーザーが継続して周波数資源を使用するようにする。あるいは、現在使用されているセクター間共有帯域の周波数資源をそのまま保持する間に、ユーザーが所定時間の間にセクター中心領域に滞在しているか、又はセクター専用帯域の周波数資源が不足すると、マルチセクター通信システムは、ＤＣＡ手続きを実行することにより、セクター専用帯域内に定義されたセクター間共有帯域をユーザーが位置したセクターでセクター専用帯域として再定義し、これにより、ユーザーが継続して周波数資源を使用するようにする。
【０１６７】
図７３を参照すると、マルチセクター通信システムは、現在ユーザーが使用しているセクター専用帯域内に定義されたセクター間共有帯域の周波数資源とは異なる周波数資源をセクター専用帯域として定義し、これにより、ユーザーがこれを使用できるようにする。この場合に、使用中である周波数資源を第１のＤＣＡ方式に従ってセクター専用帯域として完全に返還するか、又は第２のＤＣＡ方式に従ってセクター専用帯域として部分的に返還する。したがって、ユーザーがセクター間境界領域からセクター中心領域に移動する場合に、マルチセクター通信システムは、ＤＣＡ手続きを即座に実行することにより、ユーザーが位置したセクターでセクター専用帯域内の空き周波数資源をユーザーに割り当て、セクター専用帯域内に定義されたセクター間共有帯域をセクター専用帯域として返還する。あるいは、現在使用されているセクター間共有帯域の周波数資源をそのまま保持する間に、ユーザーが所定時間の間にセクター中心領域に滞在しているか、又はセクター専用帯域の周波数資源が不足すると、マルチセクター通信システムは、ＤＣＡ手続きを実行することにより、ユーザーが位置したセクターでセクター専用帯域内の空き周波数資源をユーザーに割り当て、セクター専用帯域内に定義されたセクター間共有帯域をセクター専用帯域として返還する。
【０１６８】
図７４及び図７５は、本発明の実施形態によるマルチセクター通信システムにおけるユーザーがセクター間境界領域からセクター中心領域に移動する場合のＤＣＡ実行を示す図である。図７４及び図７５において、マルチセクター通信システムは、セクター間共有帯域内にセクター専用帯域を定義し、これを、セクター間共有帯域を使用しているユーザーに割り当てる。
【０１６９】
図７４を参照すると、マルチセクター通信システムは、現在ユーザーが使用しているセクター間共有帯域の周波数資源をセクター専用帯域として定義し、これにより、ユーザーがこれを継続して使用するようにする。したがって、ユーザーがセクター間境界領域からセクター中心領域に移動する場合に、マルチセクター通信システムは、ＤＣＡ手続きを即座に実行することにより、ユーザーが使用しているセクター間共有帯域の周波数資源をユーザーが位置したセクターでセクター専用帯域として再定義し、これにより、ユーザーが継続して周波数資源を使用するようにする。あるいは、現在使用されているセクター間共有帯域の周波数資源をそのまま保持する間に、ユーザーが所定時間の間にセクター中心領域に滞在しているか、又はセクター間共有帯域の周波数資源が不足すると、マルチセクター通信システムは、ＤＣＡ手続きを実行することにより、ユーザーが使用しているセクター間共有帯域の周波数資源をユーザーが位置したセクターでセクター専用帯域として再定義し、これにより、ユーザーが継続して周波数資源を使用するようにする。
【０１７０】
図７５を参照すると、マルチセクター通信システムは、現在ユーザーが使用しているセクター間共有帯域の周波数資源とは異なる周波数資源をセクター専用帯域として定義し、これにより、ユーザーがこれを使用できるようにする。この場合に、使用中である周波数資源を第１のＤＣＡ方式に従ってセクター間共有帯域として完全に返還するか、又は第２のＤＣＡ方式に従ってセクター間共有帯域として部分的に返還する。したがって、ユーザーがセクター間境界領域からセクター中心領域に移動する場合に、マルチセクター通信システムは、ＤＣＡ手続きを即座に実行することにより、ユーザーが位置したセクターでセクター間共有帯域内の空き周波数資源をセクター専用帯域として定義し、これをユーザーに割り当て、使用中のセクター間共有帯域を返還する。あるいは、現在使用されているセクター間共有帯域の周波数資源をそのまま保持する間に、ユーザーが所定時間の間にセクター中心領域に滞在しているか、又はセクター間共有帯域の周波数資源が不足すると、マルチセクター通信システムは、ＤＣＡ手続きを実行することにより、セクター間共有帯域内の空き周波数資源をユーザーが位置したセクターでセクター専用帯域として定義し、使用中のセクター間共有帯域を返還する。
【０１７１】
図７６乃至図７９は、本発明の実施形態によるマルチセクター通信システムにおけるユーザーがセクター間境界領域からセクター中心領域に移動する場合のＤＣＡ実行を示す図である。図７６乃至図７９において、マルチセクター通信システムは、セクター共通帯域内にセクター専用帯域を定義し、これをセクター共通帯域内に定義されたセクター間共有帯域を使用しているユーザーに割り当てる。
【０１７２】
図７６を参照すると、マルチセクター通信システムは、現在ユーザーが使用しているセクター共通帯域内にセクター間共有帯域の周波数資源をセクター専用帯域として再定義することにより、ユーザーがこれを継続して使用するようにする。また、マルチセクター通信システムは、ユーザーに割り当てられたセクター共通帯域内に定義されたセクター専用帯域を他のセクターでセクター専用帯域として再使用することができるようにする。したがって、ユーザーがセクター間境界領域からセクター中心領域に移動する場合に、マルチセクター通信システムは、ＤＣＡ手続きを即座に実行することにより、セクター共通帯域内に定義されたセクター間共有帯域の周波数資源をユーザーが位置したセクターでセクター専用帯域として再定義し、これにより、ユーザーが継続して周波数資源を使用するようにする。あるいは、セクター共通帯域内に定義されたセクター間共有帯域の周波数資源をそのまま使用する間に、ユーザーが所定時間の間にセクター中心領域に滞在しているか、又はセクター共通帯域の周波数資源が不足すると、マルチセクター通信システムは、ＤＣＡ手続きを実行することにより、セクター共通帯域内に定義されたセクター間共有帯域の周波数資源をユーザーが位置したセクターでセクター専用帯域として再定義し、これにより、ユーザーが継続して周波数資源を使用するようにする。
【０１７３】
図７７を参照すると、マルチセクター通信システムは、現在ユーザーが使用しているセクター共通帯域内にセクター間共有帯域の周波数資源をセクター専用帯域として再定義することにより、ユーザーがこれを継続して使用するようにする。また、マルチセクター通信システムは、ユーザーに割り当てられたセクター共通帯域内に定義されたセクター専用帯域をユーザーが位置したセクターに隣接しないセクター間境界領域のためのセクター間共有帯域として再使用することができるようにする。したがって、ユーザーがセクター間境界領域からセクター中心領域に移動する場合に、マルチセクター通信システムは、ＤＣＡ手続きを即座に実行することにより、セクター共通帯域内に定義されたセクター間共有帯域の周波数資源をユーザーが位置したセクターでセクター専用帯域として再定義し、これにより、ユーザーが継続して周波数資源を使用するようにする。あるいは、セクター共通帯域内に定義されたセクター間共有帯域の周波数資源をそのまま使用する間に、ユーザーが所定時間の間にセクター中心領域に滞在しているか、又はセクター共通帯域の周波数資源が不足すると、マルチセクター通信システムは、ＤＣＡ手続きを実行することにより、ユーザーが使用したセクター共通帯域内に定義されたセクター間共有帯域の周波数資源をユーザーが位置したセクターでセクター専用帯域として再定義し、これにより、ユーザーが継続して周波数資源を使用するようにする。図７８を参照すると、マルチセクター通信システムは、現在ユーザーが使用しているセクター共通帯域内に定義されたセクター間共有帯域の周波数資源とは異なるセクター共通帯域の周波数資源をセクター専用帯域として定義し、これにより、ユーザーがこれを使用できるようにする。この場合に、使用中である周波数資源を第１のＤＣＡ方式に従ってセクター共通帯域として完全に返還するか、又は第２のＤＣＡ方式に従ってセクター共通帯域として部分的に返還する。また、マルチセクター通信システムは、ユーザーに割り当てられたセクター共通帯域内に定義されたセクター専用帯域を他のセクターでセクター専用帯域として再使用することができるようにする。したがって、ユーザーがセクター間境界領域からセクター中心領域に移動する場合に、マルチセクター通信システムは、ＤＣＡ手続きを即座に実行することにより、ユーザーが位置したセクターでセクター共通帯域内の空き周波数資源をセクター専用帯域として定義し、これをユーザーに割り当て、セクター共通帯域内に定義されたセクター間共有帯域をセクター共通帯域として返還する。あるいは、セクター共通帯域内に定義されたセクター間共有帯域の周波数資源をそのまま使用する間に、ユーザーが所定時間の間にセクター中心領域に滞在しているか、又はセクター共通帯域の周波数資源が不足すると、マルチセクター通信システムは、ＤＣＡ手続きを実行することにより、ユーザーが位置したセクターでセクター共通帯域内の空き周波数資源をセクター専用帯域として定義し、これをユーザーに割り当て、セクター共通帯域内に定義されたセクター間共有帯域をセクター共通帯域として返還する。
【０１７４】
図７９を参照すると、マルチセクター通信システムは、現在ユーザーが使用しているセクター共通帯域内に定義されたセクター間共有帯域の周波数資源とは異なるセクター共通帯域の周波数資源をセクター専用帯域として定義し、これにより、ユーザーがこれを使用できるようにする。この場合に、使用中である周波数資源を第１のＤＣＡ方式に従ってセクター共通帯域として完全に返還するか、又は第２のＤＣＡ方式に従ってセクター共通帯域として部分的に返還する。また、マルチセクター通信システムは、ユーザーに割り当てられたセクター共通帯域内に定義されたセクター専用帯域をユーザーが位置したセクターに隣接しないセクター間境界領域のためのセクター間共有帯域として再使用することができるようにする。したがって、ユーザーがセクター間境界領域からセクター中心領域に移動する場合に、マルチセクター通信システムは、ＤＣＡ手続きを即座に実行することにより、ユーザーが位置したセクターでセクター共通帯域内の空き周波数資源をセクター専用帯域として定義し、これをユーザーに割り当て、セクター共通帯域内に定義されたセクター間共有帯域をセクター共通帯域として返還する。あるいは、セクター共通帯域内に定義されたセクター間共有帯域の周波数資源をそのまま使用する間に、ユーザーが所定時間の間にセクター中心領域に滞在しているか、又はセクター共通帯域の周波数資源が不足すると、マルチセクター通信システムは、ＤＣＡ手続きを実行することにより、ユーザーが位置したセクターでセクター共通帯域内の空き周波数資源をセクター専用帯域として定義し、これをユーザーに割り当て、セクター共通帯域内に定義されたセクター間共有帯域をセクター共通帯域として返還する。ユーザーがセクター中心領域からセクター間境界領域に移動する場合のＤＣＡの実行について説明する。
【０１７５】
図８０乃至図８９は、本発明の実施形態によるマルチセクター通信システムにおけるユーザーがセクター中心領域からセクター間境界領域に移動する場合のＤＣＡ実行を示す図である。
【０１７６】
図８０を参照すると、マルチセクター通信システムは、セクター間共有帯域を、セクター専用帯域を使用しているユーザーに割り当て、使用中のセクター専用帯域を返還する。したがって、ユーザーがセクター中心領域からセクター間境界領域に移動する場合に、マルチセクター通信システムは、ＤＣＡ手続きを即座に実行することにより、セクター間共有帯域をユーザーに割り当て、使用中のセクター専用帯域を返還する。
【０１７７】
図８１を参照すると、マルチセクター通信システムは、セクター共通帯域内にセクター間共有帯域を定義し、これを、セクター専用帯域を使用しているユーザーに割り当て、使用中のセクター専用帯域を返還する。したがって、ユーザーがセクター中心領域からセクター間境界領域に移動する場合に、マルチセクター通信システムは、ＤＣＡ手続きを即座に実行することにより、セクター共通帯域内にセクター間共有帯域を定義し、これをユーザーに割り当て、使用中のセクター専用帯域を返還する。
【０１７８】
図８２を参照すると、マルチセクター通信システムは、セクター間共有帯域をセクター共通帯域内に定義されたセクター専用帯域を使用しているユーザーに割り当て、使用中の周波数資源をセクター共通帯域として返還する。また、マルチセクター通信システムは、ユーザーに割り当てられたセクター共通帯域内のセクター専用帯域の周波数資源を他のセクターでセクター専用帯域として再使用することができるようにする。この際に、ユーザーが使用したセクター共通帯域内に定義されたセクター専用帯域の周波数資源を第１のＤＣＡ方式に従ってすべてのセクターでセクター共通帯域として完全に返還する。したがって、ユーザーがセクター中心領域からセクター間境界領域に移動する場合に、マルチセクター通信システムは、ＤＣＡ手続きを即座に実行することにより、セクター間共有帯域をユーザーに割り当て、使用中のセクター共通帯域内に定義されたセクター専用帯域をセクター共通帯域として返還する。
【０１７９】
図８３を参照すると、マルチセクター通信システムは、セクター間共有帯域をセクター共通帯域内に定義されたセクター専用帯域を使用しているユーザーに割り当て、使用中の周波数資源をセクター共通帯域として返還する。また、マルチセクター通信システムは、ユーザーに割り当てられたセクター共通帯域内にセクター専用帯域の周波数資源を他のセクターでセクター専用帯域として再使用することができるようにする。この際に、ユーザーが使用したセクター共通帯域内に定義されたセクター専用帯域の周波数資源を第２のＤＣＡ方式に従ってユーザーが接続したセクターのみでセクター共通帯域として部分的に返還する。したがって、ユーザーがセクター中心領域からセクター間境界領域に移動する場合に、マルチセクター通信システムは、ＤＣＡ手続きを即座に実行することにより、セクター間共有帯域をユーザーに割り当て、使用中のセクター共通帯域内に定義されたセクター専用帯域をセクター共通帯域として返還する。
【０１８０】
図８４を参照すると、マルチセクター通信システムは、セクター間共有帯域をセクター共通帯域内に定義されたセクター専用帯域を使用しているユーザーに割り当て、使用中の周波数資源をセクター共通帯域として返還する。また、マルチセクター通信システムは、ユーザーに割り当てられたセクター共通帯域内にセクター専用帯域の周波数資源をユーザーが位置したセクターに隣接しないセクター間境界領域のためのセクター間共有帯域として再使用することができるようにする。この際に、ユーザーが使用したセクター共通帯域内に定義されたセクター専用帯域の周波数資源を第１のＤＣＡ方式に従ってすべてのセクターでセクター共通帯域として完全に返還する。したがって、ユーザーがセクター中心領域からセクター間境界領域に移動する場合に、マルチセクター通信システムは、ＤＣＡ手続きを即座に実行することにより、セクター間共有帯域をユーザーに割り当て、使用中のセクター共通帯域内に定義されたセクター専用帯域をセクター共通帯域として返還する。
【０１８１】
図８５を参照すると、マルチセクター通信システムは、セクター間共有帯域をセクター共通帯域内に定義されたセクター専用帯域を使用しているユーザーに割り当て、使用中の周波数資源をセクター共通帯域として返還する。また、マルチセクター通信システムは、ユーザーに割り当てられたセクター共通帯域内にセクター専用帯域の周波数資源をユーザーが位置したセクターに隣接しないセクター間境界領域のためのセクター間共有帯域として再使用することができるようにする。この際に、ユーザーが使用したセクター共通帯域内に定義されたセクター専用帯域の周波数資源をユーザーが接続したセクターのみでセクター共通帯域として部分的に返還する。したがって、ユーザーがセクター中心領域からセクター間境界領域に移動する場合に、マルチセクター通信システムは、ＤＣＡ手続きを即座に実行することにより、セクター間共有帯域をユーザーに割り当て、使用中のセクター共通帯域内に定義されたセクター専用帯域をセクター共通帯域として返還する。
【０１８２】
図８６を参照すると、マルチセクター通信システムは、セクター専用帯域内にセクター間共有帯域を定義し、これを、セクター専用帯域を使用しているユーザーに割り当てる。また、マルチセクター通信システムは、現在ユーザーが使用しているセクター専用帯域の周波数資源をセクター間共有帯域として再定義し、これにより、ユーザーが継続して周波数資源を使用するようにする。したがって、ユーザーがセクター中心領域からセクター間境界領域に移動する場合に、マルチセクター通信システムは、ＤＣＡ手続きを即座に実行することにより、ユーザーがセクター専用帯域の周波数資源を継続して使用するようにし、これをユーザーに隣接した２つのセクターでセクター間共有帯域として再定義する。この際に、ユーザーとまだ接続していない隣接したセクターでユーザーが使用中である周波数資源を他のユーザーが占有すると、マルチセクター通信システムは、他の帯域を他のユーザーに割り当てた後に、この周波数資源をユーザーが使用するセクター間共有帯域として再定義する。
【０１８３】
図示していないが、マルチセクター通信システムは、現在ユーザーが使用しているセクター専用帯域の周波数資源とは異なる周波数資源をセクター間共有帯域として定義し、これにより、ユーザーがこれを使用できるようにする。この場合に、使用中である周波数資源を第１のＤＣＡ方式に従ってセクター専用帯域として完全に返還するか、又は第２のＤＣＡ方式に従ってセクター専用帯域として部分的に返還する。したがって、ユーザーがセクター中心領域からセクター間境界領域に移動する場合に、マルチセクター通信システムは、ＤＣＡ手続きを即座に実行することにより、ユーザーに隣接した２つのセクターに共通の空き帯域をセクター間共有帯域として定義し、これを、セクター専用帯域を使用しているユーザーに割り当て、使用中のセクター専用帯域を返還する。この際に、ユーザーに隣接した２つのセクターに共通の空き帯域がない場合には、マルチセクター通信システムは、他の周波数帯域をセクター中心領域又はセクター間境界領域に位置したユーザーに割り当てることによりユーザーに隣接した２つのセクターに共通の空き帯域を作り、この帯域をセクター間共有帯域として定義し、このセクター間共有帯域をユーザーに割り当てる。
【０１８４】
図８７を参照すると、マルチセクター通信システムは、セクター間共有帯域をセクター間共有帯域内に定義されたセクター専用帯域を使用中であるユーザーに割り当てる。また、マルチセクター通信システムは、現在ユーザーが使用しているセクター間共有帯域内に定義されたセクター専用帯域の周波数資源をセクター間共有帯域として再定義し、これにより、ユーザーが継続して周波数資源を使用するようにする。したがって、ユーザーがセクター中心領域からセクター間境界領域に移動する場合に、マルチセクター通信システムは、ＤＣＡ手続きを即座に実行することにより、ユーザーがセクター間共有帯域内に定義されたセクター専用帯域の周波数資源を継続して使用するようにし、これをユーザーに隣接した２つのセクターでセクター間共有帯域として再定義する。この際に、ユーザーとまだ接続していない隣接したセクターでユーザーが使用中である周波数資源を他のユーザーが占有すると、マルチセクター通信システムは、他の帯域を他のユーザーに割り当てた後に、この周波数資源をユーザーが使用するセクター間共有帯域として再定義する。
【０１８５】
図示していないが、マルチセクター通信システムは、現在ユーザーが使用しているセクター間共有帯域内に定義されたセクター専用帯域の周波数資源とは異なるセクター間共有帯域の周波数資源を使用できるようにする。この際に、使用中である周波数資源を第１のＤＣＡ方式に従ってセクター間共有帯域として完全に返還するか、又は第２のＤＣＡ方式に従ってセクター間共有帯域として部分的に返還する。したがって、ユーザーがセクター中心領域からセクター間境界領域に移動する場合に、マルチセクター通信システムは、ＤＣＡ手続きを即座に実行することにより、ユーザーに隣接した２つのセクターに共通の空き帯域のセクター間共有帯域をセクター間共有帯域内に定義されたセクター専用帯域を使用しているユーザーに割り当て、使用中のセクター間共有帯域内に定義されたセクター専用帯域を返還する。この際に、ユーザーに隣接した２つのセクターに共通の空き帯域がない場合には、マルチセクター通信システムは、他の周波数帯域をセクター中心領域又はセクター間境界領域に位置したユーザーに割り当てることによりユーザーに隣接した２つのセクターに共通の空き帯域を作り、この帯域をセクター間共有帯域として定義し、このセクター間共有帯域をユーザーに割り当てる。
【０１８６】
図８８を参照すると、マルチセクター通信システムは、セクター共通帯域内にセクター間共有帯域を定義し、これをセクター共通帯域内に定義されたセクター専用帯域を使用しているユーザーに割り当てる。また、マルチセクター通信システムは、現在ユーザーが使用しているセクター共通帯域内に定義されたセクター専用帯域の周波数資源をセクター間共有帯域として再定義し、これにより、ユーザーが継続して周波数資源を使用するようにする。この際に、マルチセクター通信システムは、ユーザーに割り当てられたセクター共通帯域内に定義されたセクター専用帯域を他のセクターでセクター専用帯域として再使用することができるようにする。したがって、ユーザーがセクター中心領域からセクター間境界領域に移動する場合に、マルチセクター通信システムは、ＤＣＡ手続きを即座に実行することにより、ユーザーがセクター共通帯域内に定義されたセクター専用帯域の周波数資源を継続して使用するようにし、この周波数資源をユーザーに隣接した２つのセクターでセクター間共有帯域として再定義する。この際に、ユーザーとまだ接続していない隣接したセクターでユーザーが使用中である周波数資源を他のユーザーが占有すると、マルチセクター通信システムは、他の帯域を他のユーザーに割り当てた後に、この周波数資源をユーザーが使用するセクター間共有帯域として再定義する。
【０１８７】
図８９を参照すると、マルチセクター通信システムは、セクター共通帯域内にセクター間共有帯域を定義し、これをセクター共通帯域内に定義されたセクター専用帯域を使用しているユーザーに割り当てる。また、マルチセクター通信システムは、現在ユーザーが使用しているセクター共通帯域内に定義されたセクター専用帯域の周波数資源をセクター間共有帯域として再定義し、これにより、ユーザーが継続して周波数資源を使用するようにする。この際に、マルチセクター通信システムは、ユーザーに割り当てられたセクター共通帯域内に定義されたセクター専用帯域をユーザーが位置したセクターに隣接しないセクター間境界領域のためのセクター間共有帯域として再使用することができるようにする。したがって、ユーザーがセクター中心領域からセクター間境界領域に移動する場合に、マルチセクター通信システムは、ＤＣＡ手続きを即座に実行することにより、ユーザーがセクター共通帯域内に定義されたセクター専用帯域の周波数資源を継続して使用するようにし、この周波数資源をユーザーに隣接した２つのセクターでセクター間共有帯域として再定義する。この際に、ユーザーとまだ接続していない隣接したセクターでユーザーが使用中である周波数資源を他のユーザーが占有すると、マルチセクター通信システムは、他の帯域を他のユーザーに割り当てた後に、この周波数資源をユーザーが使用するセクター間共有帯域として再定義する。
【０１８８】
図示していないが、マルチセクター通信システムは、現在ユーザーが使用しているセクター共通帯域内に定義されたセクター専用帯域の周波数資源とは異なる周波数資源をセクター間共有帯域として定義し、これにより、ユーザーがこれを使用できるようにする。この際に、使用中である周波数資源を第１のＤＣＡ方式に従ってセクター共通帯域として完全に返還するか、又は第２のＤＣＡ方式に従ってセクター共通帯域として部分的に返還する。したがって、ユーザーがセクター中心領域からセクター間境界領域に移動する場合に、マルチセクター通信システムは、ＤＣＡ手続きを即座に実行することにより、ユーザーに隣接した２つのセクターに共通の空き帯域をセクター間共有帯域として定義し、これをセクター共通帯域内に定義されたセクター専用帯域を使用しているユーザーに割り当て、使用中のセクター共通帯域内に定義されたセクター専用帯域を返還する。この際に、ユーザーに隣接した２つのセクターに共通の空き帯域がない場合には、マルチセクター通信システムは、他の周波数帯域をセクター中心領域又はセクター間境界領域に位置したユーザーに割り当てることによりユーザーに隣接した２つのセクターに共通の空き帯域を作り、この帯域をセクター間共有帯域として定義し、これをユーザーに割り当てる。ユーザーがセクター間境界領域からセル中心領域に移動する場合のＤＣＡの実行について説明する。
【０１８９】
図９０乃至図９７は、本発明の実施形態によるマルチセクター通信システムにおけるユーザーがセクター間境界領域からセル中心領域に移動する場合のＤＣＡ実行を示す図である。
【０１９０】
図９０を参照すると、マルチセクター通信システムは、セクター共通帯域を、セクター間共有帯域を使用中であるユーザーに割り当て、使用中のセクター間共有帯域を返還する。この際に、ユーザーが使用したセクター間共有帯域を第１のＤＣＡ方式に従って完全に返還する。したがって、ユーザーがセクター間境界領域からセル中心領域に移動する場合に、マルチセクター通信システムは、ＤＣＡ手続きを即座に実行することにより、セクター共通帯域をユーザーに割り当て、使用中のセクター間共有帯域を返還する。現在のセクター間共有帯域の周波数資源をそのまま使用する間に、ユーザーが所定時間の間にセル中心領域に滞在しているか、又はセクター間共有帯域の周波数資源が不足すると、マルチセクター通信システムは、ＤＣＡ手続きを実行することによりセクター共通帯域をユーザーに割り当て、使用中のセクター間共有帯域を返還する。
【０１９１】
図９１を参照すると、マルチセクター通信システムは、現在セクター間共有帯域を使用中であるユーザーにセクター共通帯域を割り当て、使用中のセクター間共有帯域を返還する。この際に、ユーザーが使用中のセクター間共有帯域を第２のＤＣＡ方式に従って部分的に返還する。したがって、ユーザーがセクター間境界領域からセル中心領域に移動する場合に、マルチセクター通信システムは、ＤＣＡ手続きを即座に実行することにより、セクター共通帯域をユーザーに割り当て、使用中のセクター間共有帯域を返還する。あるいは、現在のセクター間共有帯域の周波数資源をそのまま使用する間に、ユーザーが所定時間の間にセル中心領域に滞在しているか、又はセクター間共有帯域の周波数資源が不足すると、マルチセクター通信システムは、ＤＣＡ手続きを実行することによりセクター共通帯域をユーザーに割り当て、使用中のセクター間共有帯域を返還する。
【０１９２】
図９２を参照すると、マルチセクター通信システムは、セクター専用帯域内にセクター共通帯域を定義し、これを、現在セクター間共有帯域を使用中であるユーザーに割り当て、使用中のセクター間共有帯域を返還する。この際に、ユーザーが使用したセクター間共有帯域を第１のＤＣＡ方式に従って完全に返還する。したがって、ユーザーがセクター間境界領域からセル中心領域に移動する場合に、マルチセクター通信システムは、ＤＣＡ手続きを即座に実行することにより、セクター専用帯域内にセクター共通帯域を定義し、これをユーザーに割り当て、使用中のセクター間共有帯域を返還する。あるいは、現在のセクター間共有帯域の周波数資源をそのまま使用する間に、ユーザーが所定時間の間にセル中心領域に滞在しているか、又はセクター間共有帯域の周波数資源が不足すると、マルチセクター通信システムは、ＤＣＡ手続きを実行することによりセクター専用帯域内にセクター共通帯域を定義し、これをユーザーに割り当て、使用中のセクター間共有帯域を返還する。
【０１９３】
図９３を参照すると、マルチセクター通信システムは、セクター専用帯域内にセクター共通帯域を定義し、これを、現在セクター間共有帯域を使用中であるユーザーに割り当て、使用中のセクター間共有帯域を返還する。この際に、ユーザーが使用したセクター間共有帯域を第１のＤＣＡ方式に従って部分的に返還する。したがって、ユーザーがセクター間境界領域からセル中心領域に移動する場合に、マルチセクター通信システムは、ＤＣＡ手続きを即座に実行することにより、セクター専用帯域内にセクター共通帯域を定義し、これをユーザーに割り当て、使用中のセクター間共有帯域を返還する。あるいは、現在のセクター間共有帯域の周波数資源をそのまま使用する間に、ユーザーが所定時間の間にセル中心領域に滞在しているか、又はセクター間共有帯域の周波数資源が不足すると、マルチセクター通信システムは、ＤＣＡ手続きを実行することによりセクター専用帯域内にセクター共通帯域を定義し、これをユーザーに割り当て、使用中のセクター間共有帯域を返還する。
【０１９４】
図９４を参照すると、マルチセクター通信システムは、セクター共通帯域を現在セクター専用帯域内に定義されたセクター間共有帯域を使用中であるユーザーに割り当て、使用中の周波数資源をセクター専用帯域として返還する。したがって、ユーザーがセクター間境界領域からセル中心領域に移動する場合に、マルチセクター通信システムは、ＤＣＡ手続きを即座に実行することによりセクター共通帯域をユーザーに割り当て、使用中のセクター専用帯域内に定義されたセクター間共有帯域を返還する。あるいは、現在のセクター専用帯域内に定義されたセクター間共有帯域の周波数資源をそのまま使用する間に、ユーザーが所定時間の間にセル中心領域に滞在しているか、又はセクター専用帯域の周波数資源が不足すると、マルチセクター通信システムは、ＤＣＡ手続きを実行することによりセクター共通帯域をユーザーに割り当て、セクター専用帯域内に定義されたセクター間共有帯域を返還する。
【０１９５】
図９５を参照すると、マルチセクター通信システムは、セクター専用帯域内にセクター共通帯域を定義し、これをセクター専用帯域内に定義されたセクター間共有帯域を使用しているユーザーに割り当てる。また、マルチセクター通信システムは、ユーザーが使用しているセクター専用帯域内に定義されたセクター間共有帯域の周波数資源をセクター共通帯域として再定義することにより、ユーザーがこれを継続して使用するようにする。したがって、ユーザーがセクター間境界領域からセル中心領域に移動する場合に、マルチセクター通信システムは、ＤＣＡ手続きを即座に実行することにより、ユーザーがセクター専用帯域内に定義されたセクター間共有帯域の周波数資源を継続して使用するようにし、これをすべてのセクターでセクター共通帯域として再定義するようにする。この際に、ユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。また、ユーザーがセクター間境界領域からセル中心領域に移動する際に、セクター専用帯域内に定義されたセクター間共有帯域の周波数資源をそのまま使用する間に、ユーザーが所定時間の間にセル中心領域に滞在しているか、又はセクター専用帯域の周波数資源が不足すると、マルチセクター通信システムは、ＤＣＡ手続きを実行することにより、ユーザーがセクター専用帯域内に定義されたセクター間共有帯域の周波数資源を継続して使用するようにし、これがすべてのセクターでセクター共通帯域として再定義されるようにする。この際に、ユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。
【０１９６】
図示していないが、マルチセクター通信システムは、現在ユーザーが使用しているセクター専用帯域内に定義されたセクター間共有帯域の周波数資源とは異なる周波数資源をセクター共通帯域として定義し、これにより、ユーザーがこれを使用できるようにする。この際に、使用中である周波数資源を第１のＤＣＡ方式に従ってセクター専用帯域として完全に返還するか、又は第２のＤＣＡ方式に従ってセクター専用帯域として部分的に返還する。したがって、ユーザーがセクター間境界領域からセル中心領域に移動する場合に、マルチセクター通信システムは、ＤＣＡ手続きを即座に実行することにより、すべてのセクターに共通の空き帯域をセクター共通帯域として定義し、これをセクター専用帯域内に定義されたセクター間共有帯域を使用しているユーザーに割り当て、セクター専用帯域内に定義されたセクター間共有帯域を返還する。この際に、すべてのセクターに共通の空き帯域がない場合には、マルチセクター通信システムは、他の周波数帯域をセクター中心領域又はセクター間境界領域に位置したユーザーに割り当てることにより、すべてのセクターに共通の空き帯域を作り、この周波数資源をセクター共通帯域として定義し、これをユーザーに割り当てる。また、ユーザーがセクター間境界領域からセル中心領域に移動する際に、現在使用されているセクター専用帯域内に定義されたセクター間共有帯域の周波数資源をそのまま保持する間に、ユーザーが所定時間の間にセル中心領域に滞在しているか、又はセクター専用帯域の周波数資源が不足すると、マルチセクター通信システムは、ＤＣＡ手続きを実行することにより、すべてのセクターに共通の空き帯域をセクター共通帯域として定義し、これをセクター専用帯域内に定義されたセクター間共有帯域を使用しているユーザーに割り当て、セクター専用帯域内に定義されたセクター間共有帯域を返還する。この際に、すべてのセクターに共通の空き帯域がない場合には、マルチセクター通信システムは、他の周波数帯域をセクター中心領域又はセクター間境界領域に位置したユーザーに割り当てることにより、すべてのセクターに共通の空き帯域を作り、この周波数資源をセクター共通帯域として定義し、これをユーザーに割り当てる。
【０１９７】
図９６を参照すると、マルチセクター通信システムは、セクター間共有帯域内にセクター共通帯域を定義し、これを、現在セクター間共有帯域を使用中であるユーザーに割り当てる。また、マルチセクター通信システムは、現在ユーザーが使用しているセクター間共有帯域の周波数資源をセクター共通帯域として再定義し、これにより、ユーザーが継続して周波数資源を使用するようにする。したがって、ユーザーがセクター間境界領域からセル中心領域に移動する場合に、マルチセクター通信システムは、ＤＣＡ手続きを即座に実行することにより、ユーザーがセクター間共有帯域の周波数資源を継続して使用するようにし、これをすべてのセクターでセクター共通帯域として再定義するようにする。この際に、ユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。また、ユーザーがセクター間境界領域からセル中心領域に移動する際に、現在使用されているセクター間共有帯域の周波数資源をそのまま保持する間に、ユーザーが所定時間の間にセル中心領域に滞在しているか、又はセクター間共有帯域の周波数資源が不足すると、マルチセクター通信システムは、ＤＣＡ手続きを実行することにより、ユーザーがセクター間共有帯域の周波数資源を継続して使用するようにし、これがすべてのセクターでセクター共通帯域として再定義されるようにする。この際に、ユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。
【０１９８】
図示していないが、マルチセクター通信システムは、現在ユーザーが使用しているセクター間共有帯域の周波数資源とは異なる周波数資源をセクター共通帯域として定義し、これにより、ユーザーがこれを使用できるようにする。この際に、使用中である周波数資源を第１のＤＣＡ方式に従ってセクター間共有帯域として完全に返還するか、第２のＤＣＡ方式に従ってセクター間共有帯域として部分的に返還する。したがって、ユーザーがセクター間境界領域からセル中心領域に移動する場合に、マルチセクター通信システムは、ＤＣＡ手続きを即座に実行することにより、すべてのセクターに共通の空き帯域をセクター共通帯域として定義し、これを、セクター間共有帯域を使用しているユーザーに割り当て、使用中のセクター間共有帯域を返還する。この際に、すべてのセクターに共通の空き帯域がない場合には、マルチセクター通信システムは、他の周波数帯域をセクター中心領域又はセクター間境界領域に位置したユーザーに割り当てることにより、すべてのセクターに共通の空き帯域を作り、この周波数資源をセクター共通帯域として定義し、これをユーザーに割り当てる。また、ユーザーがセクター間境界領域からセル中心領域に移動する際に、セクター間共有帯域の周波数資源をそのまま使用する間に、ユーザーが所定時間の間にセル中心領域に滞在しているか、又はセクター間共有帯域の周波数資源が不足すると、マルチセクター通信システムは、ＤＣＡ手続きを実行することにより、すべてのセクターに共通の空き帯域をセクター共通帯域として定義し、これを、セクター間共有帯域を使用しているユーザーに割り当て、使用中のセクター間共有帯域を返還する。この際に、すべてのセクターに共通の空き帯域がない場合には、マルチセクター通信システムは、他の周波数帯域をセクター中心領域又はセクター間境界領域に位置したユーザーに割り当てることにより、すべてのセクターに共通の空き帯域を作り、この周波数資源をセクター共通帯域として定義し、これをユーザーに割り当てる。
【０１９９】
図９７を参照すると、マルチセクター通信システムは、セクター共通帯域を現在セクター共通帯域内に定義されたセクター間共有帯域を使用中であるユーザーに割り当てる。また、現在ユーザーが使用しているセクター共通帯域内に定義されたセクター間共有帯域の周波数資源をセクター共通帯域として再定義し、これにより、ユーザーがこの周波数資源を使用できるようにする。したがって、ユーザーがセクター間境界領域からセル中心領域に移動する場合に、マルチセクター通信システムは、ＤＣＡ手続きを即座に実行することにより、ユーザーがセクター共通帯域内に定義されたセクター間共有帯域の周波数資源を継続して使用するようにし、これをすべてのセクターでセクター共通帯域として再定義するようにする。この際に、ユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。また、ユーザーがセクター間境界領域からセル中心領域に移動する際に、セクター共通帯域内に定義されたセクター間共有帯域の周波数資源をそのまま使用する間に、ユーザーが所定時間の間にセクター中心領域に滞在しているか、又はセクター共通帯域の周波数資源が不足すると、マルチセクター通信システムは、ＤＣＡ手続きを実行することにより、ユーザーがセクター共通帯域内に定義されたセクター間共有帯域の周波数資源を継続して使用するようにし、これがすべてのセクターでセクター共通帯域として再定義されるようにする。この際に、ユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。
【０２００】
図示していないが、マルチセクター通信システムは、現在ユーザーが使用しているセクター共通帯域内に定義されたセクター間共有帯域の周波数資源とは異なる周波数資源をセクター共通帯域として定義し、これにより、ユーザーがこれを使用できるようにする。この場合に、使用中である周波数資源を第１のＤＣＡ方式に従ってセクター共通帯域として完全に返還するか、又は第２のＤＣＡ方式に従ってセクター共通帯域として部分的に返還する。したがって、ユーザーがセクター間境界領域からセル中心領域に移動する場合に、マルチセクター通信システムは、ＤＣＡ手続きを即座に実行することにより、すべてのセクターに共通の空き帯域をセクター共通帯域として定義し、これをセクター共通帯域内に定義されたセクター間共有帯域を使用しているユーザーに割り当て、セクター共通帯域内に定義されたセクター間共有帯域を返還する。この際に、すべてのセクターに共通の空き帯域がない場合には、マルチセクター通信システムは、他の周波数帯域をセクター中心領域又はセクター間境界領域に位置したユーザーに割り当てることにより、すべてのセクターに共通の空き帯域を作り、この周波数資源をセクター共通帯域として定義し、これをユーザーに割り当てる。また、ユーザーがセクター間境界領域からセル中心領域に移動する際に、現在使用しているセクター共通帯域内に定義されたセクター間共有帯域の周波数資源をそのまま保持する間に、ユーザーが所定時間の間にセクター中心領域に滞在しているか、又はセクター共通帯域の周波数資源が不足すると、マルチセクター通信システムは、ＤＣＡ手続きを実行することにより、すべてのセクターに共通の空き帯域をセクター共通帯域として定義し、これをセクター共通帯域内に定義されたセクター間共有帯域を使用しているユーザーに割り当て、使用中のセクター共通帯域内に定義されたセクター間共有帯域を返還する。この際に、すべてのセクターに共通の空き帯域がない場合には、マルチセクター通信システムは、他の周波数帯域をセクター中心領域又はセクター間境界領域に位置したユーザーに割り当てることにより、すべてのセクターに共通の空き帯域を作り、この周波数資源をセクター共通帯域として定義し、これをユーザーに割り当てる。ユーザーがセル中心領域からセクター間境界領域に移動する場合のＤＣＡ実行について説明する。
【０２０１】
図９８乃至図１０３は、本発明の実施形態によるマルチセクター通信システムにおけるユーザーがセル中心領域からセクター間境界領域に移動する場合のＤＣＡ実行を示す図である。
【０２０２】
図９８を参照すると、マルチセクター通信システムは、セクター間共有帯域を、セクター共通帯域を使用しているユーザーに割り当て、セクター共通帯域を返還する。したがって、ユーザーがセル中心領域からセクター間境界領域に移動する場合に、マルチセクター通信システムは、ＤＣＡ手続きを即座に実行することにより、セクター間共有帯域をユーザーに割り当て、使用中のセクター共通帯域を返還する。あるいは、現在使用されているセクター共通帯域の周波数資源をそのまま保持する間に、ユーザーが所定時間の間にセクター間境界領域に滞在しているか、又はセクター共通帯域の周波数資源が不足すると、マルチセクター通信システムは、ＤＣＡ手続きを実行することによりセクター間共有帯域をユーザーに割り当て、使用中のセクター共通帯域を返還する。
【０２０３】
図９９を参照すると、マルチセクター通信システムは、セクター専用帯域内にセクター間共有帯域を定義し、これを、セクター共通帯域を使用しているユーザーに割り当て、セクター共通帯域を返還する。したがって、ユーザーがセル中心領域からセクター間境界領域に移動する場合に、マルチセクター通信システムは、ＤＣＡ手続きを即座に実行することにより、セクター専用帯域内にセクター間共有帯域を定義し、これをユーザーに割り当て、使用中のセクター共通帯域を返還する。あるいは、セクター共通帯域の周波数資源をそのまま使用する間に、ユーザーが所定時間の間にセクター間境界領域に滞在しているか、又はセクター共通帯域の周波数資源が不足すると、マルチセクター通信システムは、ＤＣＡ手続きを実行することによりセクター専用帯域内にセクター間共有帯域を定義し、これをユーザーに割り当て、使用中のセクター共通帯域を返還する。
【０２０４】
図１００を参照すると、マルチセクター通信システムは、セクター間共有帯域をセクター専用帯域内に定義されたセクター共通帯域を使用しているユーザーに割り当て、使用中の周波数資源をセクター専用帯域として返還する。したがって、ユーザーがセル中心領域からセクター間境界領域に移動する場合に、マルチセクター通信システムは、ＤＣＡ手続きを即座に実行することによりセクター間共有帯域を定義し、これをユーザーに割り当て、使用中のセクター専用帯域内に定義されたセクター共通帯域を返還する。あるいは、セクター専用帯域内に定義されたセクター共通帯域の周波数資源をそのまま使用する間に、ユーザーが所定時間の間にセクター間境界領域に滞在しているか、又はセクター専用帯域の周波数資源が不足すると、マルチセクター通信システムは、ＤＣＡ手続きを実行することによりセクター間共有帯域をユーザーに割り当て、使用中のセクター専用帯域内に定義されたセクター共通帯域を返還する。
【０２０５】
図１０１を参照すると、マルチセクター通信システムは、セクター専用帯域内にセクター間共有帯域を定義し、これをセクター専用帯域内に定義されたセクター共通帯域を使用しているユーザーに割り当てる。また、マルチセクター通信システムは、現在ユーザーが使用しているセクター専用帯域内に定義されたセクター共通帯域の周波数資源をセクター間共有帯域として再定義し、これにより、ユーザーが継続して周波数資源を使用するようにする。したがって、ユーザーがセル中心領域からセクター間境界領域に移動する場合に、マルチセクター通信システムは、ＤＣＡ手続きを即座に実行することにより、ユーザーが使用しているセクター専用帯域内に定義されたセクター共通帯域の周波数資源をユーザーに隣接した２つのセクターでセクター間共有帯域として再定義し、これにより、ユーザーがこの周波数資源を継続して使用するようにする。あるいは、セクター専用帯域内に定義されたセクター共通帯域の周波数資源をそのまま使用する間に、ユーザーが所定時間の間にセクター間境界領域に滞在しているか、又はセクター専用帯域の周波数資源が不足すると、マルチセクター通信システムは、ＤＣＡ手続きを実行することによりセクター専用帯域内に定義されたセクター共通帯域の周波数資源をユーザーに隣接した２つのセクターでセクター間共有帯域として再定義し、これにより、ユーザーがこの周波数資源を継続して使用するようにする。
【０２０６】
図示していないが、マルチセクター通信システムは、セクター専用帯域内にセクター間共有帯域を定義し、これをセクター専用帯域内に定義されたセクター共通帯域を使用しているユーザーに割り当てる。また、マルチセクター通信システムは、ユーザーが使用しているセクター専用帯域内に定義されたセクター共通帯域の周波数資源とは異なる周波数資源をセクター間共有帯域として定義し、これにより、ユーザーがこの周波数資源を継続して使用するようにする。この際に、使用中の周波数資源をセクター専用帯域として返還する。したがって、ユーザーがセル中心領域からセクター間境界領域に移動する場合に、マルチセクター通信システムは、ＤＣＡ手続きを即座に実行することにより、ユーザーに隣接した２つのセクターに共通の空き帯域をセクター間共有帯域として定義し、これをセクター専用帯域内に定義されたセクター共通帯域を使用しているユーザーに割り当て、使用中のセクター専用帯域内に定義されたセクター共通帯域を返還する。この際に、ユーザーに隣接した２つのセクターに共通の空き帯域がない場合には、マルチセクター通信システムは、他の周波数帯域をセクター中心領域に位置したユーザーに割り当てることにより、ユーザーに隣接した２つのセクターに共通の空き帯域を作り、この帯域をセクター間共有帯域として定義し、これをユーザーに割り当てる。また、マルチセクター通信システムは、ユーザーがセル中心領域からセクター間境界領域に移動する際に、セクター専用帯域内に定義されたセクター共通帯域の周波数資源をそのまま使用する間に、ユーザーが所定時間の間にセクター間境界領域に滞在しているか、又はセクター専用帯域の周波数資源が不足すると、マルチセクター通信システムは、ＤＣＡ手続きを実行することにより、ユーザーに隣接した２つのセクターに共通の空き帯域をセクター間共有帯域として定義し、これをセクター専用帯域内に定義されたセクター共通帯域を使用しているユーザーに割り当て、使用中のセクター専用帯域内に定義されたセクター共通帯域を返還する。この際に、ユーザーに隣接した２つのセクターに共通の空き帯域がない場合には、マルチセクター通信システムは、他の周波数帯域をセクター中心領域に位置したユーザーに割り当てることにより、ユーザーに隣接した２つのセクターに共通の空き帯域を作り、この帯域をセクター間共有帯域として定義し、これをユーザーに割り当てる。
【０２０７】
図１０２を参照すると、マルチセクター通信システムは、セクター間共有帯域をセクター間共有帯域内に定義されたセクター共通帯域を使用中であるユーザーに割り当てる。また、マルチセクター通信システムは、ユーザーが使用しているセクター間共有帯域内に定義されたセクター共通帯域の周波数資源をセクター間共有帯域として再定義し、これにより、ユーザーがこの周波数資源を継続して使用するようにする。したがって、ユーザーがセル中心領域からセクター間境界領域に移動する場合に、マルチセクター通信システムは、ＤＣＡ手続きを即座に実行することにより、ユーザーが使用しているセクター間共有帯域内に定義されたセクター共通帯域をユーザーに隣接した２つのセクターでセクター間共有帯域として再定義し、これにより、ユーザーがこの周波数資源を継続して使用するようにする。あるいは、現在使用しているセクター間共有帯域内に定義されたセクター共通帯域の周波数資源をそのまま保持する間に、ユーザーが所定時間の間にセクター間境界領域に滞在しているか、又はセクター間共有帯域の周波数資源が不足すると、マルチセクター通信システムは、ＤＣＡ手続きを実行することにより、セクター間共有帯域内に定義されたセクター共通帯域をユーザーに隣接した２つのセクターでセクター間共有帯域として再定義し、これにより、ユーザーが継続して周波数資源を使用するようにする。
【０２０８】
図示していないが、マルチセクター通信システムは、セクター間共有帯域をセクター間共有帯域内に定義されたセクター共通帯域を使用しているユーザーに割り当てる。また、マルチセクター通信システムは、ユーザーが使用しているセクター間共有帯域内に定義されたセクター共通帯域の周波数資源とは異なる周波数資源をセクター間共有帯域として定義し、これにより、ユーザーがこれを継続して使用するようにする。この際に、使用中の周波数資源をセクター間共有帯域として返還する。したがって、ユーザーがセル中心領域からセクター間境界領域に移動する場合に、マルチセクター通信システムは、ＤＣＡ手続きを即座に実行することにより、ユーザーに隣接した２つのセクターに共通の空き帯域をセクター間共有帯域内に定義されたセクター共通帯域を使用しているユーザーに割り当て、使用中のセクター間共有帯域内に定義されたセクター共通帯域を返還する。この際に、ユーザーに隣接した２つのセクターに共通の空き帯域がない場合には、マルチセクター通信システムは、他の周波数帯域をセクター中心領域に位置したユーザーに割り当てることにより、ユーザーに隣接した２つのセクターに共通の空き帯域を作り、この帯域をセクター間共有帯域として定義し、これをユーザーに割り当てる。また、ユーザーがセル中心領域からセクター間境界領域に移動する際に、セクター間共有帯域内に定義されたセクター共通帯域の周波数資源をそのまま使用する間に、ユーザーが所定時間の間にセクター間境界領域に滞在しているか、又はセクター間共有帯域の周波数資源が不足すると、マルチセクター通信システムは、ＤＣＡ手続きを実行することにより、ユーザーに隣接した２つのセクターに共通の空き帯域をセクター間共有帯域内に定義されたセクター共通帯域を使用しているユーザーに割り当て、ユーザーから返還されたセクター間共有帯域内に定義されたセクター共通帯域を有する。この際に、ユーザーに隣接した２つのセクターに共通の空き帯域がない場合には、マルチセクター通信システムは、他の周波数帯域をセクター中心領域に位置したユーザーに割り当てることにより、ユーザーに隣接した２つのセクターに共通の空き帯域を作り、この帯域をセクター間共有帯域として定義し、これをユーザーに割り当てる。
【０２０９】
図１０３を参照すると、マルチセクター通信システムは、セクター共通帯域内にセクター間共有帯域を定義し、これを、セクター共通帯域を使用しているユーザーに割り当てる。また、マルチセクター通信システムは、現在ユーザーが使用しているセクター共通帯域の周波数資源をセクター間共有帯域として再定義し、これにより、ユーザーがこの周波数資源を継続して使用するようにする。したがって、ユーザーがセル中心領域からセクター間境界領域に移動する場合に、マルチセクター通信システムは、ＤＣＡ手続きを即座に実行することにより、ユーザーが使用しているセクター共通帯域の周波数資源をユーザーに隣接した２つのセクターでセクター間共有帯域として再定義し、これにより、ユーザーがこの周波数資源を継続して使用するようにする。あるいは、セクター共通帯域の周波数資源をそのまま使用する間に、ユーザーが所定時間の間にセクター間境界領域に滞在しているか、又はセクター共通帯域の周波数資源が不足すると、マルチセクター通信システムは、ＤＣＡ手続きを実行することによりセクター共通帯域の周波数資源をユーザーに隣接した２つのセクターでセクター間共有帯域として再定義し、これにより、ユーザーがこの周波数資源を継続して使用するようにする。
【０２１０】
図示していないが、マルチセクター通信システムは、セクター共通帯域内にセクター間共有帯域を定義し、これを、セクター共通帯域を使用しているユーザーに割り当てる。また、マルチセクター通信システムは、現在ユーザーが使用しているセクター共通帯域の周波数資源とは異なる周波数資源をセクター間共有帯域として定義する。この際に、使用中の周波数資源をセクター共通帯域として返還する。したがって、ユーザーがセル中心領域からセクター間境界領域に移動する場合に、マルチセクター通信システムは、ＤＣＡ手続きを即座に実行することにより、ユーザーに隣接した２つのセクターに共通の空き帯域を、セクター共通帯域を使用しているユーザーに割り当て、使用中のセクター共通帯域を返還する。この際に、ユーザーに隣接した２つのセクターに共通の空き帯域がない場合には、マルチセクター通信システムは、他の周波数帯域をセクター中心領域に位置したユーザーに割り当てることにより、ユーザーに隣接した２つのセクターに共通の空き帯域を作り、この帯域をセクター間共有帯域として定義し、これをユーザーに割り当てる。また、ユーザーがセル中心領域からセクター間境界領域に移動する際に、セクター共通帯域の周波数資源をそのまま使用する間に、ユーザーが所定時間の間にセクター間境界領域に滞在しているか、又はセクター共通帯域の周波数資源が不足すると、マルチセクター通信システムは、ＤＣＡ手続きを実行することにより、ユーザーに隣接した２つのセクターに共通の空き帯域を、セクター共通帯域を使用しているユーザーに割り当て、使用中のセクター共通帯域を返還する。この際に、ユーザーに隣接した２つのセクターに共通の空き帯域がない場合には、マルチセクター通信システムは、他の周波数帯域をセクター中心領域に位置したユーザーに割り当てることにより、ユーザーに隣接した２つのセクターに共通の空き帯域を作り、この帯域をセクター間共有帯域として定義し、これをユーザーに割り当てる。ユーザーがセクター中心領域からセル中心領域に移動する場合のＤＣＡ実行について説明する。
【０２１１】
図１０４乃至図１１０は、本発明の実施形態によるマルチセクター通信システムにおけるユーザーがセクター中心領域からセル中心領域に移動する場合のＤＣＡ実行を示す図である。
【０２１２】
図１０４を参照すると、マルチセクター通信システムは、セクター共通帯域を、セクター専用帯域を使用しているユーザーに割り当て、使用中のセクター専用帯域を返還する。したがって、ユーザーがセクター中心領域からセル中心領域に移動する場合に、マルチセクター通信システムは、ＤＣＡ手続きを即座に実行することにより、セクター共通帯域をユーザーに割り当て、使用中のセクター専用帯域を返還する。
【０２１３】
図１０５を参照すると、マルチセクター通信システムは、セクター間共有帯域内にセクター共通帯域を定義し、これを、セクター専用帯域を使用しているユーザーに割り当て、使用中のセクター専用帯域を返還する。したがって、ユーザーがセクター中心領域からセル中心領域に移動する場合に、マルチセクター通信システムは、ＤＣＡ手続きを即座に実行することにより、セクター間共有帯域内にセクター共通帯域を定義し、これをユーザーに割り当て、使用中のセクター専用帯域を返還する。
【０２１４】
図１０６を参照すると、マルチセクター通信システムは、セクター共通帯域をセクター間共有帯域内に定義されたセクター専用帯域を使用しているユーザーに割り当て、使用中の周波数資源をセクター間共有帯域として完全に返還する方法又はセクター間共有帯域として部分的に返還する方法を使用して返還する。したがって、ユーザーがセクター中心領域からセル中心領域に移動する場合に、マルチセクター通信システムは、ＤＣＡ手続きを即座に実行することにより、セクター共通帯域をユーザーに割り当て、使用中のセクター間共有帯域内に定義されたセクター専用帯域を返還する。
【０２１５】
図１０７を参照すると、マルチセクター通信システムは、セクター専用帯域内にセクター共通帯域を定義し、これを、セクター専用帯域を使用しているユーザーに割り当てる。また、マルチセクター通信システムは、ユーザーが継続して周波数資源を使用するように現在ユーザーが使用しているセクター専用帯域の周波数資源をセクター共通帯域として再定義する。したがって、ユーザーがセクター中心領域からセル中心領域に移動する場合に、マルチセクター通信システムは、ＤＣＡ手続きを即座に実行することにより、ユーザーがセクター専用帯域の周波数資源を継続して使用するようにし、これをすべてのセクターでセクター共通帯域として再定義するようにする。この際に、ユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。
【０２１６】
図示していないが、マルチセクター通信システムは、セクター専用帯域内にセクター共通帯域を定義し、これを、セクター専用帯域を使用しているユーザーに割り当てる。また、マルチセクター通信システムは、現在ユーザーが使用しているセクター専用帯域の周波数資源とは異なる周波数資源をセクター共通帯域として定義する。この際に、使用中の周波数資源をセクター専用帯域として返還する。したがって、ユーザーがセクター中心領域からセル中心領域に移動する場合に、マルチセクター通信システムは、ＤＣＡ手続きを即座に実行することにより、すべてのセクターに共通の空き帯域をセクター共通帯域として定義し、これを、セクター専用帯域を使用しているユーザーに割り当てる。この際に、すべてのセクターに共通の空き帯域がない場合には、マルチセクター通信システムは、他の周波数帯域をセクター中心領域又はセクター間境界領域に位置したユーザーに割り当てることにより、すべてのセクターに共通の空き帯域を作り、この帯域をセクター共通帯域として定義し、これをユーザーに割り当てる。
【０２１７】
図１０８を参照すると、マルチセクター通信システムは、セクター間共有帯域内にセクター共通帯域を定義し、これをセクター間共有帯域内に定義されたセクター専用帯域を使用しているユーザーに割り当てる。また、マルチセクター通信システムは、ユーザーが使用しているセクター間共有帯域内に定義されたセクター専用帯域の周波数資源をセクター共通帯域として再定義し、これにより、ユーザーがこの周波数資源を継続して使用するようにする。したがって、ユーザーがセクター中心領域からセル中心領域に移動する場合に、マルチセクター通信システムは、ＤＣＡ手続きを即座に実行することにより、ユーザーがセクター間共有帯域内に定義されたセクター専用帯域の周波数資源を継続して使用するようにし、これをすべてのセクターでセクター共通帯域として再定義するようにする。この際に、ユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。
【０２１８】
図示していないが、マルチセクター通信システムは、セクター間共有帯域内にセクター共通帯域を定義し、これをセクター間共有帯域内に定義されたセクター専用帯域を使用しているユーザーに割り当てる。また、マルチセクター通信システムは、現在ユーザーが使用しているセクター間共有帯域内に定義されたセクター専用帯域の周波数資源とは異なる周波数資源をセクター共通帯域として定義し、これにより、ユーザーがこれを使用できるようにする。この際に、使用中の周波数資源をセクター間共有帯域として返還する。したがって、ユーザーがセクター中心領域からセル中心領域に移動する場合に、マルチセクター通信システムは、ＤＣＡ手続きを即座に実行することにより、すべてのセクターに共通の空き帯域をセクター共通帯域として定義し、これをセクター間共有帯域内に定義されたセクター専用帯域を使用しているユーザーに割り当て、使用中のセクター間共有帯域内に定義されたセクター専用帯域を返還する。この際に、すべてのセクターに共通の空き帯域がない場合には、マルチセクター通信システムは、他の周波数帯域をセクター中心領域又はセクター間境界領域に位置したユーザーに割り当てることにより、すべてのセクターに共通の空き帯域を作り、この帯域をセクター共通帯域として定義し、これをユーザーに割り当てる。
【０２１９】
図１０９を参照すると、マルチセクター通信システムは、セクター共通帯域を定義し、これをセクター共通帯域内に定義されたセクター専用帯域を使用しているユーザーに割り当てる。また、マルチセクター通信システムは、現在ユーザーが使用しているセクター共通帯域内に定義されたセクター専用帯域の周波数資源をセクター共通帯域として再定義し、これにより、ユーザーがこの周波数資源を継続して使用するようにする。この際に、マルチセクター通信システムは、ユーザーに割り当てられたセクター共通帯域内に定義されたセクター専用帯域を他のセクターでセクター専用帯域として再使用することができるようにする。したがって、ユーザーがセクター中心領域からセル中心領域に移動する場合に、マルチセクター通信システムは、ＤＣＡ手続きを即座に実行することにより、ユーザーがセクター共通帯域内に定義されたセクター専用帯域の周波数資源を継続して使用するようにし、これをすべてのセクターでセクター共通帯域として再定義するようにする。この際に、他のユーザーがユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。
【０２２０】
図１１０を参照すると、マルチセクター通信システムは、セクター共通帯域を定義し、これをセクター共通帯域内に定義されたセクター専用帯域を使用しているユーザーに割り当てる。また、マルチセクター通信システムは、現在ユーザーが使用しているセクター共通帯域内に定義されたセクター専用帯域の周波数資源をセクター共通帯域として再定義し、これにより、ユーザーがこの周波数資源を継続して使用するようにする。この際に、マルチセクター通信システムは、ユーザーに割り当てられたセクター共通帯域内に定義されたセクター専用帯域をユーザーが位置したセクターに隣接しないセクター間境界領域のためのセクター間共有帯域として再使用することができるようにする。したがって、ユーザーがセクター中心領域からセル中心領域に移動する場合に、マルチセクター通信システムは、ＤＣＡ手続きを即座に実行することにより、ユーザーがセクター共通帯域内に定義されたセクター専用帯域の周波数資源を継続して使用するようにし、これをすべてのセクターでセクター共通帯域として再定義するようにする。この際に、ユーザーとまだ接続していない残りのセクターでユーザーが使用中である周波数資源を他のユーザーが占有すると、マルチセクター通信システムは、他の帯域をユーザーに割り当てた後に、この周波数資源をユーザーが使用するセクター共通帯域として再定義する。
【０２２１】
図示していないが、マルチセクター通信システムは、セクター共通帯域を定義し、これをセクター共通帯域内に定義されたセクター専用帯域を使用しているユーザーに割り当てる。また、マルチセクター通信システムは、現在ユーザーが使用しているセクター共通帯域内に定義されたセクター専用帯域の周波数資源とは異なる周波数資源をセクター共通帯域として定義する。この際に、使用中の周波数資源をセクター共通帯域として返還する。したがって、ユーザーがセクター中心領域からセル中心領域に移動する場合に、マルチセクター通信システムは、ＤＣＡ手続きを即座に実行することにより、すべてのセクターに共通の空き帯域をセクター共通帯域として定義し、これをセクター共通帯域内に定義されたセクター専用帯域を使用しているユーザーに割り当て、使用中のセクター共通帯域内に定義されたセクター専用帯域を返還する。この際に、すべてのセクターに共通の空き帯域がない場合には、マルチセクター通信システムは、他の周波数帯域をセクター中心領域又はセクター間境界領域に位置したユーザーに割り当てることにより、すべてのセクターに共通の空き帯域を作り、この帯域をセクター共通帯域として定義し、これをユーザーに割り当てる。ユーザーがセル中心領域からセクター中心領域に移動する場合のＤＣＡ実行について説明する。
【０２２２】
図１１１乃至図１１７は、本発明の実施形態によるマルチセクター通信システムにおけるユーザーがセル中心領域からセクター中心領域に移動する場合のＤＣＡ実行を示す図である。
【０２２３】
図１１１を参照すると、マルチセクター通信システムは、セクター専用帯域を、現在セクター共通帯域を使用しているユーザーに割り当て、使用中のセクター共通帯域を返還する。したがって、ユーザーがセル中心領域からセクター中心領域に移動する場合に、マルチセクター通信システムは、ＤＣＡ手続きを即座に実行することによりセクター専用帯域をユーザーに割り当て、使用中のセクター共通帯域を返還する。あるいは、セクター共通帯域の周波数資源をそのまま使用する間に、ユーザーが所定時間の間にセクター中心領域に滞在しているか、又はセクター共通帯域の周波数資源が不足すると、マルチセクター通信システムは、ＤＣＡ手続きを実行することによりセクター専用帯域をユーザーに割り当て、使用中のセクター共通帯域を返還する。
【０２２４】
図１１２を参照すると、マルチセクター通信システムは、セクター間共有帯域内にセクター専用帯域を定義し、これを、現在セクター共通帯域を使用しているユーザーに割り当て、使用中のセクター共通帯域を返還する。したがって、ユーザーがセル中心領域からセクター中心領域に移動する場合に、マルチセクター通信システムは、ＤＣＡ手続きを即座に実行することによりセクター間共有帯域内にセクター専用帯域を定義し、これをユーザーに割り当て、使用中のセクター共通帯域を返還する。あるいは、セクター共通帯域の周波数資源をそのまま使用する間に、ユーザーが所定時間の間にセクター中心領域に滞在しているか、又はセクター共通帯域の周波数資源が不足すると、マルチセクター通信システムは、ＤＣＡ手続きを実行することによりセクター間共有帯域内にセクター専用帯域を定義し、これをユーザーに割り当て、使用中のセクター共通帯域を返還する。
【０２２５】
図１１３を参照すると、マルチセクター通信システムは、セクター専用帯域をセクター間共有帯域内に定義されたセクター共通帯域を使用しているユーザーに割り当て、使用中の周波数資源をセクター間共有帯域として返還する。したがって、ユーザーがセル中心領域からセクター中心領域に移動する場合に、マルチセクター通信システムは、ＤＣＡ手続きを即座に実行することによりセクター専用帯域をユーザーに割り当て、使用中のセクター間共有帯域内に定義されたセクター共通帯域を返還する。あるいは、現在使用されているセクター間共有帯域内に定義されたセクター共通帯域の周波数資源をそのまま保持する間に、ユーザーが所定時間の間にセクター中心領域に滞在しているか、又はセクター間共有帯域の周波数資源が不足すると、マルチセクター通信システムは、ＤＣＡ手続きを実行することによりセクター専用帯域をユーザーに割り当て、使用中のセクタ間共有帯域内に定義されたセクター共通帯域を返還する。
【０２２６】
図１１４を参照すると、マルチセクター通信システムは、セクター専用帯域をセクター専用帯域内に定義されたセクター共通帯域を使用しているユーザーに割り当てる。また、マルチセクター通信システムは、現在ユーザーが使用しているセクター専用帯域内に定義されたセクター共通帯域の周波数資源をセクター専用帯域として再定義し、これにより、ユーザーがこの周波数資源を継続して使用するようにする。したがって、ユーザーがセル中心領域からセクター中心領域に移動する場合に、マルチセクター通信システムは、ＤＣＡ手続きを即座に実行することによりセクター専用帯域内に定義されたセクター共通帯域の周波数資源をユーザーが位置したセクターでセクター専用帯域として再定義し、これにより、ユーザーがこの周波数資源を継続して使用するようにする。あるいは、現在使用されているセクター専用帯域内に定義されたセクター共通帯域の周波数資源をそのまま保持する間に、ユーザーが所定時間の間にセクター中心領域に滞在しているか、又はセクター専用帯域の周波数資源が不足すると、マルチセクター通信システムは、ＤＣＡ手続きを実行することによりセクター専用帯域内に定義されたセクター共通帯域の周波数資源をユーザーが位置したセクターでセクター専用帯域として再定義し、これにより、ユーザーがこの周波数資源を継続して使用するようにする。
【０２２７】
図示していないが、マルチセクター通信システムは、セクター専用帯域をセクター専用帯域内に定義されたセクター共通帯域を使用しているユーザーに割り当てる。また、マルチセクター通信システムは、現在ユーザーが使用しているセクター専用帯域内に定義されたセクター共通帯域の周波数資源とは異なる周波数資源をセクター専用帯域として定義し、これにより、ユーザーがこの周波数資源を継続して使用するようにする。この際に、マルチセクター通信システムは、使用中の周波数資源をセクター専用帯域として返還する。したがって、ユーザーがセル中心領域からセクター中心領域に移動する場合に、マルチセクター通信システムは、ＤＣＡ手続きを即座に実行することにより、ユーザーが位置したセクターでセクター専用帯域内の空き周波数資源をユーザーに割り当て、使用中のセクター専用帯域内に定義されたセクター共通帯域を返還する。あるいは、セクター専用帯域内に定義されたセクター共通帯域の周波数資源をそのまま使用する間に、ユーザーが所定時間の間にセクター中心領域に滞在しているか、又はセクター専用帯域の周波数資源が不足すると、マルチセクター通信システムは、ＤＣＡ手続きを実行することによりユーザーが位置したセクターでセクター専用帯域内の空き周波数資源をユーザーに割り当て、使用中のセクター専用帯域内に定義されたセクター共通帯域を返還する。
【０２２８】
図１１５を参照すると、マルチセクター通信システムは、セクター間共有帯域内にセクター専用帯域を定義し、これをセクター間共有帯域内に定義されたセクター共通帯域を使用しているユーザーに割り当てる。また、マルチセクター通信システムは、現在ユーザーが使用しているセクター間共有帯域内に定義されたセクター共通帯域の周波数資源をセクター専用帯域として再定義し、これにより、ユーザーがこの周波数資源を継続して使用するようにする。したがって、ユーザーがセル中心領域からセクター中心領域に移動する場合に、マルチセクター通信システムは、ＤＣＡ手続きを即座に実行することにより、ユーザーが使用しているセクター間共有帯域内に定義されたセクター共通帯域をユーザーが位置したセクターでセクター専用帯域として再定義し、これにより、ユーザーがこの周波数資源を継続して使用するようにする。この際に、現在使用されているセクター間共有帯域内に定義されたセクター共通帯域の周波数資源をそのまま保持する間に、ユーザーが所定時間の間にセクター中心領域に滞在しているか、又はセクター間共有帯域の周波数資源が不足すると、マルチセクター通信システムは、ＤＣＡ手続きを実行することによりユーザーが使用しているセクター間共有帯域内に定義されたセクター共通帯域をユーザーが位置したセクターでセクター専用帯域として再定義し、これにより、ユーザーがこの周波数資源を継続して使用するようにする。
【０２２９】
図示していないが、マルチセクター通信システムは、セクター間共有帯域内にセクター専用帯域を定義し、これをセクター間共有帯域内に定義されたセクター共通帯域を使用しているユーザーに割り当てる。また、マルチセクター通信システムは、現在ユーザーが使用しているセクター間共有帯域内に定義されたセクター共通帯域の周波数資源とは異なる周波数資源をセクター専用帯域として定義し、これにより、ユーザーがこの周波数資源を継続して使用するようにする。この際に、使用中の周波数資源をセクター間共有帯域として返還する。したがって、ユーザーがセル中心領域からセクター中心領域に移動する場合に、マルチセクター通信システムは、ＤＣＡ手続きを即座に実行することにより、ユーザーが位置したセクターでセクター間共有帯域内の空き周波数資源をユーザーに割り当て、使用中のセクター間共有帯域内に定義されたセクター共通帯域を返還する。あるいは、現在使用されているセクター間共有帯域内に定義されたセクター共通帯域の周波数資源をそのまま保持する間に、ユーザーが所定時間の間にセクター中心領域に滞在しているか、又はセクター間共有帯域の周波数資源が不足すると、マルチセクター通信システムは、ＤＣＡ手続きを実行することによりユーザーが位置したセクターでセクター間共有帯域内の空き周波数資源をユーザーに割り当て、使用中のセクター間共有帯域内に定義されたセクター共通帯域を返還する。
【０２３０】
図１１６を参照すると、マルチセクター通信システムは、セクター共通帯域内にセクター専用帯域を定義し、これを、セクター共通帯域を使用しているユーザーに割り当てる。また、マルチセクター通信システムは、現在ユーザーが使用しているセクター共通帯域の周波数資源をセクター専用帯域として再定義し、これにより、ユーザーがこの周波数資源を継続して使用するようにする。この際に、マルチセクター通信システムは、ユーザーに割り当てられたセクター共通帯域内に定義されたセクター専用帯域を他のセクターでセクター専用帯域として再使用することができるようにする。したがって、ユーザーがセル中心領域からセクター中心領域に移動する場合に、マルチセクター通信システムは、ＤＣＡ手続きを即座に実行することにより、セクター共通帯域の周波数資源をユーザーが位置したセクターでセクター専用帯域として再定義し、これにより、ユーザーが継続して周波数資源を使用するようにする。あるいは、現在使用されているセクター共通帯域の周波数資源をそのまま保持する間に、ユーザーが所定時間の間にセクター中心領域に滞在しているか、又はセクター共通帯域の周波数資源が不足すると、マルチセクター通信システムは、ＤＣＡ手続きを実行することによりセクター共通帯域の周波数資源をユーザーが位置したセクターでセクター専用帯域として再定義し、これにより、ユーザーがこの周波数資源を継続して使用するようにする。
【０２３１】
図１１７を参照すると、マルチセクター通信システムは、セクター共通帯域内にセクター専用帯域を定義し、これを、セクター共通帯域を使用しているユーザーに割り当てる。また、マルチセクター通信システムは、現在ユーザーが使用しているセクター共通帯域の周波数資源をセクター専用帯域として再定義し、これにより、ユーザーがこの周波数資源を継続して使用するようにする。この際に、マルチセクター通信システムは、ユーザーに割り当てられたセクター共通帯域内に定義されたセクター専用帯域をユーザーが位置したセクターに隣接しないセクター間境界領域のためのセクター間共有帯域として再使用することができるようにする。したがって、ユーザーがセル中心領域からセクター中心領域に移動する場合に、マルチセクター通信システムは、ＤＣＡ手続きを即座に実行することにより、セクター共通帯域の周波数資源をユーザーが位置したセクターでセクター専用帯域として再定義し、これにより、ユーザーが継続して周波数資源を使用するようにする。あるいは、現在使用されているセクター共通帯域の周波数資源をそのまま保持する間に、ユーザーが所定時間の間にセクター中心領域に滞在しているか、又はセクター共通帯域の周波数資源が不足すると、マルチセクター通信システムは、ＤＣＡ手続きを実行することによりセクター共通帯域の周波数資源をユーザーが位置したセクターでセクター専用帯域として再定義し、これにより、ユーザーがこの周波数資源を継続して使用するようにする。
【０２３２】
図示していないが、マルチセクター通信システムは、セクター共通帯域内にセクター専用帯域を定義し、これを、セクター共通帯域を使用しているユーザーに割り当てる。また、マルチセクター通信システムは、現在ユーザーが使用しているセクター共通帯域の周波数資源とは異なる周波数資源をセクター専用帯域として定義し、これにより、ユーザーがこれを継続して使用するようにする。この際に、マルチセクター通信システムは、使用中の周波数資源をセクター共通帯域として返還する。したがって、ユーザーがセル中心領域からセクター中心領域に移動する場合に、マルチセクター通信システムは、ＤＣＡ手続きを即座に実行することにより、ユーザーが位置したセクターでセクター共通帯域内の空き周波数資源をユーザーに割り当て、使用中のセクター共通帯域を返還する。あるいは、現在使用されているセクター共通帯域の周波数資源をそのまま使用する間に、ユーザーが所定時間の間にセクター中心領域に滞在しているか、又はセクター共通帯域の周波数資源が不足すると、マルチセクター通信システムは、ＤＣＡ手続きを実行することによりユーザーが位置したセクターでセクター共通帯域内の空き周波数資源をユーザーに割り当て、使用中のセクター共通帯域を返還する。
【０２３３】
このように、ユーザーが定義されたセクター領域で分割された全周波数資源を使用している間に、セクター領域の負荷率が各セクター領域に設定された帯域を超過する場合に、マルチセクター通信システムは、空き帯域を使用する。より具体的に、この負荷率がセクター中心領域でユーザーの数の増加により設定されているセクター専用帯域を超過すると、マルチセクター通信システムは、セクター間共有帯域又はセクター共通帯域内の空き帯域をセクター専用帯域として定義し、これを使用する。この際に、セクター間共有帯域の空き帯域を使用する場合に、マルチセクター通信システムは、ユーザーが位置したセクターのセクター間共有帯域内の空き周波数資源をセクター中心領域のためのセクター専用帯域として定義し、これをユーザーに割り当てる。また、セクター共通帯域の空き帯域を使用する場合に、マルチセクター通信システムは、セクター共通帯域内の空き周波数資源をセクター中心領域のためのセクター専用帯域として定義し、これをユーザーに割り当てる。
【０２３４】
セクター間境界領域でユーザーの増加によりセクター間共有帯域の負荷率を超過すると、マルチセクター通信システムは、セクター専用帯域又はセクター共通帯域内の空き帯域をセクター間共有帯域として定義する。この際に、セクター専用帯域内の空き帯域を使用する場合に、マルチセクター通信システムは、ユーザーが位置したセクター間境界領域に隣接した２つのセクターに対応するセクター専用帯域に共通の空き周波数資源をセクター間境界領域のためのセクター間共有帯域として定義し、これをユーザーに割り当てる。ここで、このセクター間境界領域に隣接した２つのセクターに対応するセクター専用帯域内に共通の空き周波数資源がない場合には、マルチセクター通信システムは、他の周波数帯域をセクター中心領域に位置したユーザーに割り当てることにより、このセクター間境界領域に隣接した２つのセクターに対応するセクター専用帯域に共通の空き帯域を作り、この空き帯域をセクター間境界領域のためのセクター間共有帯域として定義し、これをユーザーに割り当てる。また、セクター共通帯域内の空き帯域を使用する場合に、マルチセクター通信システムは、セクター共通帯域内の空き周波数資源をセクター間境界領域のためのセクター間共有帯域として定義し、これをユーザーに割り当てる。
【０２３５】
セル中心領域でユーザーの増加によりセクター共通帯域の負荷率を超過すると、マルチセクター通信システムは、セクター専用帯域又はセクター共通帯域の空き帯域をセクター共通帯域として定義し、これを使用する。この際に、セクター専用帯域内の空き帯域を使用する場合に、マルチセクター通信システムは、すべてのセクターのセクター専用帯域に共通の空き周波数資源をセル中心領域のためのセクター共通帯域として定義し、これをユーザーに割り当てる。ここで、すべてのセクターのセクター専用帯域に共通の空き周波数資源がない場合に、マルチセクター通信システムは、他の周波数帯域をセクター中心領域に位置したユーザーに割り当てることにより、すべてのセクターのセクター専用帯域に共通の空き帯域を作り、この空き帯域をセル中心領域のためのセクター共通帯域として定義し、これをユーザーに割り当てる。また、セクター間共有帯域内の空き帯域を使用する場合に、マルチセクター通信システムは、すべてのセクターのセクター間共有帯域内の空き周波数資源をセル中心領域のためのセクター共通帯域として定義し、これをユーザーに割り当てる。ここで、すべてのセクターのセクター間共有帯域に共通の空き周波数資源がない場合に、マルチセクター通信システムは、他の周波数帯域をセクター間境界領域に位置したユーザーに割り当てることにより、すべてのセクターのセクター間共有帯域に共通の空き帯域を作り、この空き帯域をセル中心領域のためのセクター共通帯域として定義し、これをユーザーに割り当てる。
【０２３６】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０２３７】
１０１，１１１，１２１      セル
１０５，１１５，１２５      ビームパターン
【図１】
2014241646.tif 000003
【図２】
2014241646.tif 000004
【図３】
2014241646.tif 000005
【図４】
2014241646.tif 000006
【図５】
2014241646.tif 000007
【図６】
2014241646.tif 000008
【図７】
2014241646.tif 000009
【図８】
2014241646.tif 000010
【図９】
2014241646.tif 000011
【図１０】
2014241646.tif 000012
【図１１】
2014241646.tif 000013
【図１２】
2014241646.tif 000014
【図１３】
2014241646.tif 000015
【図１４】
2014241646.tif 000016
【図１５】
2014241646.tif 000017
【図１６】
2014241646.tif 000018
【図１７】
2014241646.tif 000019
【図１８】
2014241646.tif 000020
【図１９】
2014241646.tif 000021
【図２０】
2014241646.tif 000022
【図２１】
2014241646.tif 000023
【図２２】
2014241646.tif 000024
【図２３】
2014241646.tif 000025
【図２４】
2014241646.tif 000026
【図２５】
2014241646.tif 000027
【図２６】
2014241646.tif 000028
【図２７】
2014241646.tif 000029
【図２８】
2014241646.tif 000030
【図２９】
2014241646.tif 000031
【図３０】
2014241646.tif 000032
【図３１】
2014241646.tif 000033
【図３２】
2014241646.tif 000034
【図３３】
2014241646.tif 000035
【図３４】
2014241646.tif 000036
【図３５】
2014241646.tif 000037
【図３６】
2014241646.tif 000038
【図３７】
2014241646.tif 000039
【図３８】
2014241646.tif 000040
【図３９】
2014241646.tif 000041
【図４０】
2014241646.tif 000042
【図４１】
2014241646.tif 000043
【図４２】
2014241646.tif 000044
【図４３】
2014241646.tif 000045
【図４４】
2014241646.tif 000046
【図４５】
2014241646.tif 000047
【図４６】
2014241646.tif 000048
【図４７】
2014241646.tif 000049
【図４８】
2014241646.tif 000050
【図４９】
2014241646.tif 000051
【図５０】
2014241646.tif 000052
【図５１】
2014241646.tif 000053
【図５２】
2014241646.tif 000054
【図５３】
2014241646.tif 000055
【図５４】
2014241646.tif 000056
【図５５】
2014241646.tif 000057
【図５６】
2014241646.tif 000058
【図５７】
2014241646.tif 000059
【図５８】
2014241646.tif 000060
【図５９】
2014241646.tif 000061
【図６０】
2014241646.tif 000062
【図６１】
2014241646.tif 000063
【図６２】
2014241646.tif 000064
【図６３】
2014241646.tif 000065
【図６４】
2014241646.tif 000066
【図６５】
2014241646.tif 000067
【図６６】
2014241646.tif 000068
【図６７】
2014241646.tif 000069
【図６８】
2014241646.tif 000070
【図６９】
2014241646.tif 000071
【図７０】
2014241646.tif 000072
【図７１】
2014241646.tif 000073
【図７２】
2014241646.tif 000074
【図７３】
2014241646.tif 000075
【図７４】
2014241646.tif 000076
【図７５】
2014241646.tif 000077
【図７６】
2014241646.tif 000078
【図７７】
2014241646.tif 000079
【図７８】
2014241646.tif 000080
【図７９】
2014241646.tif 000081
【図８０】
2014241646.tif 000082
【図８１】
2014241646.tif 000083
【図８２】
2014241646.tif 000084
【図８３】
2014241646.tif 000085
【図８４】
2014241646.tif 000086
【図８５】
2014241646.tif 000087
【図８６】
2014241646.tif 000088
【図８７】
2014241646.tif 000089
【図８８】
2014241646.tif 000090
【図８９】
2014241646.tif 000091
【図９０】
2014241646.tif 000092
【図９１】
2014241646.tif 000093
【図９２】
2014241646.tif 000094
【図９３】
2014241646.tif 000095
【図９４】
2014241646.tif 000096
【図９５】
2014241646.tif 000097
【図９６】
2014241646.tif 000098
【図９７】
2014241646.tif 000099
【図９８】
2014241646.tif 000100
【図９９】
2014241646.tif 000101
【図１００】
2014241646.tif 000102
【図１０１】
2014241646.tif 000103
【図１０２】
2014241646.tif 000104
【図１０３】
2014241646.tif 000105
【図１０４】
2014241646.tif 000106
【図１０５】
2014241646.tif 000107
【図１０６】
2014241646.tif 000108
【図１０７】
2014241646.tif 000109
【図１０８】
2014241646.tif 000110
【図１０９】
2014241646.tif 000111
【図１１０】
2014241646.tif 000112
【図１１１】
2014241646.tif 000113
【図１１２】
2014241646.tif 000114
【図１１３】
2014241646.tif 000115
【図１１４】
2014241646.tif 000116
【図１１５】
2014241646.tif 000117
【図１１６】
2014241646.tif 000118
【図１１７】
2014241646.tif 000119
【図１１８】
2014241646.tif 000120
【図１１９】
2014241646.tif 000121
【図１２０】
2014241646.tif 000122